【事件の表示】
　特許第２８８６１５０号「ネットワークデバイス制御装置及び方法」の請求項１乃至３に係る特許に対する特許異議の申立てについて、次のとおり決定する。
【結　論】
　訂正を認める。
　特許第２８８６１５０号の請求項１ないし３に係る特許を維持する。
【理　由】
１．手続の経緯
　特許第２８８６１５０号の請求項１，２及び３に係る発明は、平成１０年２月３日（優先日平成９年２月３日）に特許出願され、平成１１年２月１２日にその特許の設定登録がなされ、その後、大槻　広政（以下、「特許異議申立人」という）より、特許異議の申立がなされ、取消理由通知がなされ、その指定期間内である平成１２年５月１日に訂正請求がなされたものである。
２．訂正請求について
（１）訂正請求の内容
ａ．訂正明細書の請求項１乃至３に係る発明について
　訂正明細書の請求項１乃至３に係る発明は、その特許請求の範囲の請求項１乃至３に記載された次の事項により特定されるとおりのものである。
「【請求項１】個々のネットワーク周辺機器に対して１対１に割り当てられ、選択されたネットワークデバイスを管理・制御するためのウインドウをデバイス詳細ウインドウとし、当該デバイス詳細ウインドウの初期画面に表示するための当該選択されたネットワークデバイスに関する情報を初期シート情報として取得し、前記デバイス詳細ウインドウ内に表示する初期シート情報取得・表示ステップと、ユーザから別種類のシート情報の表示を求める入力があったことが判明したとき、当該別種類のシート情報を前記選択されたネットワークデバイスから取得し、当該別種類のシート情報を前記デバイス詳細ウインドウ内に表示する別シート情報取得・表示ステップとを有することを特徴とするネットワークデバイス制御方法。
【請求項２】個々のネットワーク周辺機器に対して１対１に割り当てられ、選択されたネットワークデバイスを管理・制御するためのウインドウをデバイス詳細ウインドウとし、当該デバイス詳細ウインドウの初期画面に表示するための当該選択されたネットワークデバイスに関する情報を初期シート情報として取得し、前記デバイス詳細ウインドウ内に表示する初期シート情報取得・表示手段と、ユーザから別種類のシート情報の表示を求める入力があったことが判明したとき、当該別種類のシート情報を前記選択されたネットワークデバイスから取得し、当該別種類のシート情報を前記デバイス詳細ウインドウ内に表示する別シート情報取得・表示手段とを有することを特徴とするネットワークデバイス制御装置。
【請求項３】個々のネットワーク周辺機器に対して１対１に割り当てられ、選択されたネットワークデバイスを管理・制御するためのウインドウをデバイス詳細ウインドウとし、当該デバイス詳細ウインドウの初期画面に表示するための当該選択されたネットワークデバイスに関する情報を初期シート情報として取得し、前記デバイス詳細ウインドウ内に表示する初期シート情報取得・表示ステップと、ユーザから別種類のシート情報の表示を求める入力があったことが判明したとき、当該別種類のシート情報を前記選択されたネットワークデバイスから取得し、当該別種類のシート情報を前記デバイス詳細ウインドウ内に表示する別シート情報取得・表示ステップに対応するプログラムを格納したコンピュータで読み取り可能な記憶媒体。」
ｂ．訂正明細書の発明の詳細な説明について
「【課題を解決するための手段】
　上記課題を達成するため、例えば本発明のネットワークデバイス制御方法は以下の構成を備える。すなわち、
　個々のネットワーク周辺機器に対して１対１に割り当てられる、ネットワークデバイスを管理・制御するためのウインドウをデバイス詳細ウィンドウとして、当該デバイス詳細ウインドウの初期画面に表示するための情報を初期シート情報として取得し、表示する初期シート情報取得・表示ステップと、
　ユーザから別種類のシート情報の表示を求める入力があったことが判明したとき、当該別シート情報を取得し、デバイス詳細ウィンドウに表示する別シート情報取得・表示ステップとを有する。」を、
「【課題を解決するための手段】
　上記課題を達成するため、例えば本発明のネットワークデバイス制御方法は以下の構成を備える。すなわち、
　個々のネットワーク周辺機器に対して１対１に割り当てられ、選択されたネットワークデバイスを管理・制御するためのウインドウをデバイス詳細ウィンドウとし、当該デバイス詳細ウインドウの初期画面に表示するための当該選択されたネットワークデバイスに関する情報を初期シート情報として取得し、前記デバイス詳細ウインド内に表示する初期シート情報取得・表示ステップと、
　ユーザから別種類のシート情報の表示を求める入力があったことが判明したとき、当該別種類のシート情報を前記選択されたネットワークデバイスから取得し、当該別種類のシート情報をデバイス詳細ウィンドウ内に表示する別シート情報取得・表示ステップとを有する。」に訂正するものである。
（２）訂正の目的の適否、新規事項の有無及び拡張・変更の存否
　上記ａの訂正は、願書に添付した明細書・図面に記載した事項の範囲内であって、特許請求の範囲の減縮に該当し、実質的に特許請求の範囲を拡張・変更するものでもない。
　上記ｂの訂正は、明細書の記載を特許請求の範囲の訂正に合わせるものであり、明瞭でない記載の釈明に該当するものである。
（３）独立特許要件の判断
　当審が通知した取消理由で引用した刊行物１乃至５には、それぞれ以下の事項が記載されている。
　刊行物１（特開平８−２７８８６５号公報）には、
「複数の印刷出力装置が通信ネットワークに接続された分散型のネットワーク印刷システムにおいて、
　利用者が、ウィンドウの一覧リストから一つの印刷出力装置を選択指示、もしくは、特定の印刷出力装置を直接的に選択指示すると、
　当該選択された装置名の情報と切り換え指示とを印刷指示設定手段（１０５）に通知する出力先選択手段（１０２）と、
　該出力先選択手段（１０２）から渡された情報から、選択された印刷出力装置の装備機能および性能に関する情報を解析し、機能（例えば両面印刷／複写可能、使用可能な用紙サイズ、縮小／拡大可能、ソーター使用可能など）およびそれに関する性能（例えば、数値入力や用紙指定の縮小／拡大可能など）を決定し、また、選択された印刷出力装置の状態情報を解析し、装置状態を決定し、そして、その決定結果から新たに選択された印刷出力装置についての印刷指示操作パネルを再構成し、表示制御手段（１０３）を通じてディスプレイに表示する前記印刷指示設定手段（１０５）と、
を備え、
　さらに、前記印刷指示操作パネル３０は、種々のメニューを呼び出すための表示部（「表示欄（３１）」）と、選択された印刷出力装置の装置状態の表示部（「表示欄（３２）」）と、各種機能の設定表示部（「表示欄（３３）」）と、ジョブリストの表示部（「表示欄（３４）」）とを備え、
　前記種々のメニューを呼び出すための表示部を選択したときには、ファイルメニューのウィンドウ表示（４１）が表れるネットワーク印刷システム」の発明が記載されている。
　刊行物２（特開平８−２８６８５４号公報）には、
「ネットワーク上の個々の印刷出力装置に１対１で割り当てられる印刷指示操作パネルを有していて、この印刷指示操作パネルに表示するための印刷出装置の装備やジョブなどの情報を、実行開始時、利用者が指示した時又は定期的に取得して、印刷指示操作パネルに表示する印刷指示装置」の発明が記載されている。
　刊行物３（「Ｍｉｃｒｏｓｏｆｔ　Ｗｉｎｄｏｗｓ９５用プリンタドライバ取扱説明書」１９９５年発行、セイコーエプソン株式会社）には、
「選択したプリンタの状態表示などのプリンタ管理だけではなく、印刷条件の設定などのプリンタ制御にも用いられ、周辺機器と１対１で対応してその制御・管理にも用いられるデバイス詳細ウインドを表示するプリンタ」の発明が記載されている。
　刊行物４（特開平６−３５０６０２号公報）には、
「ネットワーク構成機器グループから「概要情報」を取得して表示した後、ネットワーク管理者の要求があると、ネットワーク構成機器から「詳細情報」を取得して表示するネットワーク監視機器」の発明が記載されている。
　刊行物５（特開平７−２００２０９号公報）には、
「ネットワークデバイス情報を取得する際、指定された特定デバイスの情報だけを個別に取得して表示するプリンタ装置の状態監視」の発明が記載されている。
（対比・判断）
　上記訂正明細書の請求項１乃至３に係る発明（以下、「本件訂正特許発明１乃至３」という）と上記刊行物１乃至５記載の発明とを対比すると、
　本件訂正特許発明１乃至３を特定するための事項である「ユーザから別種類のシート情報の表示を求める入力があったことが判明したとき、当該別種類のシート情報を前記選択されたネットワークデバイスから取得し、当該別種類のシート情報を前記デバイス詳細ウインドウ内に表示する別シート情報取得・表示ステップ」、「ユーザから別種類のシート情報の表示を求める入力があったことが判明したとき、当該別種類のシート情報を前記選択されたネットワークデバイスから取得し、当該別種類のシート情報を前記デバイス詳細ウインドウ内に表示する別シート情報取得・表示手段」に係る技術的事項については、前記刊行物１乃至５のいずれにも開示・示唆されておらず、当該技術的事項により、本件訂正特許発明１乃至３は、選択されたネットワークデバイスからすべてのシート情報を同時に取得しないので、ＬＡＮ、プリンタおよびネットワークボードの負荷が小さくなり、ネットワーク管理ソフトウェアの起動（最初の画面表示）時間を短縮でき得るという、特有の効果を奏するものと認められ、本件訂正特許発明１乃至３が前記刊行物１乃至５に記載のものから容易に発明することができたものとはいえない。
　したがって、本件訂正特許発明１乃至３は、特許出願の際独立して特許を受けることができるものである。
（４）むすび
　以上のとおりであるから、上記訂正は、特許法第１２０条の４第２項及び同条第３項で準用する第１２６条第２乃至４項の規定に適合するので、当該訂正を認める（以下、「本件訂正特許発明１乃至３」を「本件特許発明１乃至３」という）。
３．特許異議申立について
（１）申し立て理由の概要
　特許異議申立人は、請求項１乃至３に係る発明は、甲第１号証（特開平８−２８６８５４号公報、上記刊行物２に対応）、甲第２号証（「Ｍｉｃｒｏｓｏｆｔ　Ｗｉｎｄｏｗｓ９５用プリンタドライバ取扱説明書」１９９５年発行、セイコーエプソン株式会社、上記刊行物３に対応）、甲第３号証（特開平６−３５０６０２号公報、上記刊行物４に対応）、甲第４号証（特開平７−２００２０９号公報、上記刊行物５に対応）をもとに容易に発明をすることができたものであり、特許法第２９条第２項の規定により、特許を受けることができないものであるから、特許を取り消すべきと主張している。
（２）判断・むすび
　本件特許発明１乃至３は、上記２．（３）で述べたとおり、取消理由通知で示した各甲号証、およびほかの刊行物記載の発明から、容易に発明をすることができたとは認められない。
　また、ほかに本件特許発明を取り消すべき理由を発見しない。
　よって、結論のとおり決定する。
【異議決定日】
平成１２年９月１２日（２０００．９．１２）
【訂正の要旨】
▲３▼　訂正の内容
ｉ．特許請求の範囲第１項を下記のように訂正する。
　　　　　　　　　　　　　　　　　記
『　個々のネットワーク周辺機器に対して１対１に割り当てられ、
選択された
当該選択されたネットワークデバイスに関する
前記デバイス詳細ウインドウ内に
　ユーザから別種類のシート情報の表示を求める入力があったことが判明したとき、当該別
種類の
前記選択されたネットワークデバイスから
当該別種類のシート情報を
内に
　を有することを特徴とするネットワークデバイス制御方法。』
ｉｉ．特許請求の範囲第２項を下記のように訂正する。
　　　　　　　　　　　　　　　　　記　　　　　　　　　　　　　　
『　個々のネットワーク周辺機器に対して１対１に割り当てられ、
選択された
当該選択されたネットワークデバイスに関する
前記デバイス詳細ウインドウ内に
　ユーザから別種類のシート情報の表示を求める入力があったことが判明したとき、当該別
種類の
前記選択されたネットワークデバイスから
当該別種類のシート情報を
内に
　を有することを特徴とするネットワークデバイス制御装置。』
ｉｉｉ．特許請求の範囲第３項を下記のように訂正する。
　　　　　　　　　　　　　　　　　記
『　個々のネットワーク周辺機器に対して１対１に割り当てられ、
選択された
当該選択されたネットワークデバイスに関する
前記デバイス詳細ウインドウ内に
　ユーザから別種類のシート情報の表示を求める入力があったことが判明したとき、当該別
種類の
前記選択されたネットワークデバイスから
当該別種類のシート情報を
内に
　に対応するプログラムを格納したコンピュータで読み取り可能な記憶媒体。』
ｉｖ．明細書の段落【００１８】を下記のように訂正する。
　　　　　　　　　　　　　　　　　記
『　　【課題を解決するための手段】
　上記課題を達成するため、例えば本発明のネットワークデバイス制御方法は以下の構成を備える。すなわち、
　個々のネットワーク周辺機器に対して１対１に割り当てられ、
選択された
当該選択されたネットワークデバイスに関する
前記デバイス詳細ウインドウ内に
　ユーザから別種類のシート情報の表示を求める入力があったことが判明したとき、当該別
種類の
前記選択されたネットワークデバイスから
当該別種類のシート情報を
内に
（５４）【発明の名称】
ネットワークデバイス制御装置及び方法
（５７）【特許請求の範囲】
　　【請求項１】　個々のネットワーク周辺機器に対して１対１に割り当てられ、
選択された
当該選択されたネットワークデバイスに関する
前記デバイス詳細ウインドウ内に
　ユーザから別種類のシート情報の表示を求める入力があったことが判明したとき、当該別
種類の
前記選択されたネットワークデバイスから
当該別種類のシート情報
内に
　を有することを特徴とするネットワークデバイス制御方法。
　　【請求項２】　個々のネットワーク周辺機器に対して１対１に割り当てられ、
選択された
当該選択されたネットワークデバイスに関する
前記デバイス詳細ウインドウ内に
　ユーザから別種類のシート情報の表示を求める入力があったことが判明したとき、当該別
種類の
前記選択されたネットワークデバイスから
当該別種類のシート情報を
内に
　を有することを特徴とするネットワークデバイス制御装置。
　　【請求項３】　個々のネットワーク周辺機器に対して１対１に割り当てられ、
選択された
当該選択されたネットワークデバイスに関する
前記デバイス詳細ウインドウ内に
　ユーザから別種類のシート情報の表示を求める入力があったことが判明したとき、当該別
種類の
前記選択されたネットワークデバイスから
当該別種類のシート情報を
内に
　に対応するプログラムを格納したコンピュータで読み取り可能な記憶媒体。
　　【請求項４】　個々のネットワークデバイスに対して１対１に割り当てられる、ウィンドウの初期画面に表示するための情報を初期シート情報として取得し、表示する初期シート情報取得・表示ステップと、
　前記初期シート情報取得・表示ステップにより取得・表示された初期シート情報以外の他シート情報リストを作成する他シート情報リスト作成ステップと、
　前記他シート情報リスト作成ステップにより作成された他シート情報リストの内、取得するのシート情報リストを決定する取得シート情報決定ステップと、
　ユーザから別種類のシート情報の表示を求めるための入力があったことが判明したとき、新たに要求されたシート情報を取得し、前記初期シート情報取得・表示ステップによって開かれたデバイス詳細ウィンドウに表示する別シート情報取得・表示ステップと、
　すべてのシート情報を取得したかどうかを判別するための全シート情報取得判別ステップと、
　前記全シート情報取得判別ステップによりすべてのシート情報を取得していないと判別された場合に、前記取得シート情報決定ステップにより決定されている現在取得中のシート情報をすべて取得し終わったかどうかを判別する単一シート情報取得判別ステップと、
　前記単一シート情報取得判別ステップにより現在取得中のシート情報を全て取得し終わったと判別された場合に、そのシート情報リストの状態を情報取得済に変更するためのシート情報リスト状態変更ステップと、
　前記単一シート情報取得判別ステップにより現在取得中のシート情報を全て取得し終わっていないと判別された場合に、ネットワークデバイスの情報を取得するためのネットワークデバイス情報取得ステップと、
　を有することを特徴とするネットワークデバイス制御方法。
　　【請求項５】　個々のネットワークデバイスに対して１対１に割り当てられる、ウィンドウの初期画面に表示するための情報を初期シート情報として取得し、表示する初期シート情報取得・表示手段と、
　前記初期シート情報取得・表示手段により取得・表示された初期シート情報以外の他シート情報リストを作成する他シート情報リスト作成手段と、
　前記他シート情報リスト作成手段により作成された他シート情報リストの内、取得するのシート情報リストを決定する取得シート情報決定手段と、
　ユーザから別種類のシート情報の表示を求めるための入力があったことが判明したとき、新たに要求されたシート情報を取得し、前記初期シート情報取得・表示手段によって開かれたデバイス詳細ウィンドウに表示する別シート情報取得・表示手段と、
　すべてのシート情報を取得したかどうかを判別するための全シート情報取得判別手段と、
　前記全シート情報取得判別手段によりすべてのシート情報を取得していないと判別された場合に、前記取得シート情報決定ステップにより決定されている現在取得中のシート情報をすべて取得し終わったかどうかを判別する単一シート情報取得判別手段と、
　前記単一シート情報取得判別手段により現在取得中のシート情報を全て取得し終わったと判別された場合に、そのシート情報リストの状態を情報取得済に変更するためのシート情報リスト状態変更手段と、
　前記単一シート情報取得判別手段により現在取得中のシート情報を全て取得し終わっていないと判別された場合に、ネットワークデバイスの情報を取得するためのネットワークデバイス情報取得手段と、
　を有することを特徴とするネットワークデバイス制御装置。
　　【請求項６】　個々のネットワークデバイスに対して１対１に割り当てられる、ウィンドウの初期画面に表示するための情報を初期シート情報として取得し、表示する初期シート情報取得・表示ステップと、
　前記初期シート情報取得・表示ステップにより取得・表示された初期シート情報以外の他シート情報リストを作成する他シート情報リスト作成ステップと、
　前記他シート情報リスト作成ステップにより作成された他シート情報リストの内、取得するのシート情報リストを決定する取得シート情報決定ステップと、
　ユーザから別種類のシート情報の表示を求めるための入力があったことが判明したとき、新たに要求されたシート情報を取得し、前記初期シート情報取得・表示ステップによって開かれたデバイス詳細ウィンドウに表示する別シート情報取得・表示ステップと、
　すべてのシート情報を取得したかどうかを判別するための全シート情報取得判別ステップと、
　前記全シート情報取得判別ステップによりすべてのシート情報を取得していないと判別された場合に、前記取得シート情報決定ステップにより決定されている現在取得中のシート情報をすべて取得し終わったかどうかを判別する単一シート情報取得判別ステップと、
　前記単一シート情報取得判別ステップにより現在取得中のシート情報を全て取得し終わったと判別された場合に、そのシート情報リストの状態を情報取得済に変更するためのシート情報リスト状態変更ステップと、
　前記単一シート情報取得判別ステップにより現在取得中のシート情報を全て取得し終わっていないと判別された場合に、ネットワークデバイスの情報を取得するためのネットワークデバイス情報取得ステップ
　に対応するプログラムを格納したコンピュータで読み取り可能な記憶媒体。
　　【請求項７】　請求項１又は請求項４に記載の初期シート情報取得・表示ステップとしては、
　初期シート情報を指定するための初期シート情報指定ステップと、
　前記シート初期情報指定手段で指定された初期シート情報を一連の情報リストとしてリスト化するためのシート情報リスト作成ステップと、
　前記シート情報リスト作成手段で作成されたシート情報リストを基に、実際にネットワークデバイスに対して情報を要求し、取得・表示するための情報取得ステップと、
　を有したことを特徴とするネットワークデバイス制御方法。
　　【請求項８】　請求項２又は請求項５に記載の初期シート情報取得・表示手段としては、
　初期シート情報を指定するための初期シート情報指定手段と、
　前記シート初期情報指定手段で指定された初期シート情報を一連の情報リストとしてリスト化するためのシート情報リスト作成手段と、
　前記シート情報リスト作成手段で作成されたシー情報リストを基に、実際にネットワークデバイスに対して情報を要求し、取得・表示するための情報取得手段と、
　を有したことを特徴とするネットワークデバイス制御装置。
　　【請求項９】　請求項３又は請求項６に記載の初期シート情報取得・表示ステップとしては、
　初期シート情報を指定するための初期シート情報指定ステップと、
　前記シート初期情報指定手段で指定された初期シート情報を一連の情報リストとしてリスト化するためのシート情報リスト作成ステップと、
　前記シート情報リスト作成手段で作成されたシート情報リストを基に、実際にネットワークデバイスに対して情報を要求し、取得・表示するための情報取得ステップ
　に対応するプログラムを格納したコンピュータで読み取り可能な記憶媒体。
　　【請求項１０】　前記初期シート情報指定ステップとしては、初期シート情報指定画面上で、ユーザが初期シート情報を指定することを特徴とする請求項７に記載のネットワークデバイス制御方法。
　　【請求項１１】　前記初期シート情報指定ステップとしては、
　ネットワークデバイスの状態を判別するためのネットワークデバイス状態判別ステップと、
　前記ネットワークデバイス状態判別ステップにより判別されたネットワークデバイスの状態によって、表示する初期シート情報を決定するための状態別初期シート情報決定ステップと、
　を有することを特徴とする請求項７に記載のネットワークデバイス制御方法。
　　【請求項１２】　前記初期シート情報指定手段としては、ネットワークデバイス制御装置が固定的に初期シート情報を指定することを特徴とする請求項８に記載のネットワークデバイス制御装置。
　　【請求項１３】　前記初期シート情報指定手段としては、前記ネットワークデバイス制御装置の記憶手段に記憶されている初期化ファイルに保持してある初期シート情報を識別する初期シート情報識別子を用いて初期シート情報を指定することを特徴とする請求項８に記載のネットワークデバイス制御装置。
　　【請求項１４】　前記初期化ファイルに保持する手段として、直前に使用された本発明のネットワークデバイス制御装置が最後に取得・表示したシート情報の識別子を初期化ファイルに保持することを特徴とする請求項１３に記載のネットワークデバイス制御装置。
　　【請求項１５】　前記初期シート情報指定手段としては、ネットワークデバイス制御装置を使用する時に、ユーザが初期シート情報を指定することを特徴とする請求項８に記載のネットワークデバイス制御装置。
　　【請求項１６】　前記初期シート情報指定手段としては、
　ネットワークデバイスの状態を判別するためのネットワークデバイス状態判別手段と、
　前記ネットワークデバイス状態判別手段により判別されたネットワークデバイスの状態によって、表示する初期シート情報を決定するための状態別初期シート情報決定手段と、
　を有することを特徴とする請求項８に記載のネットワークデバイス制御装置。
　　【請求項１７】　前記初期シート情報指定ステップとしては、ネットワークデバイス制御プログラムが固定的に初期シート情報を指定することを特徴とする請求項９に記載のプログラムを格納したコンピュータで読み収り可能な記憶媒体。
　　【請求項１８】　前記初期シート情報指定ステップとしては、前記記憶媒体に記憶されている初期化ファイルに保持してある初期シート情報を識別する初期シート情報識別子を用いて初期シート情報を指定することを特徴とする請求項９に記載のプログラムを格納したコンピュータで読み取り可能な記憶媒体。
　　【請求項１９】　前記初期化ファイルに保持する方法として、直前に使用された本発明のネットワークデバイス制御装置が最後に取得・表示したシート情報の識別子を初期化ファイルに保持することを特徴とする請求項１８に記載のプログラムを格納したコンピュータで読み取り可能な記憶媒体。
　　【請求項２０】　前記初期シート情報指定ステップとしては、初期シート情報指定画面上で、ユーザが初期シート情報を指定することを特徴とする請求項９に記載のプログラムを格納したコンピュータで読み取り可能な記憶媒体。
　　【請求項２１】　前記初期シート情報指定ステップとしては、
ネットワークデバイスの状態を判別するためのネットワークデバイス状態判別ステップと、
　前記ネットワークデバイス状態判別ステップにより判別されたネットワークデバイスの状態によって、表示する初期シート情報を決定するための状態別初期シート情報決定ステップ
　に対応するプログラムを格納した請求項９に記載のコンピュータで読み取り可能な記憶媒体。
　　【請求項２２】　請求項１又は請求項４に記載の別シート情報取得・表示ステップとしては、
　別シート情報を指定するための別シート情報指定ステップと、
　前記別シート情報指定ステップで指定された別シート情報を一連のシート情報リストとしてリスト化するためのシート情報リスト作成ステップと、
　前記シート情報リスト作成ステップで作成されたシート情報リストを基に、実際にネットワークデバイスに対して情報を要求し、取得・表示するための情報収得ステップと、
　を有することを特徴とするネットワークデバイス制御方法。
　　【請求項２３】　請求項２又は請求項５に記載の別シート情報取得・表示手段としては、
　別シート情報を指定するための別シート情報指定手段と、
　前記別シート情報指定手段で指定された別シート情報を一連のシート情報リストとしてリスト化するためのシート情報リスト作成手段と、
　前記シート情報リスト作成手段で作成されたシート情報リストを基に、実際にネットワークデバイスに対して情報を要求し、取得・表示するための情報取得手段と、
　を有することを特徴とするネットワークデバイス制御装置。
　　【請求項２４】　請求項３又は請求項６に記載の別シート情報取得・表示ステッブとしては、
　別シート情報を指定するための別シート情報指定ステップと、
　前記別シート情報指定ステップで指定された別シート情報を一連のシート情報リストとしてリスト化するためのシート情報リスト作成ステップと、
　前記シート情報リスト作成ステップで作成されたシート情報リストを基に、実際にネットワークデバイスに対して情報を要求し、取得・表示するための情報取得ステップと、
　を有することを特徴とするプログラムを格納したコンピュータで読み取り可能な記憶媒体。
　　【請求項２５】　請求項７又は請求項２２に記載の情報取得ステップとしては、
　シート情報を強制的に取得するかどうかを判別するためのシート情報強制取得判別ステップと、
　前記シート情報強制取得判別ステップにおいて、シート情報を強制的に取得しないと判別された場合に、現在保持しているシート情報を基に一部の情報を先発して表示するための即時表示ステップと、
　前記シート情報強制取得判別ステップにおいて、シート情報を強制的に取得すると判別された場合に、すべてのシート情報を表示したかどうかを判別するためのシート情報全表示判別ステップと、
　ネットワークデバイスの情報を取得するためのネットワークデバイス情報取得ステップと、
　以前に取得したネットワークデバイス情報（以後、キャッシュと呼ぶ）を保持しているかどうかを判別するためのネットワークデバイス情報保持判別ステップと、
　前記ネットワークデバイス情報保持判別ステップによりキャッシュを保持していると判別された場合に、前記ネットワークデバイス情報取得ステップによって新しく取得されたネットワークデバイス情報値とキャッシュ値とを比較するためのキャッシュ値比較ステップと、
　前記ネットワークデバイス情報保持判別ステップによりキャッシュを保持していないと判別された場合と前記キャッシュ値比較ステップにより新しく取得されたネットワークデバイス情報値とキャッシュ値とを比較した結果、異なると判別された場合に、取得したネットワークデバイス情報をキャッシュ値として保持するためのキャッシュ値保持ステップと、
　前記キャッシュ値保持ステップにより保持されたキャッシュ値を前記デバイス詳細ウィンドウ上に表示するためのネットワークデバイス情報表示ステップと、
　前記シート情報全表示判別ステップでネットワークデバイス情報を全表示したかどうかを判別するために、シート情報リスト中の今表示した情報の状態を表示済に変更するためのシート情報リスト状態変更ステップと、
　前記シート情報全表示判別ステップによりネットワークデバイス情報を全表示したと判別した場合に、前記デバイス詳細ウィンドウの情報の表示を自動的に更新するかどうかを判別するための自動更新判別ステップと、
　前記自動更新判別ステップにより自動更新を行うと判別された場合に、自動更新用タイマを設定するための自動更新タイマ設定ステップと、
　前記自動更新タイマ設定ステップによって設定された自動更新タイマが切れたかどうかを判別するための自動更新タイマ監視ステップと、
　前記自動更新タイマ監視ステップにより監視している自動更新タイマが切れていない場合に、自動更新が停止されたかどうかを監視するための自動更新停止監視ステップと、
　を有したネットワークデバイス制御方法。
　　【請求項２６】　請求項８又は請求項２３に記載の情報取得手段としては、
　シート情報を強制的に取得するかどうかを判別するためのシート情報強制取得判別手段と、
　前記シート情報強制取得判別手段において、シート情報を強制的に取得しないと判別された場合に、現在保持しているシート情報を基に一部の情報を先発して表示するための即時表示手段と、
　前記シート情報強制取得判別手段において、シート情報を強制的に取得すると判別された場合に、すべてのシート情報を表示したかどうかを判別するためのシート情報全表示判別手段と、
　ネットワークデバイスの情報を取得するためのネットワークデバイス情報取得手段と、
　以前に取得したネットワークデバイス情報（以後、キャッシュと呼ぶ）を保持しているかどうかを判別するためのネットワークデバイス情報保持判別手段と、
　前記ネットワークデバイス情報保持判別手段によりキャッシュを保持していると判別された場合に、前記ネットワークデバイス情報取得手段によって新しく取得されたネットワークデバイス情報値とキャッシュ値とを比較するためのキャッシュ値比較手段と、
　前記ネットワークデバイス情報保持判別手段によりキャッシュを保持していないと判別された場合と前記キャッシュ値比較手段により新しく取得されたネットワークデバイス情報値とキャッシュ値とを比較した結果、異なると判別された場合に、取得したネットワークデバイス情報をキャッシュ値として保持するためのキャッシュ値保持手段と、
　前記キャッシュ値保持手段により保持されたキャッシュ値を前記デバイス詳細ウィンドウ上に表示するためのネットワークデバイス情報表示手段と、
　前記シート情報全表示判別手段でネットワークデバイス情報を全表示したかどうかを判別するために、シート情報リスト中の今表示した情報の状態を表示済に変更するためのシート情報リスト状態変更手段と、
　前記シート情報全表示判別手段によりネットワークデバイス情報を全表示したと判別した場合に、前記デバイス詳細ウィンドウの情報の表示を自動的に更新するかどうかを判別するための自動更新判別手段と、
　前記自動更新判別手段により自動更新を行うと判別された場合に、自動更新用タイマを設定するための自動更新タイマ設定手段と、
　前記自動更新タイマ設定手段によって設定された自動更新タイマが切れたかどうかを判別するための自動更新タイマ監視手段と、
　前記自動更新タイマ監視手段により監視している自動更新タイマが切れていない場合に、自動更新が停止されたかどうかを監視するための自動更新停止監視手段と、
　を有したネットワークデバイス制御装置。
　　【請求項２７】　請求項９又は請求項２４に記載の情報取得ステップとしては、
　シート情報を強制的に取得するかどうかを判別するためのシート情報強制取得判別ステップと、
　前記シート情報強制取得判別ステップにおいて、シート情報を強制的に取得しないと判別された場合に、現在保持しているシート情報を基に一部の情報を先発して表示するための即時表示ステップと、
　前記シート情報強制取得判別ステップにおいて、シート情報を強制的に取得すると判別された場合に、すべてのシート情報を表示したかどうかを判別するためのシート情報全表示判別ステップと、
　ネットワークデバイスの情報を取得するためのネットワークデバイス情報取得ステップと、
　以前に取得したネットワークデバイス情報（以後、キャッシュと呼ぶ）を保持しているかどうかを判別するためのネットワークデバイス情報保持判別ステップと、
　前記ネットワークデバイス情報保持判別ステップによりキャッシュを保持していると判別された場合に、前記ネットワークデバイス情報取得ステップによって新しく取得されたネットワークデバイス情報値とキャッシュ値とを比較するためのキャッシュ値比較ステップと、
　前記ネットワークデバイス情報保持判別ステップによりキャッシュを保持していないと判別された場合と前記キャッシュ値比較ステップにより新しく収得されたネットワークデバイス情報値とキャッシュ値とを比較した結果、異なると判別された場合に、取得したネットワークデバイス情報をキャッシュ値として保持するためのキャッシュ値保持ステップと、
　前記キャッシュ値保持ステップにより保持されたキャッシュ値を前記デバイス詳細ウィンドウ上に表示するためのネットワークデバイス情報表示ステップと、
　前記シート情報全表示判別ステップでネットワークデバイス情報を全表示したかどうかを判別するために、シート情報リスト中の今表示した情報の状態を表示洲に変更するためのシート情報リスト状態変更ステップと、
　前記シート情報全表示判別ステップによりネットワークデバイス情報を全表示したと判別した場合に、前記デバイス詳細ウィンドウの情報の表示を自動的に更新するかどうかを判別するための自動更新判別ステップと、
　前記自動更新判別ステップにより自動更新を行うと判別された場合に、自動更新用タイマを設定するための自動更新タイマ設定ステップと、
　前記自動更新タイマ設定ステップによって設定された自動更新タイマが切れたかどうかを判別するための自動更新タイマ監視ステップと、
　前記自動更新タイマ監視ステップにより監視している自動更新タイマが切れていない場合に、自動更新が停止されたかどうかを監視するための自動更新停止監視ステップと、
　を有することを特徴とするプログラムを格納したコンピュータで読み取り可能な記憶媒体。
　　【請求項２８】　請求項２５に記載の即時表示ステップとしては、
　現在保持しているシート情報リストに対して、以下のキャッシュ値有効判別ステップとネットワークデバイス情報表示ステップとシート情報リスト状態変更ステップの３ステップを施したかどうかを判別するためのシート情報リスト処理判別ステップと、
　前記シート情報リスト処理判別ステップによりシート情報リストすべてに対して本キャッシュ値有効判別ステップと以下のネットワークデバイス情報表示ステップとシート情報リスト状態変更ステップの２ステップを施していないと判別された場合に、前記のシート情報リスト中のある情報を以前に取得したことがあるかどうかを判別するためのキャッシュ値有効判別ステップと、
　前記キャッシュ値有効判別ステップによりある情報を以前に取得したことがあると判別された場合に、そのキャッシュ値を前記デバイス詳細ウィンドウ上に表示するためのネットワークデバイス情報表示ステップと、
　シート情報リスト中の今表示した情報の状態を表示済に変更するためのシート情報リスト状態変更ステップと、
　を有することを特徴とするネットワークデバイス制御方法、
　　【請求項２９】　請求項２６に記載の即時表示手段としては、
　現在保持しているシート情報リストに対して、以下のキャッシュ値有効判別手段とネットワークデバイス情報表示手段とシート情報リスト状態変更手段の３手段を施したかどうかを判別するためのシート情報リスト処理判別手段と、
　前記シート情報リスト処理判別手段によりシート情報リストすべてに対して本キャッシュ値有効判別手段と以下のネットワークデバイス情報表示手段とシート情報リスト状態変更手段の２手段を施していないと判別された場合に、前記のシート情報リスト中のある情報を以前に取得したことがあるかどうかを判別するためのキャッシュ値有効判別手段と、
　前記キャッシュ値有効判別手段によりある情報を以前に取得したことがあると判別された場合に、そのキャッシュ値を前記デバイス詳細ウィンドウ上に表示するためのネットワークデバイス情報表示手段と、
　シート情報リスト中の今表示した情報の状態を表示済に変更するためのシート情報リスト状態変更手段と、
　を有することを特徴とするネットワークデバイス制御装置。
　　【請求項３０】　請求項２７に記載の即時表示ステップとしては、
現在保持しているシート情報リストに対して、以下のキャッシュ値有効判別ステップとネットワークデバイス情報表示ステップとシート情報リスト状態変更ステップの３ステップを施したかどうかを判別するためのシート情報リスト処理判別ステップと、
　前記シート情報リスト処理判別ステップによりシート情報リストすべてに対して本キャッシュ値有効判別ステップと以下のネットワークデバイス情報表示ステップとシート情報リスト状態変更ステップの２ステップを施していないと判別された場合に、前記のシート情報リスト中のある情報を以前に取得したことがあるかどうかを判別するためのキャッシュ値有効判別ステップと、
　前記キャッシュ値有効判別ステップによりある情報を以前に取得したことがあると判別された場合に、そのキャッシュ値を前記デバイス詳細ウィンド上に表示するためのネットワークデバイス情報表示ステップと、
シート情報リスト中の今表示した情報の状態を表示済に変更するためのシート情報リスト状態変更ステップと、
　を有することを特徴とするプログラムを格納したコンピュータで読み収り可能な記憶媒体。
　　【請求項３１】　請求項７又は請求項２２に記載の情報取得ステップとしては、
　すべてのシート情報を表示したかどうかを判別するためのシート情報全表示判別ステップと、
　前記シート情報全表示判別ステップによりすべてのシート情報を表示していないと判別された場合に、キャッシュを保持しているかどうかを判別するためのネットワークデバイス情報保持判別ステップと、
　前記ネットワークデバイス情報保持判別ステップによりキャッシュを保持していると判別された場合に、シート情報を強制的に取得するかどうかを判別するためのシート情報強制取得判別ステップと、
　前記シート情報強制取得判別ステップにおいて、シート情報を強制的に取得すると判別された場合に、ネットワークデバイスの情報を取得するためのネットワークデバイス情報取得ステップと、
　前記ネットワークデバイス情報取得ステップによって新しく取得されたデバイス情報値とキャッシュ値とを比較するためのキャッシュ値比較ステップと、
　前記ネットワークデバイス情報保持判別ステップにより以前に取得したネットワークデバイス情報を保持していないと判別された場合と前記キャッシュ値比較ステップにより新しく取得されたデバイス情報値とキャッシュ値とを比較した結果、異なると判別された場合に、取得したネットワークデバイス情報をキャッシュ値として保持するためのキャッシュ値保持ステップと、
　前記キャッシュ値保持ステップにより保持されたキャッシュ値を前記デバイス詳細ウィンドウ上に表示するためのネットワークデバイス情報表示ステップと、
　前記シート情報全表示判別ステップでネットワークデバイス情報を全表示したかどうかを判別するために、シート情報リスト中の今表示した情報の状態を表示済に変更するためのシート情報リスト状態変更ステップと、
　前記シート情報全表示判別ステップによりネットワークデバイス情報を全表示したと判別した場合に、前記デバイス詳細ウィンドウの情報の表示を自動的に更新するかどうかを判別するための自動更新判別ステップと、
　前記自動更新判別ステップにより自動更新を行うと判別された場合に自動更新用タイマを設定するための自動更新タイマ設定ステップと、
　　前記自動更新タイマ設定ステップによって設定された自動更新タイマが切れたかどうかを判別するための自動更新タイマ監視ステップと、
　前記自動更新タイマ監視ステップにより監視している自動更新タイマが切れていない場合に、自動更新が停止されたかどうかを監視する自動更新停止監視ステップと、
　を有することを特徴とするネットワークデバイス制御方法。
　　【請求項３２】　請求項８又は請求項２３に記載の情報取得手段としては、
　すべてのシート情報を表示したかどうかを判別するためのシート情報全表示判別手段と、
　前記シート情報全表示判別手段によりすべてのシート情報を表示していないと判別された場合に、キャッシュを保持しているかどうかを判別するためのネットワークデバイス情報保持判別手段と、
　前記ネットワークデバイス情報保持判別手段によりキャッシュを保持していると判別された場合に、シート情報を強制的に取得するかどうかを判別するためのシート情報強制取得判別手段と、
　前記シート情報強制取得判別手段において、シート情報を強制的に取得すると判別された場合に、ネットワークデバイスの情報を取得するためのネットワークデバイス情報所得手段と、
　前記ネットワークデバイス情報取得手段によって新しく取得されたデバイス情報値とキャッシュ値とを比較するためのキャッシュ値比較手段と、
　前記ネットワークデバイス情報保持判別手段により以前に取得したネットワークデバイス情報を保持していないと判別された場合と前記キャッシュ値比較手段により新しく取得されたデバイス情報値とキャッシュ値とを比較した結果、異なると判別された場合に、取得したネットワークデバイス情報をキャッシュ値として保持するためのキャッシュ値保持手段と、
　前記キャッシュ値保持手段により保持されたキャッシュ値を前記デバイス詳細ウィンドウ上に表示するためのネットワークデバイス情報表示手段と、
　前記シート情報全表示判別手段でネットワークデバイス情報を全表示したかどうかを判別するために、シート情報リスト中の今表示した情報の状態を表示済に変更するためのシート情報リスト状態変更手段と、
　前記シート情報全表示判別手段によりネットワークデバイス情報を全表示したと判別した場合に、前記デバイス詳細ウィンドウの情報の表示を自動的に更新するかどうかを判別するための自動更新判別手段と、
　前記自動更新判別手段により自動更新を行うと判別された場合に自動更新用タイマを設定するための自動更新タイマ設定手段と、
　前記自動更新タイマ設定手段によって設定された自動更新タイマが切れたかどうかを判別するための自動更新タイマ監視手段と、
　前記自動更新タイマ監視手段により監視している自動更新タイマが切れていない場合に、自動更新が停止されたかどうかを監視する自動更新停止監視手段と、
　を有することを特徴とするネットワークデバイス制御装置。
　　【請求項３３】　請求項９又は請求項２４に記載の情報取得ステップとしては、
　すべてのシート情報を表示したかどうかを判別するためのシート情報全表示判別ステップと、
　前記シート情報全表示判別ステップによりすべてのシート情報を表示していないと判別された場合に、キャッシュを保持しているかどうかを判別するためのネットワークデバイス情報保持判別ステップと、
　前記ネットワークデバイス情報保持判別ステップによりキャッシュを保持していると判別された場合に、シート情報を強制的に取得するかどうかを判別するためのシート情報強制取得判別ステップと、
　前記シート情報強制取得判別ステップにおいて、シート情報を強制的に収得すると判別された場合に、ネットワークデバイスの情報を取得するためのネットワークデバイス情報取得ステップと、
　前記ネットワークデバイス情報取得ステップによって新しく取得されたデバイス情報値とキャッシュ値とを比較するためのキャッシュ値比較ステップと、
　前記ネットワークデバイス情報保持判別ステップにより以前に取得したネットワークデバイス情報を保持していないと判別された場合と前記キャッシュ値比較ステップにより新しく取得されたデバイス情報値とキャッシュ値とを比較した結果、異なると判別された場合に、取得したネットワークデバイス情報をキャッシュ値として保持するためのキャッシュ値保持ステップと、
　前記キャッシュ値保持ステップにより保持されたキャッシュ値を前記デバイス詳細ウィンドウ上に表示するためのネットワークデバイス情報表示ステップと、
　前記シート情報全表示判別ステップでネットワークデバイス情報を全表示したかどうかを判別するために、シート情報リスト中の今表示した情報の状態を表示済に変更するためのシート情報リスト状態変更ステップと、
　前記シート情報全表示判別ステップによりネットワークデバイス情報を全表示したと判別した場合に、前記デバイス詳細ウィンドウの情報の表示を自動的に更新するかどうかを判別するための自動更新判別ステップと、
　前記自動更新判別ステップにより自動更新を行うと判別された場合に自動更新用タイマを設定するための自動更新タイマ設定ステップと、
　前記自動更新タイマ設定ステップによって設定された自動更新タイマが切れたかどうかを判別するための自動更新タイマ監視ステップと、
　前記自動更新タイマ監視ステップにより監視している自動更新タイマが切れていない場合に、自動更新が停止されたかどうかを監視する自動更新停止監視ステップと、
　を有することを特徴とするプログラムを格納したコンピュータで読み取り可能な記憶媒体。
【発明の詳細な説明】
　　　【０００１】
　　【発明の属する技術分野】
　本発明はネットワーク管理ソフトウエアを含むネットワークデバイス制御装置及び方法に関する。
　　　【０００２】
　　【従来の技術】
　近年、コンピュータを相互に接続したローカルエリアネットワーク（ＬＡＮ）が普及しており、このような口ーカルエリアネットワークは、ビルの同じ階またはビル全体、ビル群（構内）、地域、あるいはさらに大きいエリアに亙って構築することができる。このようなネットワークは更に相互に接続され、世界的規模のネットワークにも接続することができる。このような相互接続されたＬＡＮのそれぞれは、多様なハードウェア相互接続技術といくつものネットワークプロトコルを持つ場合がある。
　　　【０００３】
　他と切り離された簡単なＬＡＮは個々のユーザが管理することができる。すなわち、ユーザが機器を取り替えたり、ソフトウェアをインストールしたり、問題点を診断したりすることができる。
　　　【０００４】
　しかし一方、規模の大きい複雑なＬＡＮや相互接続された大きなＬＡＮグループは「管理」を必要とする。この「管理」とは、人間であるネットワーク管理者と、その管理者が使用するソフトウェアの両方による管理を意味する。本願においては、［管理」とはシステム全体を管理するためのソフトウェアによる管理を意味し、「ユーザ」とはネットワーク管理ソフトウェアを使用する人を意味するものとする。このユーザは、通常、システム管理責任者である。そしてこのユーザは、ネットワーク管理ソフトウェアを使うことによって、ネットワーク上で管理データを得て、このデータを変更することができる。
　　　【０００５】
　大規模ネットワークシステムは、通常、機器の増設と除去、ソフトウェアの更新、及び問題の検出などを絶えず行うことが要求される動的システムである。一般に、様々な人が所有する、或は様々な業者から供給される様々なシステムが存在する。
　　　【０００６】
　このような大規模ネットワークシステムを構成するネットワーク上のデバイスを管理するための方法として、これまでにいくつかの試みが数多くの標準機関でなされている。国際標準化機構（ＩＳＯ）は開放型システム間相互接続（Ｏｐｅｎ　Ｓｙｓｔｅｍ　Ｉｎｔｅｒｃｏｎｎｅｃｔｉｏｎ，　ＯＳＩ）モデルと呼ばれる汎用基準フレームワークを提供した。ネットワーク管理プロトコルのＯＳＩモデルは、共通管理情報プロトコル（Ｃｏｍｍｏｎ　Ｍａｎａｇｅｍｅｎｔ　Ｉｎｆｏｒｍａｔｉｏｎ　Ｐｒｏｔｏｃｏｌ，ＣＭＩＰ）と呼ばれる。ＣＭＩＰはヨーロッパの共通ネットワーク管理プロトコルである。
　　　【０００７】
　また米国においては、より共通性の高いネットワーク管理プロトコルとして、簡易ネットワーク管理プロトコル（Ｓｉｍｐｌｅ　Ｎｅｔｗｏｒｋ　Ｍａｎａｇｍｅｎｔ　Ｐｒｏｔｏｃｏｌ，ＳＮＭＰ）と呼ばれるＣＭＩＰに関連する一変種のプロトコルがある。（「ＴＣＰ／ＩＰネットワーク管理入門実用的な管理をめざして」Ｍ．Ｔ．ローズ＝著／西田竹志＝訳（株）トッパン発行１９９２年８月２０日初版を参照）。
　　　【０００８】
　このＳＮＭＰネットワーク管理技術によれば、ネットワーク管理システムには少なくとも１つのネットワーク管理ステーション（ＮＭＳ）、各々がエージェントを含むいくつかの管理対象ノード、及び管理ステーションやエージェントが管理情報を交換するために使用するネットワーク管理プロトコルが含まれる。ユーザは、ＮＭＳ上でネットワーク管理ソフトウェアを用いて管理対象ノード上のエージェントソフトウェアと通信することにより、ネットワーク上のデータを得、またデータを変更することができる。
　　　【０００９】
　ここでエージェントとは、各々のターゲット装置についてのバックラウンドプロセスとして走るソフトウェアである。ユーザがネットワーク上の装置に対して管理データを要求すると、管理ソフトウェアはオブジェクト識別情報を管理パケットまたはフレームに入れてターゲットエージェントへ送り出す。エージェントは、そのオブジェクト識別情報を解釈して、そのオブジェクト識別情報に対応するデータを取り出し、そのデータをパケットに入れてユーザに送り返す。時には、データを取り出すために対応するプロセスが呼び出される場合もある。
　　　【００１０】
　またエージェントは、自分の状態に関するデータをデータベースの形式で保持している。このデータベースのことを、ＭＩＢ（Ｍａｎａｇｅｍｅｎｔ　Ｉｎｆｏｒｍａｔｉｏｎ　Ｂａｓｅ）と呼ぶ。図４は、ＭＩＢの構造を示す概念図である。図４に示すように、ＭＩＢは木構造のデータ構造をしており、全てのノードが一意に番号付けされている。図４において、かっこ内に書かれている番号が、そのノードの識別子である。例えば、図４において、ノード４０１の識別子は「１」である。ノード４０２の識別子は、ノード４０１の下の「３」なので、「１・３」と表記される。同様にして、ノード４０３の識別子は、「１・３・６・１・２」と表記される。このノードの識別子のことを、オブジェクト識別子（ＯＢＪＥＣＴ　ＩＤＥＮＴＩＦＩＥＲ）と呼ぶ。
　　　【００１１】
　このＭＩＢの構造は、管理情報構造（ＳＭＩ：Ｓｔｒｕｃｔｕｒｅ　ｏｆ　Ｍａｎａｇｅｍｅｎｔ　Ｉｎｆｏｒｍａｔｉｏｎ）と呼ばれ、ＲＦＣ１１５５　Ｓｔｒｕｃｔｕｒｅ　ａｎｄ　Ｉｄｅｎｔｉｆｉｃａｔｉｏｎ　ｏｆ　Ｍａｎａｇｅｍｅｎｔ　Ｉｎｆｏｒｍａｔｉｏｎ　ｆｏｒ　ＴＣＰ／ＩＰ−ｂａｓｅｄ　Ｉｎｔｅｒｎｅｔｓで規定されている。
　　　【００１２】
　図４には、標準として規定されているＭＩＢのうち、一部のもののみを抜き出して記載してある。
　　　【００１３】
　４０４は、ＳＮＭＰで管理される機器が標準的に備えている標準ＭＩＢと呼ばれるオブジェクト群の頂点になるノードであり、このノードの下のオブジェクトの詳細な構造については、ＲＦＣ１２１３　Ｍａｎａｇｅｍｅｎｔ　Ｉｎｆｏｒｍａｔｉｏｎ　Ｂａｓｅ　ｆｏｒ　Ｎｅｔｗｏｒｋ　Ｍａｎａｇｅｍｅｎｔ　ｏｆ　ＴＣＰ／ＩＰ−ｂａｓｅｄ　ｉｎｔｅｒｎｅｔｓ：ＭＩＢ−ＩＩに規定されている。４０５は、ＳＮＭＰで管理されるプリンタが標準的に備えているプリンタＭＩＢと呼ばれるオブジェクト群の頂点になるノードであり、このノードの下のオブジェクトの詳細な構造については、ＲＦＣ　１７５９　Ｐｒｉｎｔｅｒ　ＭＩＢで規定されている。更に、４０６はプライベートＭＩＢと呼ばれ、企業や団体などが独自のＭＩＢ定義を行うための頂点となるノードである。４０７は企業拡張ＭＩＢと呼ばれ、プライベートＭＩＢの中で企業が独自の拡張を行うための頂点となるノードである。キヤノン株式会社には、独自の定義を行うために企業番号として「１６０２」が割り当てられており、キヤノン独自のＭＩＢであるキヤノンＭＩＢ（Ｃａｎｏｎ　ＭＩＢ）を定義するための頂点ノード４０８が、企業を意味するノードであるノード４０７の下に位置している。キヤノンＭＩＢの頂点ノードのオブジェクト識別子は、「１・３・６・１・４・１・１６０２」である。
　　　【００１４】
　　【発明が解決しようとする課題】
　ところで、ネットワーク管理ソフトウェアの起動時に、このネットワーク管理ソフトウェアで管理しているすべてのＭＩＢのオブジェクトを取得すると、大量のＳＮＭＰパケットがほぼ同じにＬＡＮ上に流れることになり、回線の負荷が大きくなると同時に、そのＳＮＭＰパケットを処理するプリンタおよびネットワークボードにも大変な負荷をかけることになる。
　　　【００１５】
　また、負荷の増大につれ、ネットワーク管理ソフトウェアの起動（最初の画面表示）にも時間がかかることになり、ユーザがストレスを感じるようになる。
　　　【００１６】
　本発明はかかる問題に鑑みなされたものであり、ネットワーク管理ソフトウェアの起動時に、このネットワーク管理ソフトウェアで管理しているすべてのＭＩＢのオブジェクトを同時に取得せず、そのため、大量のＳＮＭＰパケットがほぼ同じにＬＡＮ上に流れることがなくし、回線の負荷が小さくするとともに、そのＳＮＭＰパケットを処理するプリンタ等のデバイスおよびネットワークボードヘの負荷も小さくすることを可能にするネットワークデバイス制御装置及び方法を提供しようとするものである。
　　　【００１７】
　また、ＬＡＮ、プリンタおよびネットワークボードの負荷が小さくすることにより、ネットワーク管理ソフトウェアの起動（最初の画面表示）時間が、飛躍的に短くなり、ユーザに快適な操作環境を与えることができるネットワークデバイス制御装置及び方法を提供しようとするものである。
　　　【００１８】
　　【課題を解決するための手段】
　上記課題を達成するため、例えば本発明のネットワークデバイス制御方法は以下の構成を備える。すなわち、
　個々のネットワーク周辺機器に対して１対１に割り当てられ、
選択された
当該選択されたネットワークデバイスに関する
前記デバイス詳細ウインドウ内に
　ユーザから別種類のシート情報の表示を求める入力があったことが判明したとき、当該別
種類の
前記選択されたネットワークデバイスから
当該別種類のシート情報を
内に
　　　【００１９】
　また、本発明の好適な実施形態に従えば、ネットワークプリンタ制御プログラム製品は以下の工程を備える。すなわち、
　現在ネットワークに接続されているネットワーク周辺機器の一覧をアイコン表示するためのウィンドウを持つネットワークプリンタ制御プログラム製品であって、個々のネットワーク周辺機器に対して１対１に割り当てられる、ネットワーク周辺機器を管理・制御するためのウィンドウ（以後、デバイス詳細ウィンドウと呼ぶ）を開くためのデバイス詳細ウィンドウオープンステップと、上記デバイス詳細ウィンドウオープンステップによって開かれたデバイス詳細ウィンドウの初期画面に表示するための情報（以後、初期シート情報と呼ぶ）を取得し、表示するための初期シート情報取得・表示ステップと、上記デバイス詳細ウィンドウオープンステップによって開かれたデバイス詳細ウィンドウに対して、ユーザが閉じるための入力を行ったかどうかを判別するためのデバイス詳細ウィンドウクローズ判別ステップと、上記デバイス詳細ウィンドウクローズ判別ステップによって、ユーザが閉じるための入力を行っていないことを判別した後、上記デバイス詳細ウィンドウオープンステップによって開かれたデバイス詳細ウィンドウに対して、ユーザから別種類のシート情報の表示を求めるための入力があったかどうかを判別するためのシート切り替え要求判別ステップと、上記シート切り替え要求判別ステップによって、ユーザから別種類のシート情報（以後、別シート情報と呼ぶ）の表示を求めるための入力があったことが判明したとき、別シート情報を取得し、上記デバイス詳細ウィンドウオープンステップによって開かれたデバイス詳細ウィンドウに表示するための別シート情報取得・表示ステップと、上記デバイス詳細ウィンドウクローズ判別ステップによって、ユーザが閉じるための入力を行ったことが判別した後、上記デバイス詳細ウィンドウを閉じるためのデバイス詳細ウィンドウクローズステップに対応するプログラムを格納する。
　　　【００２０】
　　【発明の実施の形態】
　以下、添付図面に従って本発明に係る実施形態を詳細に説明する。
　　　【００２１】
　先ず、本発明の実施形態が適用しようとする管理が必要な大規模ネットワークについて説明する。
　　　【００２２】
　図１は、プリンタをネットワークに接続するためのネットワークボード（ＮＢ）１０１を、開放型アーキテクチャを持つプリンタ１０２へつなげた場合を示す図である。ＮＢ１０１はローカルエリアネットワーク（ＬＡＮ）１００へ、例えば、同軸コネクタをもつＥｔｈｅｒｎｅｔインターフェース１０Ｂａｓｅ−２や、ＲＪ−４５を持つ１０Ｂａｓｅ−Ｔ等のＬＡＮインターフェースを介して接続されている。
　　　【００２３】
　ＰＣｌ０３やＰＣ１０４等の複数のパーソナルコンピュ一タ（ＰＣ）もまた、ＬＡＮ１００に接続されており、ネットワークオペレーティングシステムの制御の下、これらのＰＣ１０３，１０４はＮＢ１０１と通信することができる。この状態で、ＰＣの一つ、例えばＰＣ１０３を、ネットワーク管理部として使用するように指定することができる。またＰＣ１０３に、ＰＣ１０４に接続されているプリンタ１０５のようなプリンタを接続してもよい。
　　　【００２４】
　また、ＬＡＮ１００にファイルサーバ１０６が接続されており、これは大容量（例えば１００億バイト）のネットワークディスク１０７に記憶されたファイルヘのアクセスを情理する。プリントサーバ１０８は、接続されたプリンタ１０９ａ及び１０９ｂ、又は遠隔地にあるプリンタ１０５などのプリンタに印刷を行わせる。また他の図示しない周辺機器をＬＡＮｌ００に接続してもよい。
　　　【００２５】
　更に、詳しくは、図１に示すネットワークは、様々なネットワークメンバ間で効率良く通信を行うために、ＮｏｖｅｌｌやＵＮＩＸのソフトウェアなどのネットワークソフトウェアを使用することができる。どのネットワークソフトウエアを使用することも可能であるが、例えば、Ｎｏｖｅｌｌ社のＮｅｔＷａｒｅ（Ｎｏｖｅｌｌ社の登録商標。以下省略）ソフトウエアを使用することができる。このソフトウエアパッケージに関する詳細な説明は、ＮｅｔＷａｒｅパッケージに同梱されているオンラインドキュメンテーションを参照のこと。これは、Ｎｏｖｅｌｌ社からＮｅｔＷａｒｅパッケージとともに購入可能である。
　　　【００２６】
　図１の構成について簡潔に説明すると、ファイルサーバ１０６は、ＬＡＮメンバ間でデータのファイルの受信や、記憶、キューイング、キャッシング、及び送信を行うファイル管理部としての役割を果たす。例えば、ＰＣ１０３及びＰＣｌ０４のそれぞれによって作られたデータファイルは、ファイルサーバ１０６へ送られ、ファイルサーバ１０６はこれらのデータファイルを順に並べ、そしてプリントサーバ１０８から０のコマンドに従って、並べられたデータファイルをプリンタ１０９ａへ送信する。
　　　【００２７】
　またＰＣ１０３とＰＣ１０４はそれぞれ、データファイルの生成や、生成したデータファイルのＬＡＮ１００への送信や、また、ＬＡＮ１００からのファイルの受信や、更にそのようなファイルの表示及び／又は処理を行うことのできる通常のＰＣで構成される。尚、図１ではパーソナルコンピュータ機器が示されているが、ネットワークソフトウエアを実行するのに適切であるような、他のコンピュータ機器を含んでもよい。例えば、ＵＮＩＸのソフトウエアを使用している場合に、ＵＮＩＸワークステーションをネットワークに含んでもよく、これらのワークステーションは、適切な状況下で、図示されているＰＣと共に使用することができる。
　　　【００２８】
　通常、ＬＡＮ１００などのＬＡＮは、一つの建物内の一つの階又は連続した複数の階でのユーザグループ等の、幾分ローカルなユーザグループにサービスを提供する。例えば、ユーザが他の建物や他県にいるなど、あるユーザが他のユーザから離れるに従って、ワイドエリアネットワーク（ＷＡＮ）を作ってもよい。ＷＡＮは、基本的には、いくつかのＬＡＮを高速度サービス総合デジタルネットワーク（ＩＳＤＮ）電話線等の高速度デジタルラインで接続して形成された集合体である。従って、図１に示すように、ＬＡＮ１００と、ＬＡＮ１１０と、ＬＡＮ１２０とは変調／復調（ＭＯＤＥＭ）／トランスポンダ１３０及びバックボーン１４０を介して接続されてＷＡＮを形成する。これらの接続は、数本のバスによる単純な電気的接続である。それぞれのＬＡＮは専用のＰＣを含み、また、必ずしも必要なわけではないが、通常はファイルサーバ及びプリントサーバを含む。
　　　【００２９】
　従って図１に示すように、ＬＡＮ１１０は、ＰＣ１１１と、ＰＣ１１２と、ファイルサーバ１１３と、ネットワークディスク１１４と、プリントサーバ１１５と、プリンタ１１６及びプリンタ１１７とを含む。対照的に、ＬＡＮ１２０はＰＣ１２１とＰＣ１２２のみを含む。ＬＡＮ１００と、ＬＡＮｌ１０と、ＬＡＮ１２０とに接続されている機器は、ＷＡＮ接続を介して、他のＬＡＮの機器の機能にアクセスすることができる。
　　　【００３０】
　＜＜ネットワークボード上へのエージェントの実装＞＞
　エージェントの実装例として、プリンタをネットワークに接続するためのネットワークボード上にエージェントを実装することが考えられる。これにより、プリンタをネットワーク管理ソフトウェアによる管理の対象とすることができる。ユーザは、ネットワーク管理ソフトウェアを用いて制御対象のプリンタの情報を得、また状態を変更することができる。より具体的には、例えばプリンタの液晶ディスプレイに表示されている文字列を取得したり、デフォルトの給紙カセットを変更したりすることができる。以下、エージェントを実装したネットワークボード（ＮＢ）をプリンタに接続する例で説明する。
　　　【００３１】
　図２に示すように、好ましくは、ＮＢ１０１は、プリンタ１０２の内部拡張Ｉ／Ｏスロットに内戚されており、ＮＢ１０１は、下に示す処理及びデータ記憶機能を持つ「埋め込まれた」ネットワークノードとなる。このＮＢ１０１の構成により、大きなマルチエリアＬＡＮネットワークを統括及び管理するための、特徴的な補助機能を持つという利点をもたらす。これらの補助機能は、例えば、ネットワーク上の遠隔地（ネットワーク統括者の事務所など）からのプリンタ制御及び状態観察や、各印刷ジョブ後の次のユーザのための保証初期環境を提供するためのプリンタ構成の自動管理、及びプリンタの負荷量を特徴付け、あるいはトナーカートリッジの交換スケジュールを組むためにネットワークを通してアクセスできる、プリンタログ又は使用統計を含む。
　　　【００３２】
　このＮＢ設計において重要な要因は、共有メモリ２００等の両方向インターフェースを介して、ＮＢ１０１からプリンタ制御状態にアクセスする機能である。共有メモリ以外に、ＳＣＳＩインターフェース等のインターフェースを使用することもできる。これにより、多数の便利な補助機能のプログラムができるように、プリンタ操作情報をＮＢ１０１又は外部ネットワークノードへ送出することができる。印刷画像データ及び制御情報のブロックは、ＮＢ１０１上にあるマイクロプロセッサ３０１によって構成され、共有メモリ２００に記述され、そして、プリンタ１０２によって読み込まれる。同様に、プリンタ状態情報は、プリンタ１０２から共有メモリ２００へ送られ、そこからＮＢ上のマイクロプロセッサ３０１によって読み込まれる。
　　　【００３３】
　図２は、ＮＢ１０１をプリンタ１０２にインストールした状態を示す一部破断図である。図２に示すように、ＮＢ１０１はネットワーク接続の為のフェースプレート１０１ｂを設置した印刷回路ボード１０１ａから構成されており、コネクタ１７０を介してプリンタインターフェースカード１５０に接続されている。プリンタインターフェースカード１５０は、プリンタ１０２のプリンタエンジンを直接制御する。印刷データ及びプリンタ状態コマンドは、ＮＢ１０１からコネクタ１７０を介して、プリンタインターフェースカード１５０へ入力され、また、プリンタ状態情報はプリンタインターフェースカード１５０からやはりコネクター１７０を介して得られる。ＮＢ１０１はこの情報を、フェースプレート１０１ｂのネットワークコネクタを介して、ＬＡＮ１００上で通信する。同時に、プリンタ１０２は、シリアルポート１０２ａ及びパラレルポート１０２ｂ等から、印刷データを受信することもできる。
　　　【００３４】
　図３は、ＮＢ１０１とプリンタ１０２とＬＡＮ１００との電気的接続を示すブロック図である。ＮＢ１０１は、ＬＡＮ１００へはＬＡＮインターフェースを介して、プリンタ１０２へはプリンタインターフェースカード１５０を介して直接接続されている。ＮＢ１０１上にはＮＢ１０１を制御するためのマイクロプロセッサ３０１と、マイクロプロセッサ３０１の動作プログラムを格納するためのＲＯＭ３０３と、マイクロプロセッサ３０１がプログラムを実行する上でワークとして用いるためのＲＡＭ３０２と、ＮＢ１０１とプリンタインタフェースカード１５０とが相互にデータをやりとりするための共有メモリ２００があり、これらは内部バスを通じて相互に接続されている。ＮＢ１０１がＳＮＭＰのエージェントとして動作するためのプログラムはＲＯＭ３０３に格納されている。マイクロプロセッサ３０１は、ＲＯＭ３０３に格納されたプログラムに従って動作し、ワークエリアとしてＲＡＭ３０２を用いる。また、プリンタインターフェースカード１５０と相互に通信するためのバッファ領域として共有メモリ２００を用いる。
　　　【００３５】
　プリンタインタフェースカード１５０上のマイクロプロセッサ１５１はＮＢ１０１とのデータのアクセスを、ＮＢ１０１に設置されている共有メモリ２００を介して行う。プリンタインタフェースカード１５０上のマイクロプロセッサ１５１は、実際に印刷機構を動かすプリンタエンジン１６０とも通信する。
　　　【００３６】
　＜＜ＰＣ側の構成＞＞
　一方、ネットワーク情理ソフトウェアが稼動するＰＣ側について、以下に説明する。
　　　【００３７】
　図５は、ネットワーク管理ソフトウェアが稼動可能なＰＣの構成を示すブロック図である。
　　　【００３８】
　図５において、５００は、ネットワーク管理ソフトウェアが稼動するＰＣであり、図１における１０３と同等である。ＰＣ５００は、ＲＯＭ５０２もしくはハードディスク〈ＨＤ）５１１に記憶された、あるいはフロッピーディスクドライブ（ＦＤ）５１２より供給されるネットワーク管理プログラムを実行するＣＰＵ５０１を備え、システムバス５０４に接続される各デバイスを総括的に制御する。５０３はＲＡＭで、ＣＰＵ５０１の主メモリ、ワークエリア等として機能する。５０５はキーボードコントローラ（ＫＢＣ）で、キーボード（ＫＢ）５０９や不図示のポインティングデバイス等からの指示入力を制御する。５０６はＣＲＴコントローラ（ＣＲＴＣ）で、ＣＲＴディスプレイ（ＣＲＴ）５１０の表示を制御する。５０７はディスクコントローラ（ＤＫＣ）で、ブートプログラム、種々のアプリケーション、編集ファイル、ユーザファイルそしてネットワーク管理プログラム等を記憶するハードディスク（ＨＤ）５１１およびフロッピーディスクコントローラ（ＦＤ）５１２とのアクセスを制御する。５０８はネットワークインタフェースカード（ＮＩＣ）で、ＬＡＮ１００を介して、エージェントあるいはネットワーク機器と双方向にデータをやりとりする。
　　　【００３９】
　次に、図１に示すような大規模ネットワークシステムにおいて、　パーソナルコンピュータ（以下、ＰＣ）上で稼動するネットワーク管理ソフトウェアが、管理対象のプリンタ（例えば、プリンタ）を管理する場合について、より詳細に述べる。
　　　【００４０】
　図１５０は、ユーザがネットワーク管理ソフトウェアを起動し、管理したいプリンタを選択した時に、ネットワーク管理ソフトウェアが行っていた動作である。
　　　【００４１】
　まず、ウインドウズ９５（米国マイクロソフトウェア社が提供するＯＳ、以下省略）においては、［スタート］ボタンをクリックし、［ファイル名を指定して実行］を選択した後、ファイル名を指定してネットワーク管理ソフトウェアを起動すると、ステップＳ１５００１によりこのネットワーク管理ソフトウェアで管理しているすべてのＭＩＢのオブジェクトのリストを作成する。
　　　【００４２】
　ステップＳ１５００２では、ステップＳ１５００１で作成したリストのすべてのオブジェクト情報を取得し終わったかどうかを判断する。
　　　【００４３】
　もし、すべてのオブジェクト情報を取得し終わったならば、ステップＳ１５００３により、このネットワーク管理ソフトウェアの初期画面を表示し、本フローチャートを終了する。
　　　【００４４】
　もし、ステップＳ１５００２において、すべてのオブジェクト情報を取得し終わっていないならば、ステップＳ１５１００において、プリンタの情報を取得し、ステップＳ１５００２に戻る。
　　　【００４５】
　ステップＳ１５１００は、図１５１において詳細に説明される。
　　　【００４６】
　ます、ステップＳ１５１０１は、ステップＳ１５００１で作成されたＭＩＢのオブジェクトのリストのうちのいくつかを、ＳＮＭＰを用いてプリンタおよびネットワークボードに問い合わせる。すると、そのプリンタおよびネットワークボード、問い合わせられたＭＩＢのオブジェクトの値を、ＳＮＭＰにより、ＰＣ上で稼動しているネットワーク管理ソフトウェアに返す。
　　　【００４７】
　ステップＳ１５１０２では、ＳＮＭＰの通信が正常に行われたかを判断し、もし、正常に行われなかったならば、再びプリンタおよびネットワークボードにＳＮＭＰを用いてＭＩＢのオブジェクトを問い合わせる。正常に行われたならば、本フローチャートは終了する。
　　　【００４８】
　ところが、上記のようにしても、ネットワーク管理ソフトウェアの起動侍に、このネットワーク管理ソフトウェアで管理しているすべてのＭＩＢのオブジェクトを収得すると、大量のＳＮＭＰパケットがＬＡＮ上に流れることになり、回線の負荷が大きくなると同時に、そのＳＮＭＰパケットを処理するプリンタおよびネットワークボードにも大変な負荷をかけることがわたかった。
　　　【００４９】
　そこで、本実施形態では、ネットワーク管理ソフトウェアの起動時に、このネットワーク管理ソフトウェアで管理しているすべてのＭＩＢのオブジェクトを同時に取得せず、そのため、大量のＳＮＭＰパケットがほぼ同じにＬＡＮ上に流れることがなくし、回線の負荷が小さくするとともに、そのＳＮＭＰパケットを処理するプリンタ等のデバイスおよびネットワークボードヘの負荷も小さくする。
　　　【００５０】
　＜＜ネットワーク管理ソフトウェアのモジュール構成＞＞
　実施形態におけるネットワーク管理ソフトウェアの構成について説明する。
　　　【００５１】
　本実施形態のネットワーク管理装置は、図５に示したようなネットワーク管理装置を実現可能なＰＣと同様の構成のＰＣ上に実現される。ハードディスク（ＨＤ）５１１には、後述のすべての説明で動作主体となる本実施の形態にに係るネットワーク管理ソフトウェアのプログラムが格納される。後述のすべての説明において、特に断りのない限り、実行の主体はハード上はＣＰＵ５０１である。一方、ソフトウェア上の制御の主体は、ハードディスク（ＨＤ）５１１に格納されたネットワーク管理ソフトウェアである。また本実施の形態においては、ＯＳは例えば、ウインドウズ９５（マイクロソフト社製）を想定しているが、これに限るものではない。なお、本実施の形態に係るネットワーク管理プログラムは、フロッピーディスクやＣＤ−ＲＯＭなどの記憶媒体に格納された形で供給されても良く、その場合には図５に示すフロッピーディスクコントローラ（ＦＤ）５１２または不図示のＣＤ−ＲＯＭドライブなどによって記憶媒体からプログラムが読み取られ、ハードディスク（ＨＤ）５１１にインストールされる。
　　　【００５２】
　図６は、本発明の実施の形態に係るネットワーク管理ソフトウェアのモジュール構成図である。このネットワーク管理ソフトウェアは、図５におけるハードディスク５１１に格納されており、ＣＰＵ５０１によって実行される。その際、ＣＰＵ５０１はワークエリアとしてＲＡＭ５０３を使用する。
　　　【００５３】
　図６において、６０１はデバイスリストモジュールと呼ばれ、ネットワークに接続されたデバイスを一覧にして表示するモジュールである（一覧表示の様子については、図１５を参照して後述する）。６０２は全体制御モジュールと呼ばれ、デバイスリストからの指示をもとに、他のモジュールを統括する。６０３はコンフィグレータと呼ばれ、エージェントのネットワーク設定に関する特別な処理を行うモジュールである。６０４は、探索モジュールと呼ばれ、ネットワークに接続されているデバイスを探索するモジュールである。探索モジュール６０４によって探索されたデバイスが、デバイスリスト６０１によって一覧表示される。６０５は、プリントジョブの状況をＮｅｔＷａｒｅ　ＡＰＩ６１６を用いてネットワークサーバから取得するＮｅｔＷａｒｅジョブモジュールである。（なお、ＮｅｔＷａｒｅ　ＡＰＩについては、例えばＮｏｖｅｌｌ社から発行されている”ＮｅｔＷａｒｅ　Ｐｒｏｇｒａｍｍｅｒ’ｓ　Ｇｕｉｄｅ　ｆｏｒ　Ｃ”等を参照。この書籍はノベル株式会社から購入可能である）。６０６および６０７は後述するデバイス詳細ウィンドウを表示するためのＵＩモジュールであり、詳細情報を表示する対象機種毎にＵＩモジュールが存在する。６０８および６０９は制御モジュールと呼ばれ、詳細情報を取得する対象機種に特有の制御を受け持つモジュールである。ＵＩモジュールと同様に、制御モジュールも詳細情報を表示する対象機種毎に存在する。制御Ａモジュール６０８および制御Ｂモジュール６０９は、ＭＩＢモジュール６１０を用いて管理対象デバイスからＭＩＢデータを取得し、必要に応じてデータの変換を行い、各々対応するＵＩ　Ａモジュール６０６またはＵＩ　Ｂモジュール６０７にデータを渡す。
　　　【００５４】
　さて、ＭＩＢモジュール６１０は、オブジェクト識別子とオブジェクトキーとの変換を行うモジュールである。ここでオブジェクトキーとは、オブジェクト識別子と一対一に対応する３２ビットの整数のことである。オブジェクト識別子は可変長の識別子であり、ネットワーク管理ソフトウェアを実装する上で扱いが毎倒なので、本願に係るネットワーク管理ソフトウェアにおいてはオブジェクト識別子と一対一に対応する固定長の識別子を内部的に用いている。ＭＩＢモジュール６１０より上位のモジュールはこのオブジェクトキーを用いてＭＩＢの情報を扱う。これにより、ネットワーク管理ソフトウェアの実装が楽になる。
　　　【００５５】
　６１１はＳＮＭＰモジュールと呼ばれ、ＳＮＭＰパケットの送信と受信を行う。６１２は共通トランスポートモジュールと呼ばれ、ＳＮＭＰデータを運搬するための下位プロトコルの差を吸収するモジュールである。実際には、動作時にユーザが選択したプロトコルによって、ＩＰＸハンドラ６１３かＵＤＰハンドラ６１４のいずれかがデータを転送する役割を担う。なお、ＵＤＰハンドラは、実装としてＷｉｎＳｏｃｋ６１７を用いている。（ＷｉｎＳｏｃｋについては、例えばＷｉｎｄｏｗｓ　Ｓｏｃｋｅｔ　ＡＰＩ　ｖ１．１の仕様書を参照。このドキュメントは、複数箇所から入手可能であるが、例えばマイクロソフト社製のコンパイラであるＶｉｓｕａｌ　Ｃ＋＋に同梱されている）。コンフィグレータ６０３が用いる現在のプロトコル６１５というのは、動作時にユーザが選択しているＩＰＸプロトコルかＵＤＰプロトコルのいすれかのことを示す。なお、以下の説明において、本願に係るネットワーク管理ソフトウェアのことを「ＮｅｔＳｐｏｔ」と呼称する。
　　　【００５６】
　＜＜ＮｅｔＳｐｏｔのインストール＞＞
　ＮｅｔＳｐｏｔのインストールに必要なファイルは、通常、フロッピーディスク（ＦＤ）やＣＤ−Ｒ０Ｍなどの物理媒体に記録されて配布されるか、あるいはネットワークを経由して伝送される。ユーザは、これらの手段によりＮｅｔＳｐｏｔのインストールに必要なファイルを入手した後、所定のインストール手順に従ってＮｅｔＳｐｏｔのインストールを開始する。このＮｅｔＳｐｏｔのインストール手順は、他の一般的なソフトウェアのインストール手順と同様である。すなわち、ユーザがＮｅｔＳｐｏｔのインストーラをパーソナルコンピュータ（ＰＣ）上で起動すると、その後はインストーラが自動的にインストールを実行する。インストーラは、ＮｅｔＳｐｏｔの動作に必要なファイルをＰＣのハードディスクにコピーし、また、必要に応じてユーザから情報を入力してもらいながら、ＮｅｔＳｐｏｔの動作に必要なファイルの修正または新規作成なども行う。
　　　【００５７】
　このＮｅｔＳｐｏｔのインストール時にユーザから入力してもらう情報には、以下に述べる２種数の動作モード（管理者モードと一般ユーザモード）の選択が含まれる。
　　　【００５８】
　＜＜ＮｅｔＳｐｏｔの動作モード＞＞
　ＮｅｔＳｐｏｔは、以下のように管理者モードと一般ユーザモードの２種類の動作モードを持つ。ユーザはＮｅｔＳｐｏｔのインストール時に、これらの動作モードのどちらを使用するかを指定する。ユーザがＮｅｔＳｐｏｔの動作モードを変更するためには、原則的にＮｅｔＳｐｏｔをインストールし直す必要がある。
　　　【００５９】
　管理者モード：　　特定の権限を持つユーザ（例えば、ネットワーク管理者やネットワーク周辺機器管理者）が使用するモード。
　　　【００６０】
　一般ユーザモード：　特定の権限を持たない一般ユーザが使用するモード。
　　　【００６１】
　一般ユーザモードでサポートしている機能は、管理者モードでサポートしている機能に制限を加えたものである。つまり、一般ユ一ザモードでサポートしている幾能は、管理者モードでサポートしている機能の一部分に相当する。
　　　【００６２】
　ＮｅｔＳｐｏｔがサポートしている機能の一覧を、管理者モードと一般ユーザモードの各々について、以下に列挙する。
［管理者モード機能］
（１）デバイスリスト表示ウィンドウ
・ネットワークに接続されたデバイスの一覧表示
・デバイス毎の情報表示
・ツールバー表示
・ステータスバー表示
（２）デバイスリスト表示ウィンドウメニュー
・デバイス詳細ウィンドウ表示メニュー
・デバイス新規追加メニュー
・プリンタドライバインストールメニュー
・ＮｅｔＳｐｏｔの終了
・表示選択メニュー
・アイコン整列表示メニュー
・最新情報表示メニュー
・表示オプションメニュー
・プロトコル選択メニュー
・エラー通知方法選択メニュー
・デバイス検索範囲設定メニュー
・デバイス表示設定メニュー
・表示自動更新設定メニュー
・ＮｅｔＷａｒｅサーバメニュー
・パスワード変更メニュー
・ヘルプメニュー
・バージョン情報表示メニュー
（３）デバイス詳細ウィンドウメニュー
・プリンタ制御
・ネットワークインタフェースボード制御
・デバイス詳細ウィンドウの終了
・表示メニュー
・トラップ通知条件設定メニュー
・表示自動更新設定メニュー
・プリンタ情報設定メニュー
・管理者情報設定メニュー
・プリンタ環境設定メニュー
・プロトコル設定メニュー
・デバイスパスワード変更メニュー
・共通ユーティリティメニュー
・へルプメニュー
・バージョン情報表示メニュー
（４）エラーポップアップウィンドウ
・デバイスで発生したエラーの通知
（５）状態（Ｓｔａｔｕｓ）シート
・プリンタ外観のビットマップ表示
・操作パネルの状態表示
・給紙部の状態表示
・排紙部の状態表示
・エラー情報表示
・エラーに対するオンラインヘルプ表示
・エラー回復操作
（６）プリンタ環境設定ダイアログボックス
・プリンタ給排紙部設定
・共通プリント環境基本設定
・共通プリント環境拡張設定
・印字調整設定
・プリント動作モード設定
・ＬＩＰＳ専用プリント環境基本設定
・ＬＩＰＳ専用プリント環境拡張設定
・ＬＩＰＳ専用ユーティリティ
・Ｎ２０１専用プリント環境基本設定
・Ｎ２０１専用プリント環境拡張１設定
・Ｎ２０１専用プリント環境拡張２設定＊＊
・Ｎ２０１エ専用ユーティリティ
・ＥＳＣ／Ｐ専用プリント環境基本設定
・ＥＳＣ／Ｐ専用プリント環境拡張１設定
・ＥＳＣ／Ｐ専用プリント環境拡張２設定＊＊
・ＥＳＣ／Ｐ専用ユーティリティ
（＊＊はオプション装着時のみ）
（７）ジョブ（Ｊｏｂｓ）シート
・すべてのジョブのモニタリング
・ログインユーザ自身が所有するジョブの実行制御
・すべてのジョブの実行制御（Ｓｕｐｅｒｖｉｓｏｒのみ）
・プリンタキュー設定の変更
（８）情報（ｌｎｆｏｒｍａｔｉｏｎ）シート
・プリンタ情報表示
・環境設定情報表示
・管理者情報表示
（９）ネットワーク（Ｎｅｔｗｏｒｋ）シート
・ネットワークインタフェースボード情報表示
・ＮｅｔＷａｒｅ情報表示
・ＴＣＰ／ＩＰ情報表示
・ＡｐｐｌｅＴａｌｋ情報表示
・ＳＮＭＰ情報表示
（１０）プロトコル設定ダイアログボックス
・ＮｅｔＷａｒｅ設定
・ＴＣＰ／ＩＰ設定
・ＡｐｐｌｅＴａｌｋ設定
一般ユーザモード機能：
（１）デバイスリスト表示ウィンドウ
・ネットワークに接続されたデバイスの一覧表示
・デバイス毎の情報表示
・ツールバー表示
・ステータスバー表示
（２）デバイスリスト表示ウィンドウメニュー
・デバイス詳細ウィンドウ表示メニュー
・プリンタドライバインストールメニュー
・ＮｅｔＳｐｏｔの終了
・表示選択メニュー
・アイコン整列表示メニュー
・最新情報表示メニュー
・表示オプションメニュー
・プロトコル選択メニュー
・エラー通知方法選択メニュー
・デバイス検索範囲設定メニュー
・デバイス表示設定メニュー
・表示自動更新設定メニュー
・ＮｅｔＷａｒｅサーバメニュー
・ヘルプメニュー
・バージョン情報表示メニュー
（３）デバイス詳細ウィンドウメニュー
・デバイス詳細ウィンドウの終了
・表示メニュー
・表示自動更新設定メニュー
・ヘルプメニュー
・バージョン情報表示メニュー
（４）エラーポップアップウインドウ
・デバイスで発生したエラーの通知
（５）状態（Ｓｔａｔｕｓ）シート
・プリンタ外観のビットマップ表示
・操作パネルの状態表示
・給紙部の状態表示
・排紙部の状態表示
・エラー情報表示
・エラーに対するオンラインヘルプ表示
（６）ジョブ（Ｊｏｂｓ）シート
・すべてのジョブのモニタリング
・ログインユーザ自身が所有するジョブの実行制御
・すべてのジョブの実行制御（Ｓｕｐｅｒｖｉｓｏｒのみ）
・プリンタキュー設定の変更
（７）情報（Ｉｎｆｏｒｍａｔｉｏｎ）シート
・プリンタ情報表示
・環境設定情報表示
・管理者情報表示
　上述した各機能の詳細については、後ほど詳しく説明する。
　　　【００６３】
　＜＜ＮｅｔＳｐｏｔの起動とパスワード認証＞＞
　ＮｅｔＳｐｏｔが一般ユーザモードでインストールされた場合は、ユーザはＮｅｔＳｐｏｔの実行ファイルを実行させるだけで、ＮｅｔＳｐｏｔを起動できる。一方、ＮｅｔＳｐｏｔが管理者モードでインストールされた場合は、ユーザはＮｅｔＳＰｏｔの実行ファイルを実行させた直後に、後述するＮｅｔＳｐｏｔパスワードの入力を要求される。この時ユーザは、適切なパスワードを入力しなければＮｅｔＳｐｏｔを管理者モードで起動することができない。ＮｅｔＳｐｏｔの情理者モードでは、ユーザがネットワーク周辺機器（デバイス）の各種設定を行うことが可能であり、これらの設定を間違えると機器の誤動作や故障の原因になることがある。そこで、一般ユーザが管理者モードを起動できないようにするため、管理者モードの起動時にＮｅｔＳｐｏｔはユーザに対してＮｅｔＳｐｏｔパスワードの入力を要求するのである。ただし、ユーザはＮｅｔＳｐｏｔパスワードの入力を要求された時に、パスワードを入力せずに、一般ユーザモードでＮｅｔＳｐｏｔを起動することができる。なお、この詳細については、後ほど、ＮｅｔＳｐｏｔパスワード入力ダイアログボックス（図１０）の説明のところで記述する。
　　　【００６４】
　ＮｅｔＳｐｏｔを管理者モードでインストールする時、インストールを行っているユーザは、管理者モード起動時のＮｅｔＳｐｏｔパスワードを設定することができる。また、ユーザはＮｅｔＳｐｏｔを管理者モードで超勤した後に、管理者モード超勤侍のＮｅｔＳｐｏｔパスワードの設定あるいは変更を行うことができる。詳細については、後ほど、ＮｅｔＳｐｏｔパスワード変更ダイアログボックス（図３８）の説明のところで記述する。
　　　【００６５】
　設定あるいは変更されたＮｅｔＳｐｏｔパスワードは、次回ＮｅｔＳｐｏｔを管理者モードで起動する時から使用される。ＮｅｔＳｐｏｔの管理者モードは、管理者モード起動時に人力されたＮｅｔＳｐｏｔパスワードが実際の設定値と一致すれば起動するが、一致しなければ起動しない。
　　　【００６６】
　ＮｅｔＳｐｏｔの管理者モードは、起動時にＮｅｔＳｐｏｔパスワードをユーザに要求する代わりに、ＮｅｔＷａｒｅファイルサーバに管理者としてログインしていることをチェックするように動作することもできる。すなわち、ＮｅｔＳｐｏｔの管理者モードの起動時に、既にユーザがＮｅｔＷａｒｅファイルサーバに管理者としてログインしているならば、ＮｅｔＳｐｏｔパスワードの入力要求を省略することができる。
　　　【００６７】
　実際のネットワークにおいては、１つのネットワーク環境で複数の管理者が存在し、ネットワーク周辺機器（デバイス）毎に管理者が異なる場合がある。そこで、ＮｅｔＳｐｏｔの管理者モードでは、上記管理者モード起動時のＮｅｔＳｐｏｔパスワードに加えて、オプションとしてネットワークインタフェースボード毎にされたデバイスパスワードを設定することができ、それにより、後述のデバイスリスト表示ウィンドウ（図１５）からネットワーク周辺機器をユーザが選択した時にネットワーク周辺機器毎にデバイスパスワードの認証を行う機能がサポートされている。
　　　【００６８】
　このネットワーク周辺機器選択時のデバイスパスワードは、必要に応じて管理者がネットワークインタフェースボード毎に設定する。ネットワークインタフェースボードにデバイスパスワードが設定されている場合は、ＮｅｔＳｐｏｔの管理者モードでデバイスリスト表示ウィンドウ（図１５）からネットワーク周辺機器をユーザが新たに選択する時、すなわち新たにデバイス詳細ウィンドウを開く時に、ネットワークインタフェースボード毎に管理者により設定されたデバイスパスワードを認証する。
　　　【００６９】
　ユーザは、ネットワーク周辺機器選択時のデバイスパスワードを管理者モード起動時のＮｅｔＳｐｏｔパスワードと等しく設定することによって、ＮｅｔＳｐｏｔの管理者モードでデバイスリスト表示ウィンドウからネットワーク周辺機器を新たに選択する際に、デバイスパスワードの入力を省略することができる。
　　　【００７０】
　さらに詳細については、デバイスパスワード入力ダイアログボックス（図５０）の説明、および、デバイスパスワード変更ダイアログボックス（図１３７）の説明のところで記述する。
　　　【００７１】
　以上のような管理者モードにおけるパスワード認証のうち、後者のネットワーク周辺機器選択時のデバイスパスワードの認証は、ネットワークインタフェースボードにインプリメントされたＣＡＮＯＮ　ＭＩＢにより実現されているため、ＣＡＮＯＮ　ＭＩＢをインプリメントしていないネットワークインタフェースボードが使われている場合にはサポートされない。
　　　【００７２】
　＜＜ＮｅｔＳｐｏｔの排他制御＞＞
　１つのネットワーク圏辺機器に対して、複数のＮｅｔＳｐｏｔの管理者モードを起動した場合、ネットワーク周辺機器（デバイス）の設定やネットワークの設定に矛盾が発生する可能性がある。このため、１つのネットワーク周辺機器に対して起動可能なＮｅｔＳｐｏｔの管理者モードは、１つに制限されている。すなわち、複数のＮｅｔＳｐｏｔの管理者モードにより、同じネットワーク周辺機器を選択することはできない。これに対して、ＮｅｔＳｐｏｔの一般ユーザモードは、１つのネットワーク周辺機器に対して、複数起動することができる。すなわち、複数のＮｅｔＳｐｏｔの一般ユーザモードにより、同じネットワーク周辺機器を選択することができる。
　　　【００７３】
　以上のような管理者モードにおける排他制御は、ネットワークインタフェースボードにインプリメントされた。ＣＡＮＯＮ　ＭＩＢにより実現されているため、ＣＡＮＯＮ　ＭＩＢがインプリメントされていないネットワークインタフェースボードを使用しているネットワーク周辺機器に関してはサポートされない。排他制御がサポートされていない場合、ＮｅｔＳｐｏｔの一般ユーザモードと同様に、複数のＮｅｔＳｐｏｔの管理者モードにより、同一のネットワーク周辺機器を選択することが可能となる。
　　　【００７４】
　図９は、上記管理者モードにおける排他制限の概念について説明した図である。
　　　【００７５】
　＜＜ＮｅｔＳｐｏｔが表示するウィンドウの遷移図＞＞
　図７および図８は、ユーザがＮｅｔＳｐｏｔを管理者モードで起動した時に、ユーザの指示に応じてＮｅｔＳｐｏｔが順次表示していくウィンドウの遷移図である。ただし、図７および図８に示されたウィンドウは、ＮｅｔＳｐｏｔが表示するウィンドウのすべてではない。ＮｅｔＳｐｏｔはユーザからの指示がない場合でも、ＮｅｔＳｐｏｔの動作状況やネットワークから得られた情報に応じて、各種のウィンドウを自動的に表示するが、それらのウィンドウについては後述するので、ここでは説明しない。一般ユーザモードで起動した時のＮｅｔＳｐｏｔの画面遷移図は、図７および図８の各々の一部を抜き出した図となるので省略する。
　　　【００７６】
　ユーザは、ＮｅｔＳｐｏｔが表示する各種のウィンドウに表示された情報を見ることでネットワーク岡辺機器（デバイス）の動作状態を監視し、また、これらのウィンドウに適切な値を設定することでネットワーク周辺機器（デバイス）を制御することができる。
　　　【００７７】
　図７は、ＮｅｔＳｐｏｔが管理者モードで起動した時に、後述する各種シートから呼び出されるダイアログボックスの一覧を示す図である。
　　　【００７８】
　図７において、７０１は、図４３に例示されるデバイス詳細ウィンドウであり、本ウィンドウ７０１は、図５４に示される状態シート７０２、図１００に示されるジョブシート７０３、図１０２に示される情報シート７０４、図１０４に示されるネットワークシート７０５の４枚のシートを持っている。
ここで、状態シート７０２からは、図５５に示されるエラー詳細情報表示ダイアログボックス７０６、図１４３に例示されるプリンタ環境設定ダイアログボックス７０９が表示される。このエラー詳細情報表示ダイアログボックス７０６からは、図５７に示されるプリンタ給排紙部選択ダイアログボックス７０７が選択される。
　　　【００７９】
　さらに、プリンタ環境設定ダイアログボックス７０９は、図５８に示されるプリンタ給排紙部設定シート７１０、図５９に示される共通プリント環境基本設定シート７１１、図６９に示されるＬＩＰＳプリント環境基本設定シート７１５、図７６に示されるＮ２０１プリント環境基本設定シート７１８、図８８に示されるＥＳＣ／Ｐプリント環境基本設定シート７２２の５枚のシートを持っている。ここで、ＬｌＰＳ，Ｎ２０１，ＥＳＣ／Ｐはいずれも、プリンタのページ記述言語の一種である。
　　　【００８０】
　共通プリント環境基本設定シート７１１からは、図６３に示される共通プリント環境拡張設定ダイアログボックス７１２、図６７に示される印字調製設定ダイアログボックス７１３、図６８に示されるプリント動作モード設定ダイアログボックス７１４が呼び出される。
　　　【００８１】
　ＬＩＰＳプリント環境基本設定シート７１５からは、図７０に示されるＬＩＰＳプリント環境拡張設定ダイアログボックス７１６、図７４に示されるＬｌＰＳユーティリティダイアログボックス７１７が呼び出される。
　　　【００８２】
　Ｎ２０１プリント環境基本設定シート７１８からは、図７９に示されるＮ２０１プリント環境拡張１設定ダイアログボックス７１９、図８２に示されるＮ２０１プリント環境拡張２設定ダイアログボックス７２０、図８６に示されるＮ２０１ユーティリティダイアログボックス７２１が呼び出される。
　　　【００８３】
　ＥＳＣ／Ｐプリント環境基本設定シート７２２からは、図９１に示されるＥＳＣ／Ｐプリント環境拡張１設定ダイアログボックス７２３、図９４に示されるＥＳＣ／Ｐプリント環境拡張２設定ダイアログボックス７２４、図９８に示されるＥＳＣ／Ｐユーティリティダイアログボックス７２５が呼び出される。
　　　【００８４】
　次に、ジョブシート７０３からは、図１０１に示されるプリンタキュー設定変更ダイアログボックス７２６が呼び出され、プリンタキュー設定変更ダイアログボックス７２６からは、図３４に示されるＮｅｔＷａｒｅログインダイアログボックス７２７が呼び出される。情報シート７０４からは、図１０３に示される管理者情報表示ダイアログボックス７２８が呼び出される。最後に、ネットワークシート７０５からは、図１４４に例示されるプロトコル設定ダイアログボックス７２９が呼び出される。
　　　【００８５】
　プロトコル設定ダイアログボックス７２９は、図１０５に示されるＮｅｔＷａｒｅ設定シート７３０、図１１４に示されるＴＣＰ／ＩＰ設定シート７３２、図１２０に示されるＡｐｐｌｅＴａｌｋ設定シート７３３の３枚のシートを持っており、ＮｅｔＷａｒｅ設定シート７３０からは、図３４に示されるＮｅｔＷａｒｅログインダイアログボックス７２７が呼び出される。なお、デバイスリスト表示ウィンドウ８０１については、図８に関連付けて詳細に説明するので、ここでは、説明を割愛する。
　　　【００８６】
　図８は、ＮｅｔＳｐｏｔが管理者モードで起動した時に、後述する各種メニューから呼び出されるダイアログボックスの一覧を示す図である。
　　　【００８７】
　図８において、８０１は、図１５に示されるデバイスリスト表示ウィンドウである。デバイスリスト表示ウィンドウ８０１は、デバイスメニュー８０２、表示メニュー８０３、設定メニュー８０４、ヘルプメニュー８０５の４つのメニューを持つ。このうち、デバイスメニュー８０２からは、図２２に示される新規追加デバイス設定ダイアログボックス８０６、オペレーティングシステムに標準のプリンタドライバインストールウィンドウ８０７が呼び出される。次に、表示メニュー８０３からは、図２９に示される表示オプションダイアログボックス８０８が呼び出される。さらに、設定メニュー８０４からは、図３０に示されるデバイス検索範囲設定ダイアログボックス８０９、図３１に示されるデバイス表示設定ダイアログボックス８１０、図３２に示されるデバイスリスト表示自動更新設定ダイアログボックス８１１、図３４に示されるＮｅｔＷａｒｅログインダイアログボックス７２７、図３６に示されるＮｅｔＷａｒｅログアウトダイアログボックス８１３、図３８に示されるＮｅｔＳｐｏｔの実行時に使用するパスワードを変更するためのＮｅｔＳｐｏｔパスワード変更ダイアログボックス８１４が呼び出される。最後に、ヘルプメニュー８０５からは、ＮｅｔＳｐｏｔのヘルプを表示するヘルプファイルウィンドウ８１５、図４２に示されるＮｅｔＳｐｏｔのバージョンを表示するためのＮｅｔＳｐｏｔバージョン情報表示ダイアログボックス８１６が呼び出される。
　　　【００８８】
　次に図７で説明したデバイス詳細ウィンドウ７０１のメニューについて説明する。
　　　【００８９】
　デバイス詳細ウィンドウ７０１は、デバイスメニュー８１７、表示メニュー８１９、設定メニュー８２０、テストメニュー８２１、ヘルプメニュー８２２の５つのメニューを持つ。設定メニュー８２０からは、図１３２に示されるトラップ通知条件設定ダイアログボックス８２３、図１３３に示されるデバイス詳細表示自動更新設定ダイアログボックス８２４、図１３５に示されるプリンタ情報設定ダイアログボックス８２５、図１３６に示される管理者情報設定ダイアログボックス８２６、図１３７に示されるデバイスバスワード変更ダイアログボックス８２７が呼び出される。次に、ヘルプメニュー８２２からは、ＮｅｔＳｐｏｔのヘルプを表示するヘルプファイルウィンドウ８２８、図１４１に示されるデバイスバージョン情報表示ダイアログボックス８２９が呼び出される。
　　　【００９０】
　以下では、前述した各ウィンドウの詳細な説明、および、各ウィンドウに関連したＮｅｔＳｐｏｔの機能の詳細な説明を行う。
　　　【００９１】
　［ＮｅｔＳｐｏｔパスワード入力ダイアログボックス（図１０参照）］
　ユーザが管理者モードのＮｅｔＳｐｏｔを起動すると、ＮｅｔＳｐｏｔパスワードが設定されている場合のみ、図１０に示すＮｅｔＳｐｏｔパスワード入力ダイアログボックスが表示される。ＮｅｔＳｐｏｔパスワード入力ダイアログボックスは、管理者モードのＮｅｔＳｐｏｔ起動時にユーザがＮｅｔＳｐｏｔパスワードを入力するためのダイアログボックスである。一般ユーザモードのＮｅｔＳｐｏｔの場合は、ＮｅｔＳｐｏｔパスワード入力ダイアログボックスは表示されない。また、　ＮｅｔＳｐｏｔパスワード変更ダイアログボックス（図３８）の”ＮｅｔＷａｒｅサーバ管理者用パスワードで代用”でＯＮが選択されている場合、ユーザがＮｅｔＷａｒｅファイルサーバに管理者としてログインしているならばそのまま管理者モードを起動するため、ＮｅｔＳｐｏｔパスワード入力ダイアログボックスを表示しない。一方、ユーザがＮｅｔ　Ｗａｒｅファイルサーバに管理者としてログインしていないならば、ＮｅｔＳｐｏｔパスワード入力ダイアログボックスを表示する。
　　　【００９２】
　［詳細仕様］
　［パスワード（Ｐ）］：　ユーザにより０〜１５桁の文字列でＮｅｔＳｐｏｔパスワードが入力される。
　　　【００９３】
　［ユーザモードで起動（Ｕ）］でＯＦＦが選択されている場合のみ有効となる。
大文字と小文字は区別される。
　　　【００９４】
　［ユーザモードで起動（Ｕ）］：　ユーザにより、　一般ユーザモードで起動するか否かが選択される。ユーザはＯＮ、ＯＦＦいずれかを選択する。
　　　【００９５】
　［ＯＫ］ボタン：　ユーザによる押下により、本ダイアログボックスの設定を有効にして、ダイアログボックスを閉じる。
　　　【００９６】
　［キャンセル］ボタン：　ユーザによる押下により、本ダイアログボックスの設定を無効にして、ダイアログボックスを閉じる（ＮｅｔＳｐｏｔを終了する）。
　　　【００９７】
　［ヘルプ（Ｈ）］ボタン：　ユーザによる押下により、オンラインヘルプを表示する。
その他の動作：
　ユーザが誤ったＮｅｔＳｐｏｔパスワードが入力した場合には、図１１に示すメッセージを表示した後、ＮｅｔＳｐｏｔパスワード入力ダイアログボックスの表示状態に戻る。
　　　【００９８】
　［ＮｅｔＷａｒｅサーバパスワード入力ダイアログボックス（図１２参照）］
　ＮｅｔＳｐｏｔパスワードの入力処理が終了したならば、ＮｅｔＳｐｏｔはＮｅｔＷａｒｅファイルサーバにユーザがログインしているかどうかのチェックを行う。この時、ＮｅｔＷａｒｅサービスが使用可能で、かつ、ユーザがＮｅｔＷａｒｅファイルサーバにログインしていなかった場合、図１２に示すＮｅｔＷａｒｅサーバパスワード入力ダイアログボックスを表示する。ＮｅｔＷａｒｅサーバパスワード入力ダイアログボックスは、ＮｅｔＷａｒｅファイルサーバにログインするのに必要なＮｅｔＷａｒｅファイルサーバのパスワードを、ユーザがＮｅｔＳｐｏｔ起動時に入力するためのダイアログボックスである。
［詳細仕様］
　［ユーザ名（Ｕ）］：　ユーザにより、ＮｅｔＷａｒｅファイルサーバにログインするためのユーザ名が入力される。このダイアログボックスによって既にＮｅｔＷａｒｅファイルサーバにログインしたことがある場合、前回ログインした時にユーザが入力したユーザ名をあらかじめ格納しておく。
　　　【００９９】
　［パスワード（Ｐ）］：　ユーザにより、ＮｅｔＷａｒｅファイルサーバにログインするためのパスワードが入力される。
　　　【０１００】
　［ＮｅｔＷａｒｅサーバ（Ｓ）］：　ユーザにより、ログインすべきＮｅｔＷａｒｅファイルサーバが選択される。ユーザは、バインダリに登録されたＮｅｔＷａｒｅファイルサーバの中から選択する。
　　　【０１０１】
　［０Ｋ］ボタン：　ユーザによる押下により、設定を有効にして、ダイアログボックスを閉じる。
　　　【０１０２】
　［キャンセル］ボタン：　ユーザによる押下により、設定を無効にして、ダイアログボックスを閉じる。
　　　【０１０３】
　［ヘルプ（Ｈ）］ボタン：　ユーザによる押下により、オンラインヘルプを表示する。
その他の動作：
　ＮｅｔＷａｒｅファイルサーバヘのログインに失敗した場合、図１３に示すメッセージを表示した後、ＮｅｔＷａｒｅログインダイアログボックスの表示状態に戻る。
　　　【０１０４】
　ＮｅｔＷａｒｅサーバパスワード入力ダイアログボックスにおいてユーザが［キャンセル」ボタンを押下した場合、図１４に示すメッセージを表示して、ユーザに注意を促す。
　　　【０１０５】
　［デバイスリスト表示ウィンドウ（図１５参照）］
　ＮｅｔＳｐｏｔ起動時の処理が終了すると、図１５に示すようなデバイスリスト表示ウィンドウを表示する。このデバイスリスト表示ウィンドウは、現在ネットワークに接続されているネットワーク周辺機器（デバイス）の一覧をアイコン表示するためのウィンドウである。
管理者モード及び一般ユーザモードにおいては、デバイスリスト表示ウィンドウ（図１５）により、表１に示す機能を提供する。
　　　【０１０６】
　【表１】
　　　【０１０７】
　アイコンのデザインは、デバイスの種類とデバイスの動作状態を示す。ＮｅｔＳｐｏｔで表示するデバイスは、ＳＮＭＰ／ＣＡＮＯＮ−ＭＩＢがインプリメントされているネットワークデバイスのみであり、それ以外のネットワークデバイスは表示しない。また、ネットワークに接続されていないデバイスや電源ＯＦＦのデバイスは表示しない。さらに、ＮｅｔＳｐｏｔが使用しているネットワークプロトコルが動作していないデバイスは表示しない。
　　　【０１０８】
　デバイスを示すアイコンとともにデバイス毎のユーザ定義名称を表示する。このユーザ定義名称に日本語を使用することも可能である。ユーザは、ユーザ定義名称を、管理者モードにおいてのみ後述のデバイス詳細ウィンドウ（図４３）で変更することができる。
　　　【０１０９】
　デバイスの接続状況や動作状態を一定間隔でポーリングすることにより、デバイスの一覧を定期的に更新し、デバイスの動作状態をアイコンに反映する。また新たにデバイスを検出した場合、デバイスの一覧にそのデバイスのアイコンを追加する。
　　　【０１１０】
　今まで検出されていたデバイスが応答を返さなくなった場合、そのデバイスのデバイス詳細ウィンドウ（図４３）を開いていなかったならば、そのデバイスのアイコンが接続されている回線に赤い×印を表示する。さらに、そのデバイスが一定回数連続して応答を返さない場合、そのデバイスのアイコンを消去する。
［詳細仕様（図１５参照）］
　［開く］ツールバー１５０１：　ユーザによる押下により、ユーザにより選択されているデバイスのデバイス詳細ウィンドウ（図４３）を開く。デバイスリスト表示ウィンドウ８０１のメニュー機能の［表示］−［ツールバー］メニューが選択状態にある場合のみ表示される。デバイスが選択されている場合であって、そのデバイスに赤い×印が付いていない場合のみ有効となる。
　　　【０１１１】
　［最新の情報に更新］ツールバー１５０２：　ユーザによる押下により、デバイスリスト表示を最新の情報に更新する。デバイスリスト表示ウィンドウ８０１のメニュー機能の［表示］−［ツールバー］メニューが選択状態にある場合のみ表示される。
　　　【０１１２】
　［大きいアイコン］ツールバー１５０３：　ユーザによる押下により、大きいアイコンでデバイスリストを表示する。デバイスリスト表示ウィンドウ８０１のメニュー機能の［表示］−［ツールバー］メニューが選択状態にある場合のみ表示される。
　　　【０１１３】
　［小さいアイコン］ツールバー１５０４：　ユーザによる押下により、小さいアイコンでデバイスリストを表示する。デバイスリスト表示ウィンドウ８０１のメニュー機能の［表示」−［ツールバー］メニューが選択状態にある場合のみ表示される。
　　　【０１１４】
　大きいアイコン表示：　ユーザにより［大きいアイコン］ツールバー１５０３が押下された場合、大きいアイコンとともに、デバイス表示設定ダイアログボックス（図３１）で指定されたデバイスに関して、表示オプションダイアログボックス（図２９）で指定された項目を表示する。この場合、大きいアイコン，名前，デバイスの製品名，ネットワークインタフェースボードの製品名称，ＭＡＣアドレスの中から指定された項目を表示する。管理者モードでデバイス詳細ウィンドウ（図４３）が開いている場合、そのデバイスのアイコンの上に鍵印を表示する（図１４６）。以前に検出されていたデバイスが応答を返さなくなった場合、そのデバイスのアイコンが接続されている回線に赤い×印を表示する（図１４８）。以前に検出されていたデバイスが一定回数連続して応答を返さない場合、そのデバイスのアイコンを消去する。
　　　【０１１５】
　小さいアイコン表示：　ユーザにより［小さいアイコン］ツールバー１５０４が押下された場合、小さいアイコンとともに、デバイス表示設定ダイアログボックス（図３１）で指定されたデバイスに関して、表示オプションダイアログボックス（図２９）で指定された項目を表示する。この場合、小さいアイコン，名前，デバイスの製品名，ネットワークインタフェースボードの製品名称，ＭＡＣアドレスの中から指定された項目を表示する。管理者モードでデバイス詳細ウィンドウ（図４３）が開いている場合、そのデバイスのアイコンの上に鍵印を表示する（図１４７）。以前に検出されていたデバイスが応答を返さなくなった場合、そのデバイスのアイコンが接続されている回線に赤い×印を表示する（図１４９）。以前に検出されていたデバイスが一定回数連続して応答を返さない場合、そのデバイスのアイコンを消去する。
　　　【０１１６】
　ステータスバー表示１５０５：　表示しているデバイスの数を表示する。
その他の動作：
　デバイス詳細ウィンドウ（図４３）を開いていたデバイスが検出されなくなった場合、図１６に示すメッセージを表示する。図１６のメッセージ中の”Ｃｈｉｎｅｓｅ”とは、検出されなくなったデバイスの名前（あらかじめユーザが付ける）であり、図１５の）デバイスリストでも表示されている名前である。図１６０のメッセージ表示に対してユーザが［ＯＫ］ボタンを押下した場合は、デバイスリスト表示ウィンドウ８０１における検出されなくなったデバイスを示すアイコンを消去するとともに、検出されなくなったデバイスのデバイス詳細ウィンドウ（図４３）を閉じる。ユーザが［キャンセル］ボタンを押下した場合は、デバイスリスト表示ウィンドウ８０１における検出されなくなったデバイスを示すアイコンの表示と、検出されなくなったデバイスのデバイス詳細ウィンドウ（図４３）の表示を継続する。
　　　【０１１７】
　［デバイスリスト表示ウィンドウのメニュー機能（図１５参照）］
　ＮｅｔＳｐｏｔは、デバイスリスト表示ウィンドウ（図１５）のメニューバー（８０２〜８０５）により、表２から表４に示すメニュー機能を提供する。
　　　【０１１８】
　【表２】
　　　【０１１９】
　【表３】
　　　【０１２０】
　【表４】
　　　【０１２１】
［詳細仕様（図１５参照）］
　［デバイス（Ｄ）］−［開く（Ｏ）］：　ユーザが選択すると、ユーザによって選択されているデバイスのデバイス詳細ウィンドウ（図４３）を開く。デバイスが選択されている場合であって、そのデバイスに赤い×印が付いていない場合のみ有効となる。
　　　【０１２２】
　［デバイス（Ｄ）］−［閉じる（Ｃ）］：　ユーザが選択すると、ユーザによって選択されているデバイスのデバイス詳細ウィンドウ（図４３）を閉じる。デバイスが選択されており、かつ選択されているデバイスのデバイス詳細ウィンドウ（図４３）を開いている場合であって、そのデバイス詳細ウィンドウ（図４３）において作業中でない（デバイス詳細ウィンドウ（図４３）を直接操作できる）場合のみ有効となる。
　　　【０１２３】
　［デバイス（Ｄ）］−［すべて閉じる（Ａ）］：　ユーザが選択すると、ユーザにより選択されているデバイスのデバイス詳細ウィンドウ（図４３）をすべて閉じる。デバイス詳細ウィンドウ（図４３）を開いているデバイスが存在する場合のみ有効となる。作業中のデバイス詳細ウィンドウ（図４３）を閉じることはできない。
　［デバイス（Ｄ）］−［新規追加（Ｎ）．．．］：　ユーザが選択すると、デバイスをセットアップし、表示するデバイスを新規追加するための新規追加デバイス設定ダイアログボックス（図２２ほか）を開く（管理者モードのみ）。
　　　【０１２４】
　［デバイス（Ｄ）］−［プリンタドライバのインストール（Ｄ）］：　ユーザが選択すると、プリンタドライバをインストールする。コントロールパネルのプリンタの両面を呼び出す。
　　　【０１２５】
　［デバイス（Ｄ）］−［ＮｅｔＳｐｏｔの終了（Ｘ）］：　ユーザが選択すると、ＮｅｔＳｐｏｔを終了する。
　　　【０１２６】
　［表示（Ｖ）］−［ツールバー（Ｔ）］：　ユーザが選択すると、ツールバーを表示するか否かを選択する。ユーザはＯＮ、ＯＦＦいすれかを選択する。
　　　【０１２７】
　［表示（Ｖ）］−［ステータスバー（Ｂ）］：　ユーザが選択すると、ステータスバーを表示するか否かを選択する。ユーザはＯＮ、ＯＦＦいずれかを選択する。
　　　【０１２８】
　［表示（Ｖ）］−［手前に表示（Ｐ）］：　ユーザが選択すると、デバイスリスト表示ウィンドウを常に手前に表示する。ユーザはＯＮ、ＯＦＦいずれかを選択する。
　　　【０１２９】
　［表示（Ｖ）］−［大きいアイコン（Ｇ）］：ユーザが選択すると、大きいアイコンでデバイスリストを表示する。ユーザが選択することにより、［大きいアイコン］がＯＮになると同時に［小さいアイコン］がＯＦＦになる。
　　　【０１３０】
　［表示（Ｖ）］−［小さいアイコン（Ｍ）］：　ユーザが選択すると、小さいアイコンでデバイスリストを表示する。ユーザが選択することにより、［小さいアイコン］がＯＮになると同時に［大きいアイコン］がＯＦＦになる。
　　　【０１３１】
　［表示（Ｖ）］−［アイコンの整列（Ｓ）］：　ユーザが選択すると、デバイスリストに表示するデバイスの順序を指定する。”名前順（Ｎ）”，”種類順（Ｔ）”，”ＭＡＣアドレス順（Ｍ）”の中から選択する。
　　　【０１３２】
　［表示（Ｖ）］−［最新の情報に更新（Ｒ）］：　ユーザが選択すると、デバイスリスト表示を最新の情報に更新する。
　　　【０１３３】
　［表示（Ｖ）］−［オプション（Ｏ）．．．］：　ユーザが選択すると、デバイスリストの表示オプションを選択するための表示オプションダイアログボックス（図２９）を開く。
　　　【０１３４】
　［設定（Ｓ）］−［プロトコルの選択（Ｐ）］：　ユーザが選択すると、ＮｅｔＳｐｏｔが動作するプロトコルを選択する。”ＮｅｔＷａｒｅ”，”ＴＣＰ／ｌＰ”の中から選択する。
　　　【０１３５】
　［設定（Ｓ）］−［エラーの通知方法（Ｅ）］：　ユーザが選択すると、エラーの通知方法を指定する。”ポップアップウィンドウを開く（Ｐ）”でＯＮ、ＯＦＦいずれかを選択する。”ビープ音を鳴らす（Ｂ）”でＯＮ、ＯＦＦいずれかを選択する。
　　　【０１３６】
　［設定（Ｓ）］　［デバイスの検索範囲（Ｓ）．．．」：　ユーザが選択すると、デバイスの検索範囲を指定するためのデバイス検索範囲設定ダイアログボックス（図３０）を開く。現在使用しているネットワークプロトコルがＴＣＰ／ＩＰの場合にのみ有効となる。
　　　【０１３７】
　［設定（Ｓ）］−［デバイスの表示（Ｖ）．．．］：　ユーザが選択すると、検索されたデバイスの中から表示するデバイスを指定するためのデバイス表示設定ダイアログボックス（図３１）を開く。
　　　【０１３８】
　［設定（Ｓ）］−［表示の自動更新（Ａ）．．．］：　ユーザが選択すると、デバイスリスト表示の自動更新間隔を指定するためのデバイスリスト表示自動更新設定ダイアログボックス（図３２）を開く。
　　　【０１３９】
　［設定（Ｓ）］−［ログイン（Ｉ）．．．］：　ユーザが選択すると、ＮｅｔＷａｒｅファイルサーバにログインするためのＮｅｔＷａｒｅログインダイアログボックス（図３４）を開く。ＮｅｔＷａｒｅサービスを使用可能な場合のみ有効となる。
　　　【０１４０】
　［設定（Ｓ）］−［ログアウト（Ｏ）．．．］：　ユーザが選択すると、ＮｅｔＷａｒｅファイルサーバからログアウトするためのＮｅｔＷａｒｅログアウトダイアログボックス（図３６）を開く。ＮｅｔＷａｒｅサービスを使用可能な場合のみ有効となる。
　　　【０１４１】
　［設定（Ｓ）］−［ＮｅｔＳｐｏｔパスワードの変更（Ｗ）．．．］：　ユーザが選択すると、ＮｅｔＳｐｏｔ起動時のパスワードを変更するためのＮｅｔＳｐｏｔパスワード変更ダイアログボックス（図３８）を開く（管理者モードのみ）。
　　　【０１４２】
　［ヘルプ（Ｈ）］−［目次（Ｃ）］：　ユーザが選択すると、ＮｅｔＳｐｏｔオンラインヘルプの目次を表示する。
　　　【０１４３】
　［ヘルプ（Ｈ）］−［キーワードで検索（Ｓ）．．．］：　ユーザが選択すると、ＮｅｔＳｐｏｔオンラインヘルプのキーワード検索を表示する。
　　　【０１４４】
　［ヘルプ（Ｈ）］−［バージョン情報（Ａ）］：　ユーザが選択すると、ＮｅｔＳｐｏｔのバージョン情報を表示するためのＮｅｔＳｐｏｔバージョン情報表示ダイアログボックス（図４２）を開く。
その他の動作：
　ユーザが［設定（Ｓ）］−［プロトコルの選択（Ｐ）］により動作するプロトコルを変更したときに、管理者モードでデバイス詳細ウィンドウが開いていたならば、図１７に示すメッセージを表示して、ユーザにＮｅｔＳｐｏｔの再起動を促す。管理者モードでデバイス詳細ウィンドウ（図４３）を開いている場合は、ここではＮｅｔＳｐｏｔの再起動を選択することができないため、ユーザはすべての管理者モードのデバイス詳細ウィンドウ（図４３）を閉じた後、再びプロトトコルの選択を行うか、ＮｅｔＳｐｏｔを終了してからＮｅｔＳｐｏｔを起動し直す必要がある。
　　　【０１４５】
　ユーザが［設定（Ｓ）］−［プロトコルの選択（Ｐ）］により動作するプロトコルを変更したときに、管理者モードでデバイス詳細ウィンドウ（図４３）が開いていなければ、図１８のメッセージを表示して、ユーザにＮｅｔＳｐｏｔの再起動を促す。ここで、ユーザが［はい（Ｙ）］ボタンを押下した場合にはＮｅｔＳｐｏｔを再起動し、［いいえ（Ｎ）］ボタンを押下した場合は、何もせすにデバイスリスト表示ウィンドウの表示状態に戻る。
　　　【０１４６】
　管理者モードの場合であって、ユーザが［デバイス（Ｄ）］−［ＮｅｔＳｐｏｔの終了（Ｘ）］を選択したときに、管理者モードでデバイス詳細ウィンドウ（図４３）が開いていた、あるいはデバイス詳細ウィンドウ（図４３）において作業中であった（デバイス詳細ウィンドウ（図４３）を直接操作できない）場合、図１９のメッセージを表示して、すべてのデバイス詳細ウィンドウ（図４３）の作業を終了し、すべての管理者モードのデバイス詳細ウィンドウ（図４３）を閉じることをユーザに促す。
　　　【０１４７】
　一般ユーザモードの場合であって、ユーザが［デバイス（Ｄ）］−［ＮｅｔＳｐｏｔの終了（Ｘ）］を選択したときに、デバイス詳細ウィンドウ（図４３）において作業中であった（デバイス詳細ウィンドウ（図４３）を直接操作できない）場合、図２０のメッセージを表示して、すべてのデバイス詳細ウィンドウ（図４３）の作業を終了することをユーザに促す。
　　　【０１４８】
　ユーザが［デバイス（Ｄ）］−［ＮｅｔＳｐｏｔの終了（Ｘ）］あるいは［ファイル］−［終了（Ｑ）］を選択したときに、ＮｅｔＳｐｏｔを終了することが可能であれは、図２１に示すメッセージを表示する。ここで、ユーザが［ＯＫ］ボタンを押下した場合にはＮｅｔＳｐｏｔを終了する。ユーザが［キャンセル］ボタンを押下した場合は、何もせずにデバイスリスト表示ウィンドウの表示状態に戻る。
　　　【０１４９】
　新規追加デバイス設定ダイアログボックスは、ユーザのネットワーク環境で現在使用されているネットワークプロトコルに応じて表示するダイアログボックスが異なる。そこで、（１）ＮｅｔＷａｒｅ、（２）ＴＣＰ／ｌＰの両者について以下に説明を行う。
（１）ＮｅｔＷａｒｅの場合の新規追加デバイス設定ダイアログボックス
［新規追加デバイス設定ダイアログボックス（１−１）（図２２参照）］
　現在使用されているネットワークプロトコルがＮｅｔＷａｒｅの場合、ユーザがデバイスリスト表示ウィンドウ（図１５）の［デバイス］−［新規追加．．．］メニューを選択することにより、図２２に示す新規追加デバイス設定ダイアログボックス（１−１）を表示する。新規追加デバイス設定ダイアログボックス（１−１）は、現在使用しているネットワークプロトコルがＮｅｔＷａｒｅの場合に、デバイスリスト表示ウィンドウ（図１５）に表示する新規追加デバイスに接続されているネットワークインタフェースボードをユーザが選択するためのダイアログボックスである。
［詳細仕様］
　［ネットワークインタフェースボード（Ｎ）］：　ユーザにより、新規追加デバイスに接続されているネットワークインタフェースボードが選択される。図２２では、新規追加デバイスに接続されているネットワークインタフェースボードの製品名の例として、”ＥＢ−１”および”ＮＢ−１”を表示している。
　　　【０１５０】
　［〈戻る（Ｂ）］ボタン：　ユーザによる押下により、本ダイアログボックス（１１）（図２２）を閉じて、デバイスリスト表示ウィンドウ（図１５）に戻るためのボタンであるが、常に無効（ユーザが本ボタンを押下できない状態）としている。
　　　【０１５１】
　［次へ〉］ボタン：　ユーザによる押下により、本ダイアログボックス（１−１）（図２２）に表示された情報を保存した後に、本ダイアログボックス（ｌ−１）（図２２）を閉じて、新規追加デバイス設定ダイアログボックス（１−２）（図２３）を表示する。
　　　【０１５２】
　［キャンセル］ボタン：　ユーザによる押下により、新規追加デバイス設定に関わるすべての設定を無効としてから、本ダイアログボックス（１−１）（図２２）を閉じて、デバイスリスト表示ウィンドウ（図１５）に戻る。
　　　【０１５３】
　［ヘルプ（Ｈ）］ボタン：　ユーザによる押下により、オンラインヘルプを表示する。
　　　【０１５４】
　［新規追加デバイス設定ダイアログボックス（１−２）（図２３参照）］
　新規追加デバイス設定ダイアログボックス（１−１）（図２２）において、ユーザがネットワークインタフェースボードを選択し、［次へ〉］ボタンを押下するのに応じて、図２３に示す新規追加デバイス設定ダイアログボックス（１−２）を表示する。以下では、ＮｅｔＳｐｏｔの管理対象であるネットワークプリンタに装備されたネットワークインタフェースボードを「ＮＢ−１ボード」と呼ぶ。この新規追加デバイス、没定ダイアログボックス（１−２）は、現在使用されているネットワークプロトコルがＮｅｔＷａｒｅの場合に、デバイスリスト表示ウィンドウ（図１５）に表示する新規追加デバイスに接続されているＮＢ−１ボードの持つアドレスをユーザが指定するためのダイアログボックスである。ここで、ユーザがアドレスの入力を終了し、［次へ〉］ボタンを押下すると、指定されたアドレスに対してデバイスの検出を行う。このとき、新規追加デバイス設定ダイアログボックス（１−２）（図２３）にデバイスを検出中であることを表示する。
［詳細仕様］
　［ＭＡＣアドレス（Ｍ）］：　ユーザにより１６進１２桁のＭＡＣアドレスが入力される。
　　　【０１５５】
　［ネットワーク番号（Ｎ）］：　ユーザにより１６進８桁のネットワーク番号が入力される。
　　　【０１５６】
　［〈戻る（Ｂ）］ボタン：　ユーザによる押下により、本ダイアログボックス（１−２）（図２３）に表示された情報を保存せずに、本ダイアログボックス（１−２）（図２３）を閉じて、新規追加デバイス設定ダイアログボックス（１−１）（図２２）に戻る。この時、新規追加デバイス設定ダイアログボックス（１−１）（図２２）の表示内容は、前回表示した内容が保持されている。
　　　【０１５７】
　［次へ〉］ボタン：　ユーザによる押下により、本ダイアログボックス（１−２）（図２３）に表示された情報を保存するとともにこの情報に基づきデバイスの検出を行った後に、本ダイアログボックス（１−２）（図２３）を閉じて、新規追加デバイス設定ダイアログボックス（１−３）（図２４）を表示する。この［次へ〉］ボタンは、［ＭＡＣアドレス（Ｍ）］と［ネットワーク番号（Ｎ）］のすべての桁数が入力された場合のみ有効となる。
　　　【０１５８】
　［キャンセル］ボタン：　ユーザによる押下により、新規追加デバイス設定に関わるすべての設定を無効としてから、本ダイアログボックス〈１−２）（図２３）を閉じて、デバイスリスト表示ウィンドウ（図１５）に戻る。
　　　【０１５９】
　［ヘルプ（Ｄ）］ボタン：　ユーザによる押下により、オンラインヘルプを表示する。
　　　【０１６０】
　［新規追加デバイス設定ダイアログボックス（１−３）（図２４参照）］
　新規追加デバイス設定ダイアログボックス（１−２）（図２３）において、デバイスの検出が正常に終了したならば、図２４に示す新規追加デバイス設定ダイアログボックス（１−３）を表示する。この新規追加デバイス設定ダイアログボックス（１−３）は、現在使用されているネットワークプロトコルがＮｅｔＷａｒｅの場合に、デバイスリスト表示ウィンドウ（図１５）に表示する新規追加デバイスに接続されているＮＢ−１ボードのプロトコル情報をユーザが設定するためのダイアログボックスである。ここで、ユーザがプロトコル情報の入力を終了し、［次へ〉］ボタンを押下すると、ＮＢ−１ボードに対して指定されたプロトコル情報を設定する。
［詳細仕様］
　［ＮｅｔＷａｒｅフレームタイプ（Ｎ）］：　ユーザによりＮｅｔＷａｒｅのフレームタイプが選択される。ユーザは、”無効”，”自動検出”，”ＥＴＨＥＲＮＥＴ　ＩＩ”，”ＥＴＨＥＲＮＥＴ　８０２．２”，”ＥＴＨＥＲＮＥＴ　８０２．３”，”ＥＴＨＥＲＮＥＴ　ＳＮＡＰ”の中から選択する。
　　　【０１６１】
　［優先（Ｒ）］：　ユーザにより、ＮｅｔＷａｒｅのフレームタイプが自動検出の場合に優先されるフレームタイプが選択される。［ＮｅｔＷａｒｅフレームタイプ（Ｎ）］で”自動検出”が選択されている場合のみ有効となる。ユーザは、”ＥＴＨＥＲＮＥＴ　ＩＩ”，”ＥＴＨＥＲＮＥＴ８０２．２”，”ＥＴＨＥＲＮＥＴ８０２．３”，”ＥＴＨＥＲＮＥＴ　ＳＮＡＰ”の中から選択する。
　　　【０１６２】
　［ＴＣＰ／ＩＰフレームタイプ（Ｔ）］：　ユーザによりＴＣＰ／ＩＰのフレームタイプが選択される。ユーザは”無効”，”ＥＴＨＥＲＮＥＴ　ＩＩ”の中から選択する。
　　　【０１６３】
　［ＩＰアドレス（Ａ）］：　ユーザにより０〜２５５の１０進数×４個のＩＰアドレスが入力される。
　　　【０１６４】
　［ＡｐｐｌｅＴａｌｋフェーズ（Ｐ）］：　ユーザによりＡｐｐｌｅＴａｌｋのフェーズを選択される。ユーザは、”無効”，”フェーズ２”の中から選択する。
　　　【０１６５】
　［〈戻る（Ｂ）］ボタン：　ユーザによる押下により、本ダイアログボックス（１−３）（図２４）に表示された情報を保存せずに、本ダイアログボックス（１−３）（図２４）を閉じて、新規追加デバイス設定ダイアログボックス（１−２）（図２３）に戻る。この時、新規追加デバイス設定ダイアログボックス（１−２）（図２３）の表示内容は、前回表示した内容が保持されている。
　　　【０１６６】
　［次へ〉］ボタン：　ユーザによる押下により、本ダイアログボックス（１−３）（図２４）に表示された情報を保存するとともにこの情報に基づきネットワークインタフェースボードに対してプロトコル情報の設定を行った後に、本ダイアログボックス（１−３）（図２４）を閉じて、新規追加デバイス設定ダイアログボックス（１−４）（図２６）を表示する。
　　　【０１６７】
　［キャンセル］ボタン：　ユーザによる押下により、新規追加デバイス設定に関わるすべての設定を無効としてから、本ダイアログボックス（１−３）（図２４）を閉じて、デバイスリスト表示ウィンドウ（図１５）に戻る。
　　　【０１６８】
　［ヘルプ（Ｈ）］ボタン：　ユーザによる押下により、オンラインヘルプを表示する。
　　　【０１６９】
　その他の動作：
　［ＩＰアドレス（Ａ）］において、ユーザが２５６以上の値を入力すると、図２５に示すメッセージを表示して、新規追加デバイス設定ダイアログボックス（１−３）（図２４）の表示状態に戻る。
　　　【０１７０】
　［新規追加デバイス設定ダイアログボックス（１−４）（図２６参照）］
　新規追加デバイス設定ダイアログボックス（１−３）（図２４）において、プロトコル情報の設定が終了したならば、図２６に示す新規追加デバイス設定ダイアログボックス（１−４）を表示する。この新規追加デバイス設定ダイアログボックス（１−４）は、現在使用されているネットワークプロトコルがＮｅｔＷａｒｅの場合に、デバイスリスト表示ウィンドウ（図１５）に表示する新規追加デバイスに接続されているＮＢ−１ボードのプロトコル情報の設定をユーザが確認するためのダイアログボックスである。ＮＢ−１ボードの場合、ここでユーザは、［完了］ボタンを押下することにより、自動的にネットワークインタフェースボードをリセットし、新しい設定を有効にすることができる。
［詳細仕様］
　［〈戻る（Ｂ）］ボタン：　ユーザによる押下により、本ダイアログボックス（１４）（図２６）を閉じて、新規追加デバイス設定ダイ了ログボックス（１−３）（図２）に戻るためのボタンであるが、常に無効（ユーザが本ボタンを押下できない状態）としている。
　　　【０１７１】
　［完了］ボタン：　ユーザによる押下により、ネットワークインタフェースボードをリセットしてから、本ダイアログボックス（１−４）（図２６）を閉じて、デバイスリスト表示ウィンドウ（図１５）に戻る。
　　　【０１７２】
　［キャンセル］ボタン：　ユーザによる押下により、ネットワークインタフェースボードをリセットせずに、本ダイアログボックス（１−４）（図２６）を閉じて、デバイスリスト表示ウィンドウ（図１５）に戻る。
　　　【０１７３】
　［ヘルプ（Ｈ）］ボタン：　ユーザによる押下により、オンラインヘルプを表示する。
　　　【０１７４】
　［新規追加デバイス設定ダイアログボックス（１−５）（図２７参照）］
　新規追加デバイス設定ダイアログボックス（１−２）（図２３）において、デバイスの検出が正常に終了しなかったならば、上記新規追加デバイス設定ダイアログボックス（１−５）を表示する。この新規追加デバイス設定ダイアログボックス（１−５）は、現在使用しているネットワークプロトコルがＮｅＷａｒｅの場合に、デバイスリスト表示ウィンドウ（図１５）に表示する新規追加デバイスに接続されているＮＢ−１ボードが検出できなかったことを表示するためのダイアログボックスである。
［詳細仕様］
　［〈戻る（Ｂ）］ボタン：　ユーザによる押下こより、本ダイアログボックス（１−５）（図２７）を閉じて、新規追加デバイス設定ダイアログボックス（１−２）（図２３）に戻る。この時、新規追加デバイス設定ダイアログボックス（１−２）（図２３）の表示内容は、前回表示した内容が保持されている。
　　　【０１７５】
　［閉じる］ボタン：　［キャンセル］ボタンの機能と同じ。
　　　【０１７６】
　［キャンセル］ボタン：　ユーザによる押下により、新規追加デバイス設定に関わるすべての設定を無効としてから、本ダイアログボックス（１−５）（図２７）を閉じて、デバイスリスト表示ウィンドウ（図１５）に戻る。
　　　【０１７７】
　［ヘルプ（Ｈ）］ボタン：　ユーザによる押下により、オンラインヘルプを表示する。
（２）ＴＣＰ／ｌＰの場合の新規追加デバイス設定ダイアログボックス
　［新規追加デバイス設定ダイ了ログボックス（２−１）（図２２参照）］
　現在使用されているネットワークプロトコルがＴＣＰ／ＩＰの場合、ユーザがデバイスリスト表示ウィンドウ（図１５）の［デバイス］−［新規追加．．．］メニューを選択することにより、図２２に示す新規追加デバイス設定ダイアログボックス（２−１）を表示する。この新規追加デバイス設定ダイアログボックス（２−１）は、現在使用しているネットワークプロトコルがＴＣＰ／ＩＰの場合に、デバイスリスト表示ウィンドウ（図１５）に表示する新規追加デバイスに接続されているネットワークインタフェースボードをユーザが選択するためのダイアログボックスである。ＴＣＰ／ＩＰの場合、ＮｅｔＳｐｏｔと同じサブネットに存在するデバイスのみを新規追加することができる。
［詳細仕様］
　［ネットワークインタフェースボード（Ｎ）］：　ユーザにより、新規追加デバイスに接続されているネットワークインタフェースボードが選択される。図２２では、新規追加デバイスに接続されているネットワークインタフェースボードの製品名の例として、”ＥＢ−１”および”ＮＢ−１”を表示している。
　　　【０１７８】
　［〈戻る（Ｂ）］ボタン：　ユーザによる押下により、本ダイアログボックス（２−１）（図２２）を閉じて、デバイスリスト表示ウィンドウ（図１５）に戻るためのボタンであるが、常に無効（ユーザが本ボタンを押下できない状態）としている。
　　　【０１７９】
　［次へ〉］ボタン：　ユーザによる押下により、本ダイアログボックス（２−１）（図２２）に表示された情報を保存した後に、本ダイアログボックス（２−１）（図２２）を閉じて、新規追加デバイス設定ダイアログボックス（２−２）（図２８）を表示する。
　　　【０１８０】
　［キャンセル］ボタン：　ユーザによる押下により、新規追加デバイス設定に関わるすべての設定を無効としてから、本ダイアログボックス（２−１）（図２２）を閉じて、デバイスリスト表示ウィンドウ（図１５）に戻る。
　　　【０１８１】
　［ヘルプ（Ｈ）］ボタン：　ユーザによる押下により、オンラインヘルプを表示する。
　　　【０１８２】
　［新規追加デバイス設定ダイアログボックス（２−２）（図２８参照）］
　新規追加デバイス設定ダイアログボックス（２−１）（図２２）において、ユーザがネットワークインタフェースボードを選択し（ここでは”ＮＢ−１”を選択した場合について述べる）、［次へ〉］ボタンを押下するのに応じて、図２８に示す新規追加デバイス設定ダイアログボックス（２−２）を表示する。
新規追加デバイス設定ダイアログボックス（２−２）は、現在使用しているネットワークプロトコルがＴＣＰ／ＩＰの場合に、デバイスリスト表示ウィンドウ（図１５）に表示する新規追加デバイスに接続されているＮＢ−１ボードのアドレスをユーザが指定するためのダイアログボックスである。ここで、ユーザがアドレスの入力を終了し、［次へ〈〉］ボタンを押下したならば、指定されたアドレスに対してデバイスの検出を行う。このとき、新規追加デバイス設定ダイアログボックス（２−２）にデバイスを検出中であることを表示する。
［詳細仕様」
　［ＭＡＣアドレス（Ｍ）］：　ユーザにより１６進１２桁のＭＡＣアドレスを入力される。
　　　【０１８３】
　［ＩＰアドレス（Ａ）］：　ユーザにより０〜２５５の１０進数×４個のＩＰアドレスが入力される。ユーザは、新規追加するデバイスに設定すべき、あるいは新規追加するデバイスに既に設定されているＩＰアドレスを入力する。実際の検索は［ＭＡＣアドレス（Ｍ）］により行われるが、ここでユーザが正しいＩＰアドレスを入力しないときには、検索できない場合がある。
　　　【０１８４】
　［〈戻る（Ｂ）］ボタン：　ユーザによる押下により、本ダイアログボックス（２−２）（図２８）に表示された情報を保存せずに、本ダイアログボックス（２−２）（図２８）を閉じて、新規追加デバイス設定ダイアログボックス（２−１）（図２２）に戻る。この時、新規追加デバイス設定ダイアログボックス（２−１）（図２２）の表示内容は、前回表示した内容が保持されている。
　　　【０１８５】
　［次へ〉］ボタン：　ユーザによる押下により、本ダイアログボックス（２−２）（図２８）に表示された情報を保存するとともにこの情報に基づきデバイスの検出を行った後に、本ダイアログボックス（２−２）（図２８）を閉じて、新規追加デバイス設定ダイアログボックス（２−３）（図２４）を表示する。［次へ〉］ボタンは、［ＭＡＣアドレス（Ｍ）］のすべての桁数が入力された場合のみ有効となる。
　　　【０１８６】
　［キャンセル］ボタン：　ユーザによる押下により、新規追加デバイス設定に関わるすべての設定を無効としてから、本ダイアログボックス（２−２）（図２８）を閉じて、デバイスリスト表示ウィンドウ（図１５）に戻る。
　　　【０１８７】
　［ヘルプ（Ｈ）］ボタン：　ユーザによる押下により、オンラインヘルプを表示する。
その他の動作：
　［ＩＰアドレス（Ａ）］において、ユーザが２５６以上の値を入力すると、図２５に示すメッセージを表示して、新規追加デバイス設定ダイアログボックス（２−２）（図２８）の表示状態に戻る。
　　　【０１８８】
　［新規追加デバイス設定ダイアログボックス（２−３）（図２４参照）］
　新規追加デバイス設定ダイアログボックス（２−２）（図２８）において、デバイスの検出が正常にに終了したならば、図２４に示す新規追加デバイス設定ダイアログボックス（２−３）を表示する。新規追加デバイス設定ダイアログボックス（２−３）は、現在使用しているネットワークプロトコルがＴＣＰ／ＩＰの場合に、デバイスリスト表示ウィンドウ（図１５）に表示する新規追加デバイスに接続されているＮＢ−１ボードのプロトコル情報をユーザが設定するためのダイアログボックスである。ここでユーザがプロトコル情報の入力を終了し、［次へ〉］ボタンを押下した場合、ＮＢ−１ボードに対してユーザにより指定されたプロトコル情報を設定する。
［詳細仕様］
　［ＮｅｔＷａｒｅフレームタイプ（Ｎ）］：　ユーザによりＮｅｔＷａｒｅのフレームタイプが選択される。ユーザは、”無効”，”自動検出”，”ＥＴＨＥＲＮＥＴ　ＩＩ”，”ＥＴＨＥＲＮＥＴ８０２．２”，”ＥＴＨＥＲＮＥＴ８０２．３”，”ＥＴＨＥＲＮＥＴ　ＳＮＡＰ”の中から選択する。
　　　【０１８９】
　［優先（Ｒ）］：　ユーザによりＮｅｔＷａｒｅのフレームタイプが自動検出の場合に優先されるフレームタイプが選択される。［ＮｅｔＷａｒｅフレームタイプ（Ｎ）］で”自動検出”が選択されている場合のみ有効となる。ユーザは、”ＥＴＨＥＲＮＥＴ　ＩＩ”，”ＥＴＨＥＲＮＥＴ　８０２．２”，”ＥＴＨＥＲＮＥＴ　８０２．３”，”ＥＴＨＥＲＮＥＴ　ＳＮＡＰ”の中から選択する。
　　　【０１９０】
　［ＴＣＰ／ＩＰフレームタイプ（Ｔ）］：　ユーザにより、ＴＣＰ／ＩＰのフレームタイプが選択される。ユーザは、”無効”，”ＥＴＨＥＲＮＥＴ　ＩＩ”の中から選択する。
　　　【０１９１】
　［ＩＰアドレス（Ａ）］：　ユーザにより、０〜２５５の１０進数×４個のｌＰアドレスが入力される。
　　　【０１９２】
　［ＡｐｐｌｅＴａｌｋフェーズ（Ｐ）］：　ユーザにより、ＡｐｐｌｅＴａｌｋのフェーズが選択される。ユーザは、”無効”，”フェーズ２”の中から選択する。
　　　【０１９３】
　［〈戻る（Ｂ）」ボタン：　ユーザによる押下により、本ダイアログボックス（２−３）（図２４）に表示された情報を保存せずに、本ダイアログボックス（２−３）（図２４）を閉じて、新規追加デバイス設定ダイアログボックス（２−２）（図２８）に戻る。この時、新規追加デバイス設定ダイアログボックス（２−２）（図２８）α）表示内容は、前回表示した内容が保持されている。
　　　【０１９４】
　［次へ〉］ボタン：　ユーザによる押下により、本ダイアログボックス（２−３）（図２４）に表示された情報を保存するとともにこの情報に基づきネットワークインタフェースボードに対してプロトコル情報の設定を行った後に、本ダイアログボックス（２−３）（図２４）を閉じて、新規追加デバイス設定ダイアログボックス（２−４）（図２６）を表示する。
　　　【０１９５】
　［キャンセル］ボタン：　ユーザによる押下により、新規追加デバイス設定に関わるすべての設定を無効としてから、本ダイアログボックス（２−３）（図２４）を閉じて、デバイスリスト表示ウィンドウ（図１５）に戻る。
　　　【０１９６】
　［ヘルプ（Ｈ）］ボタン：　ユーザによる押下により、オンラインヘルプを表示する。
その他の動作：
　［ＩＰアドレス（Ａ）］において、ユーザが２５６以上の値を入力すると、図２５に示すメッセージを表示して、新規追加デバイス設定ダイアログボックス（２−３）（図２４）の表示状態に戻る。
　　　【０１９７】
　［新規追加デバイス設定ダイアログボックス（２−４）（図２６参照）］
　新規追加デバイス設定ダイアログボックス（２−３）（図２４）において、プロトコル情報の設定が終了したならば、上記新規追加デバイス設定ダイアログボックス（２−４）を表示する。新規追加デバイス設定ダイアログボックス（２−４）は、現在使用しているネットワークプロトコルがＴＣＰ／ＩＰの場合に、デバイスリスト表示ウィンドウ（図１５）に表示する新規追加デバイスに接続されているＮＢ−１ボードのプロトコル情報の設定をユーザが確認するためのダイアログボックスである。ＮＢ−１ボードの場合、ユーザは、ここで［完了］ボタンを押下することにより、白動的にネットワークインタフェースボードをリセットし、新しい設定を有効にすることができる。
［詳細仕様］
　［〈戻る（Ｂ）］ボタン：　ユーザによる押下により、本ダイアログボックス（２−４）（図２６）を閉じて、新規追加デバイス設定ダイアログボックス（２−３）（図２４）に戻るためのボタンであるが、常に無効（ユーザが本ボタンを押下できない状態）としている。
　　　【０１９８】
　［完了］ボタン：　ユーザによる押下により、ネットワークインタフェースボードをリセットしてから、本ダイアログボックス（２４）（図２６）を閉じて、デバイスリスト表示ウィンドウ（図１５）に戻る。
　　　【０１９９】
　［キャンセル］ボタン：　ユーザによる押下により、ネットワークインタフェースボードをリセットせずに、本ダイアログボックス（２−４）（図２６）を閉じて、デバイスリスト表示ウィンドウ（図１５）に戻る。
　　　【０２００】
　［ヘルプ（Ｈ）］ボタン：　ユーザによる押下により、オンラインヘルプを表示する。
　　　【０２０１】
　［新規追加デバイス設定ダイアログボックス（２−５）（図２７）］
　新規追加デバイス設定ダイアログボックス（２−２）（図２８）において、デバイスの検出が正常に終了しなかったならば、上記新規追加デバイス設定ダイアログボックス（２−５）を表示する。新規追加デバイス設定ダイアログボックス（２−５）は、現在使用しているネットワークプロトコルがＴＣＰ／ＩＰの場合に、デバイスリスト表示ウィンドウ（図１５）に表示する新規追加デバイスに接続されているＮＢ−１ボードが検出できなかったことを表示するためのダイアログボックスである。
［詳細仕様］
　［〈戻る（Ｂ）］ボタン：　ユーザによる押下により、本ダイアログボックス（２−５）（図２７）を閉じて、新規追加デバイス設定ダイアログボックス（２−２）（図２８）に戻る。この時、新規追加デバイス設定ダイアログボックス（２−２）（図２８）の表示内容は、前回表示した内容が保持されている。
　　　【０２０２】
　［閉じる］ボタン：　［キャンセル」ボタンの機能と同じ。
　　　【０２０３】
　［キャンセル］ボタン：　ユーザによる押下により、新規追加デバイス設定に関わるすべての設定を無効としてから、本ダイアログボックス（２−５）（図２７）を閉じて、デバイスリスト表示ウィンドウ（図１５）に戻る。
　　　【０２０４】
　［ヘルプ（Ｈ）］ボタン：　ユーザによる押下により、オンラインヘルプを表示する。
　　　【０２０５】
　［表示オプションダイアログボックス（図２９参照）］
　ユーザによりデバイスリスト表示ウィンドウ（図１５）の［表示］−［オプション．．．］メニューが選択された場合、図２９に示す表示オプションダイアログボックスを表示する。この表示オプションダイアログボックスは、デバイスリスト表示ウィンドウ（図１５）における表示オプションをユーザが選択するためのダイアログボックスである。デバイスリスト表示ウィンドウには、プリンタ情報設定ダイアログボックス（図１３５）によりユーザが付けた名前（プリンタ名）を必ず表示する。大きいアイコンの場合、ユーザは名前に加えて何を表示するかをラジオボタンにより選択する。小さいアイコンの場合、ユーザは名前に加えて何を表示するかをチェックボックスにより選択する。
「詳細仕様］
　［大きいアイコン］：　ユーザにより、デバイスリストを大きいアイコンで表示する場合の表示項目が選択される。この場合、ユーザは”名前のみ（Ｎ）”，”名前とデバイスの製品名称（Ｒ）”，”名前とネットワークインタフェースボードの製品名称（Ｏ）”，”名前とＭＡＣアドレス（Ａ）”の中から選択する。
　　　【０２０６】
　［小さいアイコン］：　ユーザにより、デバイスリストを小さいアイコンで表示する場合の表示項目が選択される。この場合、ユーザは”デバイスの製品名称（Ｐ）”，”ネットワークインタフェースボードの製品名称（Ｂ）”，”ＭＡＣアドレス（Ｍ）”のそれぞれでＯＮ、ＯＦＦいずれかを選択する。
　　　【０２０７】
　　［チップヘルプを表示する（Ｔ）］：　ユーザにより、ツールバーのチップヘルプを表示するか否かが選択される。ユーザはＯＮ、ＯＦＦいずれかを選択する。
　　　【０２０８】
　［ＯＫ］ボタン：　ユーザによる押下により、設定を有効にして、ダイアログボックスを閉じる。
　　　【０２０９】
　［キャンセル］ボタン：　ユーザによる押下により、設定を無効にして、ダイアログボックスを閉じる。
　　　【０２１０】
　［ヘルプ（Ｈ）］ボタン：　ユーザによる押下により、オンラインヘルプを表示する。
　　　【０２１１】
　［デバイス検索範囲設定ダイアログボックス（図３０参照）］
　ユーザがデバイスリスト表示ウィンドウ　（図１５）の［設定］−［デバイスの検索範囲．．．］メニューを選択した場合、図３０に示すデバイス検索範囲設定ダイアログボックスを表示する。デバイス検索範囲設定ダイアログボックスは、デバイスリスト表示ウィンドウ（図１５）に表示するデバイスの検索範囲をユーザが設定するためのダイアログボックスである。デバイス検索範囲設定ダイアログボックスにおける設定は、現在使用しているネットワークプロトコルがＴＣＰ／ＩＰの場合にのみ有効となる。ユーザは、デバイスの検索範囲として、検索するデバイスのＩＰアドレス、あるいはサブネット毎のブロードキャストアドレスを指定する。ユーザが検索する範囲を指定しない場合は、ＮｅｔＳｐｏｔ自身のサブネットをブロードキャストで検索する。ネットワークインタフェースボードの仕様上ブロードキャストに応答しないネットワークデバイスの場合、このデバイスをデバイスリスト表示ウィンドウに表示するには、ユーザはデバイスの検索範囲として、検索するデバイスのＩＰアドレスを明示的に指定しなければならない。
［詳細仕様］
　［検索範囲指定］：　ユーザにより、検索する範囲を指定するか否かが選択される。ユーザは、”検索する範囲を指定しない（Ｎ）”，”検索する範囲を指定する（Ｓ）”の中から選択する。”検索する範囲を指定しない（Ｎ）”の場合は、ＮｅｔＳｐｏｔ自身のサブネットをブロードキャストで検索する。”検索する範囲を指定する（Ｓ）”の場合は、［検索するＩＰアドレス（Ｉ）］で指定されたＩＰアドレスを検索する。
　　　【０２１２】
　［検索するＩＰアドレス（Ｉ）］：　ユーザにより０〜２５５の１０進数×４個のＩＰアドレスが入力される。ユーザは、検索するデバイスのＩＰアドレス、あるいはサブネット毎のブロードキャストアドレスを入力する。検索するデバイスのＩＰアドレスの一覧をリスト表示する。ユーザは、検索するデバイスのＩＰアドレスの一覧の中からＩＰアドレスを選択する。［検索範囲指定］で”検索する範囲を指定する（Ｓ）”が選択されている場合のみ有効となる。
　　　【０２１３】
　［追加（Ａ）］ボタン：　ユーザによる押下により、ユーザが入力したＩＰアドレスを、検索するデバイスのＩＰアドレスの一覧に追加する。［検索範囲指定］で”検索する範囲を指定する（Ｓ）”が選択され、かつ［検索する］ＩＰアドレス（Ｉ）］が入力されている場合のみ有効となる。
　　　【０２１４】
　［削除（Ｄ）］ボタン：　ユーザによる押下により、検索するデバイスのＩＰアドレスの一覧の中から、ユーザにより選択されたＩＰアドレスを削除する。［検索範囲指定］で”検索する範囲を指定する（Ｓ）”が選択され、かつ［検索するＩＰアドレス（Ｉ）］の一覧の中からＩＰアドレスが選択されている場合のみ有効となる。
　　　【０２１５】
　［ＯＫ］ボタン：　ユーザによる押下により、設定を有効にして、ダイアログボックスを閉じる。
　　　【０２１６】
　［キャンセル］ボタン：　ユーザによる押下により、設定を無効にして、ダイアログボックスを閉じる。
　　　【０２１７】
　［ヘルプ（（Ｈ）］ボタン：　ユーザによる押下により、オンラインヘルプを表示する。
その他の動作：
　［ＩＰアドレス（Ａ）］において、ユーザが２５６以上の値を入力すると、図２５に示すメッセージを表示して、デバイス検索範囲設定ダイアログボックス（図３０）の表示状態に戻る。
　　　【０２１８】
　［デバイス表示設定ダイアログボックス（図３１参照）］
　デバイスリスト表示ウィンドウ（図１５）［設定］−［デバイスの表示．．．］メニューをユーザが選択することにより、図３１に示すデバイス表示設定ダイアログボックス（図３１）を表示する。デバイス表示設定ダイアログボックス（図３１）は、デバイスリスト表示ウィンドウ（図１５）に表示するデバイスをユーザが設定するためのダイアログボックスである。
［詳細仕様］
　［表示指定］：　表示するデバイスを指定するか否かをユーザが選択する。
”すべてのデバイスを表示する（Ａ）”，”表示するデバイスを指定する（Ｔ）”の中からユーザが選択する。
　　　【０２１９】
　［表示するデバイス（Ｓ）］：　表示するデバイスの一覧をリスト表示する。表示するデバイスの一覧の中からデバイスをユーザが選択する。［表示指定］で”表示するデバイスを指定する（Ｔ）”がユーザにより選択されている場合のみ有効となる。この場合、小さいアイコン，名前，ＭＡＣアドレスを表示する。
　　　【０２２０】
　［表示しない（Ｅ）］ボタン：　表示するデバイスの一覧の中からユーザにより選択されたデバイスが表示しないデバイスの一覧に移動される。［表示指定］で”表示するデバイスを指定する（Ｔ）”がユーザにより選択され、かつ表示するデバイスの一覧の中からデバイスがユーザにより選択されている場合のみ有効となる。
　　　【０２２１】
　［表示しないデバイス（Ｉ）］：　表示しないデバイスの一覧をリスト表示する。表示しないデバイスの一覧の中からデバイスをユーザが選択する。［表示指定］で”表示するデバイスを指定する（Ｔ）”がユーザにより選択されている場合のみ有効となる。この場合、小さいアイコン，名前，ＭＡＣアドレスを表示する。
　　　【０２２２】
　［表示する（Ｗ）］ボタン：　ユーザが［表示する（Ｗ）］ボタンを押下することにより、表示しないデバイスの一覧の中からユーザにより選択されたデバイスが表示するデバイスの一覧に移動される。［表示指定］で”表示するデバイスを指定する（Ｔ）”がユーザにより選択され、かつ表示しないデバイスの一覧の中からデバイスがユーザにより選択されている場合のみ有効となる。
　　　【０２２３】
　［ＯＫ］ボタン：　ユーザが［ＯＫ］ボタンを押下することにより、設定を有効にして、ダイアログボックスが閉じられる。
　　　【０２２４】
　［キャンセル］ボタン：　ユーザが［キャンセル］ボタンを押下することにより、設定を無効にして、ダイアログボックスが閉じられる。
　　　【０２２５】
　［ヘルプ（Ｈ）］ボタン：　オンラインヘルプを表示する。
　　　【０２２６】
　［デバイスリスト表示自動更新設定ダイアログボックス（図３２参照）］
　デバイスリスト表示ウィンドウ（図１５）の［設定］−［表示の自動更新．．．］メニューをユーザが選択することにより、図３２に示すデバイスリスト表示自動更新設定ダイアログボックスを表示する。デバイスリスト表示自動更新設定ダイアログボックス（図３２）は、デバイスリスト表示ウィンドウ（図１５）の表示を自動更新する間隔を設定するためのダイアログボックスである。
［詳細仕様］
　［表示を自動的に更新する（Ａ）］：　デバイスリスト表示を自動的に更新するか否かをユーザが選択する。ユーザはＯＮ，ＯＦＦを選択する。
　　　【０２２７】
　［更新間隔（Ｉ）］：　ユーザは１刻みで１０〜６００秒の更新間隔を入力する。
［表示を自動的に更新する（Ａ）］でＯＮがユーザにより選択されている場合のみ有効となる。
　　　【０２２８】
　［ＯＫ］ボタン：　ユーザが［ＯＫ］ボタンを押下することにより、設定が有効となり、ダイアログボックスが閉じられる。
　　　【０２２９】
　［キャンセル］ボタン：　ユーザが［キャンセル］ボタンを押下することにより、設定が無効となり、ダイアログボックスが閉じられる。
　　　【０２３０】
　［ヘルプ（Ｈ）］ボタン：　オンラインヘルプを表示する。
その他の動作：
　［更新間隔（Ｉ）］において、１刻みで１０〜６００秒以外の値をユーザが入力すると、図３３に示すメッセージを表示して、デバイスリスト表示自動更新設定ダイアログボックス（図３２）に戻る。
　　　【０２３１】
　［ＮｅｔＷａｒｅログインダイアログボックス（図３４参照）］
　デバイスリスト表示ウィンドウ（図１５）の［設定］−｛ログイン．．．」メニューをユーザが選択することにより、図３４に示すＮｅｔＷａｒｅログインダイアログボックス（図３４）を表示する。ＮｅｔＷａｒｅログインダイアログボックス（図３４）は、ＮｅｔＷａｒｅファイルサーバにログインするためのダイアログボックスである。ＮｅｔＷａｒｅログインダイアログボックス（図３４）は、ＮｅｔＷａｒｅサービスが使用可能な場合のみに適用される。
［詳細仕様］
　［ユーザ名（Ｕ）］：　ユーザはＮｅｔＷａｒｅファイルサーバにログインするためのユーザ名を入力する。このダイアログボックスによって既にＮｅｔＷａｒｅファイルサーバにログインしたことがある場合は、前回ログインしたユーザ名をデフォルトとしてあらかじめ格納される。
　　　【０２３２】
　［パスワード（Ｐ）］：　ユーザはＮｅｔＷａｒｅファイルサーバにログインするためのパスワードを入力する。
　　　【０２３３】
　［ＮｅｔＷａｒｅサーバ（Ｓ）］：　ログインすべきＮｅｔＷａｒｅファイルサーバをユーザが選択する。バインダリに登録されたＮｅｔＷａｒｅファイルサーバの中からユーザが選択する。
　　　【０２３４】
　［ＯＫ］ボタン：　ユーザが［ＯＫ］ボタンを押下することにより、設定が有効となり、ダイアログボックスが閉じられる。
　　　【０２３５】
　［キャンセル］ボタン：　ユーザが［キャンセル］ボタンを押下することにより、設定が無効となり、ダイアログボックスが閉じられる。
　　　【０２３６】
　［ヘルプ（Ｈ）］ボタン：　オンラインヘルプを表示する。
その他の動作：
　ＮｅｔＷａｒｅファイルサーバヘのログインに失敗した場合、図３５に示すメッセージを表示して、ＮｅｔＷａｒｅログインダイアログボックス（図３４）に戻る。
　　　【０２３７】
　［ＮｅｔＷａｒｅログアウトダイアログボックス（図３６参照）］
　デバイスリスト表示ウィンドウ（図１５）の［設定］［ログアウト．．．］メニューをユーザが選択することにより、図３６に示すＮｅｔＷａｒｅログアウトダイアログボックスを表示する。ＮｅｔＷａｒｅログアウトダイアログボックス（図３６）は、ＮｅｔＷａｒｅファイルサーバからログアウトするためのダイアログボックスである。ＮｅｔＷａｒｅログアウトダイアログボックス（図３６）は、ＮｅｔＷａｒｅサービスが使用可能な場合のみに適用される。
［詳細仕様］
　［ログイン中のＮｅｔＷａｒｅサーバ（Ｓ）］　現在ログインしているＮｅｔＷａｒｅファイルサーバの一覧をリスト表示する。現在ログインしているＮｅｔＷａｒｅファイルサーバの一覧の中からＮｅｔＷａｒｅファイルサーバをユーザが選択する。
　　　【０２３８】
　［ログアウト（Ｏ）］ボタン：　ユーザが［ログアウト（Ｏ）］ボタンを押下することにより、［ログイン中のファイルサーバ（Ｓ）］でユーザにより選択されているＮｅｔＷａｒｅファイルサーバからログアウトする。［ログイン中のファイルサーバ（Ｓ）］でＮｅｔＷａｒｅファイルサーバがユーザにより選択されている場合のみ有効となる。
　　　【０２３９】
　［キャンセル］ボタン：　ユーザが［キャンセル］ボタンを押下することにより、設定が無効となり、ダイアログボックスが閉じられる。
　　　【０２４０】
　［ヘルプ（Ｈ）］ボタン：　オンラインヘルプを表示する。
その他の動作：
　［ログアウト（Ｏ）］ボタンがユーザによって押下された場合、図３７に示すメッセージを表示する。ここで、ユーザが［はい（Ｙ）］ボタンを押下した場合は、指定されたＮｅｔＷａｒｅファイルサーバからログアウトして、デバイスリスト表示ウィンドウ（図１５）に戻る。ユーザが［いいえ（Ｎ）］ボタンを押下した場合は、何もせすにデバイスリスト表示ウィンドウ（図１５）に戻る。
　　　【０２４１】
　［ＮｅｔＳｐｏｔパスワード変更ダイアログボックス（図３８参照）］
　デバイスリスト表示ウィンドウ（図１５）の［設定］　［ＮｅｔＳｐｏｔ］パスワードの変更．．．］メニューをユーザが選択することにより、図３８に示すＮｅｔＳｐｏｔパスワード変更ダイアログボックスを表示する。ＮｅｔＳｐｏｔパスワード変更ダイアログボックス（図３８）は、管理者モードのＮｅｔＳｐｏｔ起動時にユーザにより入力されるＮｅｔＳｐｏｔパスワードをユーザが変更するためのダイアログボックスである。ＮｅｔＳｐｏｔパスワード変更ダイアログボックス（図３８）は、管理者モードのみに適用される。
［詳細仕様］
　［古いパスワード（Ｏ）］：　ユーザは０〜１５桁の文字列でＮｅｔＳｐｏｔ起動時に使用する古いＮｅｔＳｐｏｔパスワードを入力する。大文字と小文字は区別される。［新しいパスワード（Ｎ）］：　ユーザは０〜１５桁の文字列でＮｅｔＳｐｏｔ起動特に使用する新しいＮｅｔＳｐｏｔパスワードを入力する。大文字と小文字は区別される。
　　　【０２４２】
　［新しいパスワードの確認入力（Ｆ）」：　０〜１５桁の文字列でＮｅｔＳｐｏｔ起動時に使用する新しいＮｅｔＳｐｏｔパスワードをユーザが再度入力する。大文字と小文字は区別される。
　　　【０２４３】
　［ＮｅｔＷａｒｅサーバ管理者用パスワードで代用（Ｓ）］：　ＮｅｔＳｐｏｔ起動時にユーザがＮｅｔＳＰｏｔパスワードを入力する代わりに、ＮｅｔＷａｒｅファイルサーバに管理者としてログインしていることをチェックするか否かをユーザが選択する。デバイスパスワードにも同様な仕様が適用される。ＮｅｔＷａｒｅサービスを使用可能な場合のみ有効となる。ユーザはＯＮ，ＯＦＦを選択する。
　　　【０２４４】
　［ＯＫ］ボタン：　ユーザが［ＯＫ］ボタンを押下することにより、設定が有効となり、ダイアログボックスが閉じられる。
　　　【０２４５】
　［キャンセル］ボタン：　ユーザが［キャンセル］ボタンを押下することにより、設定が無効となり、ダイアログボックスが閉じられる。
　　　【０２４６】
　［ヘルプ（Ｈ）」ボタン：　オンラインヘルプを表示する。
その他の動作：
　［古いパスワード（Ｏ）］で誤ったＮｅｔＳｐｏｔパスワードが入力された場合、図３９に示すメッセージを表示して、ＮｅｔＳｐｏｔパスワード変更ダイアログボックス（図３８）に戻る。
　　　【０２４７】
　［新しいパスワード（Ｎ）］でユーザにより入力された新しいＮｅｔＳｐｏｔパスワードと［新しいパスワードの確認入力（Ｆ）］でユーザにより再入力されたパスワードが一致しない場合、図４０に示すメッセージを表示して、ＮｅｔＳｐｏｔパスワード変更ダイアログボックス（図３８）に戻る。ユーザの正しい入力により、ＮｅｔＳｐｏｔパスワードが変更された場合、図４１に示すメッセージを表示して、デバイスリスト表示ウィンドウ（図１５）に戻る。
　　　【０２４８】
　［ＮｅｔＳｐｏｔバージョン情報表示ダイアログボックス（図４２参照）］
　デバイスリスト表示ウィンドウ（図１５）の［ヘルプ］−［バージョン情報］メニューをユーザが選択することにより、図４２に示すＮｅｔＳｐｏｔバージョン情報表示ダイアログボックス（図４２）を表示する。ＮｅｔＳｐｏｔバージョン情報表示ダイアログボックス（図４２）は、ＮｅｔＳｐｏｔバージョン情報を表示するためのダイアログボックスである。
［詳細仕様］
　［バージョン情報］：　ＮｅｔＳｐｏｔの名称とバージョンを表示する。Ｃｏｐｙｒｉｇｈｔを表示する。ＮｅｔＳｐｏｔが使用するＣＡＮＯＮ−ＭＩＢのバージョンを表示する。ＮｅｔＳｐｏｔが使用するＳＮＭＰのバージョンを表示する。
　　　【０２４９】
　［ＯＫ］ボタン：　ユーザが［ＯＫ］ボタンを押下することにより、ダイアログボックスが閉じられる。
　　　【０２５０】
　［デバイス詳細ウィンドウ（図４３参照）］
　デバイスリスト表示ウィンドウ（図１５）において、デバイスを示す各アイコンをユーザがダブルクリックすることにより、図４３に示すデバイス詳細ウィンドウを表示する。ユーザが開くことが可能なデバイス詳細ウィンドウ（図４３）の数は、各デバイスにつき１つに制限する。デバイス詳細ウィンドウ（図４３）の左側の各タブ（［状態］・［ジョブ］・［情報］・［ネットワーク］）をユーザがクリックすることにより、各タブに対応するシートはデバイス詳細ウィンドウ（図４３）の最前面に移動される。
　　　【０２５１】
　以後、デバイスリスト表示ウィンドウ８０１（図１５）からデバイスを選択し、デバイス詳細ウィンドウ７０１（図４３）を表示するまでの処理をフローチャートを用いて説明する。
　　　【０２５２】
　＜第１の実施形態＞
　以下、デバイスリスト表示ウィンドウ８０１からデバイス詳細ウィンドウ７０１を、ユーザにストレスを感じさせないように表示するための第１の例を述べる。
　　　【０２５３】
　図１５２は、ユーザが現在起動中のネットワーク管理ソフトウェア（ＮｅｔＳｐｏｔ）に対してデバイス詳細ウィンドウ表示操作を行うことにより開始されるフローチャートである。
　　　【０２５４】
　本フローチャートに従って実行されるＮｅｔＳｐｏｔのプログラムは、ハードディスク（ＨＤ）５１１に格納されている。本ＮｅｔＳｐｏｔのプログラムの実行の主体はハード上はＣＰＵ５０１である。一方、ソフトウェア上の制御の主体は、ハードディスク（ＨＤ）５１１に格納されたＮｅｔＳｐｏｔである。本実施形態においては、ＯＳは例えば、ウインドウズ９５（マイクロソフト社製）を想定しているが、これに限るものではない。
　　　【０２５５】
　デバイスを表す各アイコンをユーザがダブルクリックすると、ＮｅｔＳｐｏｔのプログラムは、ステップＳ１５２０１により、図７の７０１に示すデバイス詳細ウィンドウを開く。このデバイス詳細ウィンドウ７０１は、　ＰＣ５００のＣＲＴコントローラ５０６を経てＣＲＴディスプレイ（ＣＲＴ）５１０に表示される。ただし、ステップＳ１５２０１が終了した時点では、デバイス詳細ウィンドウのウィンドウ枠と、状態、ジョブ、情報、ネットワークの各シートが表示されているだけで、図４３のようにシート上にプリンタの情報が表示されている訳ではない。
　　　【０２５６】
　次にステップＳ１５３００では、最初に表示するシートの情報の取得および表示を行う。
　　　【０２５７】
　本ステップをＮｅｔＳｐｏｔが実行することにより、デバイス詳細ウィンドウ７０１で最初に表示するシートのプリンタ情報の取得が完了し、　図４３のように、シート上にプリンタの情報を表示することが可能となる。図４３では、一例として状態シートを最初に表示するシートとしているが、ジョブシート、情報シート、ネットワークシートでもよい。ただし、ジョブシートは、後述するように、ＮｅｔＷａｒｅサービスを用いて実現するものなので、ステップＳ１５３００によりプリンタの情報を取得する際に、ＳＮＭＰを使用しない。
　　　【０２５８】
　なお、本ステップの詳細な説明は、後程行う。
　　　【０２５９】
　さて、ステップＳ１５３００を実行して、デバイス詳細ウィンドウ７０１の最初のシートを表示したら、ＮｅｔＳｐｏｔは、ステップＳ１５２０２を実行して、ユーザからデバイス詳細ウィンドウ７０１を閉じるために要求があったかどうかを監視する。
　　　【０２６０】
　ここで、もしユーザが図８のデバイスメニュー８１７から「閉じる」を選ぶか、図４３のデバイス詳細ウィンドウ７０１の右上の×印をクリックすると、　ＮｅｔＳｐｏｔはＳ１５２０４によりデバイス詳細ウィンドウ７０１を閉じ、本フローチャートは終了する。
　　　【０２６１】
　もし、ユーザがデバイス詳細ウィンドウ７０１を閉じるための操作を行わなかったら、ステップＳ１５２０４に進む。
　　　【０２６２】
　ステップＳ１５２０４では、ＮｅｔＳｐｏｔはユーザから新たな（別の）シートを選択するための要求があったかどうかを監視する。
　　　【０２６３】
　ここで、もしユーザが図８の表示メニュー８１９から［状態］・［ジョブ］・［情報］・［ネットワーク］を選択するか、図４３のデバイス詳細ウィンドウ７０１の左側の各タブ（［状態］・［ジョブ］・［情報］・［ネットワーク］）をクリックすると、　ＮｅｔＳｐｏｔはステップＳ１５４００を実行し、新たに選択されたシートの情報の取得および表示を行う。
　　　【０２６４】
　もし、ユーザが新たなシートの選択を行わなかったら、ＣＰＵは、ステップＳ１５２０２に制御を戻し、上記の制御を繰り返す。
　　　【０２６５】
　以上が、ユーザがデバイスリスト表示ウィンドウ８０１からデバイスを選択することによって、デバイス詳細ウィンドウ７０１を表示し、必要がなくなったら、デバイス詳細ウィンドウ７０１を閉じるまでのフローチャートである。
　次に、ステップＳ１５３００の動作を、図１５３のフローチャートを用いて説明する。
　　　【０２６６】
　本フローチャートは、最初に表示するシートの情報の取得および表示を行う。
　　　【０２６７】
　まず、ステップＳ１５３０１で、最初に表示するシートを指定する。本ステップでは、最初に表示するシートとして状態シート７０２を例示しているが、ＮｅｔＳｐｏｔでは、［状態］・［ジョブ］・［情報］・［ネットワーク］の各シートを最初に表示するシートとして指定することが出来る。
　　　【０２６８】
　ここで、上記４種類のシートを最初に表示するシートとして指定する方法はいくつか考えられる。
　　　【０２６９】
　以下にその方法を列挙する。
（１）予めＮｅｔＳｐｏｔのプログラム内に埋め込んでおく。
（２）ユーザが初期化ファイルで指定する。ＮｅｔＳｐｏｔは、プログラム実行時に前期初期化ファイルから最初に表示するシート名を得る。
（３）以前に起動したＮｅｔＳｐｏｔで最後に表示したシート名を初期化ファイルに保持しておき、次のＮｅｔＳｐｏｔのプログラム実行時に前期初期化ファイルから最初に表示するシート名を得る。
（４）ＮｅｔＳｐｏｔのプログラム実行時に、「初期表示シート選択ウィンドウ」のようなものを表示し、ユーザが初期表示シートを指定する。
（５）予めいくつかのＭＩＢオブジェクトを取得しておき、問題のあるオブジェクトを発見したら、そのオブジェクトの情報を表示するシートを最初に表示するシートとする。
　　　【０２７０】
　ステップＳ１５３０１により、最初に表示するシートを決定した後、ＮｅｔＳｐｏｔは、ステップＳ１５３０２により上記シートを表示するのに必要なＭＩＢオブジェクトのリストを作成する。以下、このリストをシート情報リストと呼ぶ。
最後に、ＮｅｔＳｐｏｔは、ステップＳ１５５００を実行し、本フローチャートは終了する。
　　　【０２７１】
　次に、ステップＳ１５４００の動作を、図１５４のフローチャートを用いて説明する。
　　　【０２７２】
　本フローチャートは、ユーザにより新たに選択されたシートの情報の取得および表示を行う。
　　　【０２７３】
　ます、ステップＳ１５４０１で、ＮｅｔＳｐｏｔは、ユーザからの入力に従って新たに表示するシートを決定する。ここでは、ユーザの入力として、図８の表示メニュー８１９から［状態］・［ジョブ］・［情報］・［ネットワーク］を選択するか、図４３のデバイス詳細ウィンドウ７０１の左側の各タブ（［状態］・［ジョブ］・［情報］・［ネットワーク］）をクリックすることを想定している。
　　　【０２７４】
　ステップＳ１５４０１により、最初に表示するシートを決定した後、ＮｅｔＳｐｏｔは、ステップＳ１５４０２により上記シート情報リストを作成する。
最後に、ＮｅｔＳｐｏｔは、ステップＳ１５５００を実行し、本フローチャートは終了する。
　　　【０２７５】
　次に、ステップＳ１５５００の動作を、図１５５のフローチャートを用いて説明する。
　　　【０２７６】
　本フローチャートは、図２のフローチャートを改良したもので、プリンタの情報を取得する動作以外に、自動更新のためのタイマ処理および画面の表示速度を上げるためのキャッシュ処理を導入している。
まず、ステップＳ１５５０１でシートの情報を強制取得するかどうかを判定する。
　　　【０２７７】
　ここで、「強制取得」とは、後述するキャッシュを使用せず、ＳＮＭＰによってプリンタの情報を取得する処理のことを言う。
　　　【０２７８】
　ステップＳ１５５０１において強制取得をするかしないかの判定基準は、「あるシートの表示が初めてかどうか」である。ＮｅｔＳｐｏｔは、１回開いたシートに対して「表示済」フラグを立てるので、「表示済」フラグが立っているかどうかがステップＳ１５５０１の判断基準となる。
　　　【０２７９】
　もし、ステップＳ１５５０１において、強制取得をしないのならば（つまり、「表示済」フラグが立っているならば）、ステップＳ１５６００に進む。
ステップＳ１５６００の動作を、図１５６のフローチャートを用いて説明する。
　　　【０２８０】
　ます、ステップＳ１５６０１において、シート情報リストを全て調べたかどうかを判断する。
　　　【０２８１】
　ここで、もし、シート情報リストの全ての要素を調べ終わっていたならば、本フローチャートは終了する。
　　　【０２８２】
　全て調べ終わっていないならば、ステップＳ１５６０２に進む。
　　　【０２８３】
　ステップＳ１５６０２では、シート情報リスト中の今調べている要素のキャッシュ値が有効かどうかを調べる。
　　　【０２８４】
　　「キャッシュ値」については、後程、図１５５のフローチャートを説明するところで述べる。
　　　【０２８５】
　もし、キャッシュ値が無効だったら、何も処理をせずにステップＳ１５６０１に戻る。
　　　【０２８６】
　もし、キャッシュ値が有効ならば、ステップＳ１５６０３において、ＮｅｔＳｐｏｔは、デバイス詳細ウィンドウ７０１キャッシュ値を表示する。
　　　【０２８７】
　次に、ステップＳ１５６０４では、上記ステップＳ１５６０３で表示した要素の取得状態を取得済とし、ステップＳ１５６０１に戻る。
　　　【０２８８】
　以上で、ステップＳ１５６００の説明を終了する。
　　　【０２８９】
　上記のステップＳ１５６００が終了するかステップＳ１５５０１において「ＹＥＳ」が選択されると、ＮｅｔＳｐｏｔはステップＳ１５５０２を実行する。
　　　【０２９０】
　ステップＳ１５５０２で、ＮｅｔＳｐｏｔは、シート情報リストの中に、まだ取得済でない要素があるかどうかを判定する。
　　　【０２９１】
　　もし、取得済でない要素が存在するならば、前述したステップＳ１５１００により、プリンタの情報を取得する。
　　　【０２９２】
　次にステップＳ１５５０３では、上記ステップＳ１５１００で取得した情報が既に図５のＲＡＭ５０３にキャッシュ値として保持してあるかどうかを調べる。
　　　【０２９３】
　ここで、「キャッシュ」とは、一度以上取得したプリンタの情報を図５のＲＡＭ５０３に保持したものである。また、「キャッシュ値」とはその値である。
　　　【０２９４】
　キャッシュを導入することによって、プリンタ１０２およびネットワークボード１０２、ＬＡＮ１００の負荷を必要最小限度に抑えることが出来る。
　　　【０２９５】
　さて、ステップＳ１５５０３において、キャッシュ値がＲＡＭ５０３に保持してなかったならば、ステップＳ１５５０５に進む。
　　　【０２９６】
　ステップＳ１５５０３において、キャッシュ値がＲＡＭ５０３に保持してあったならは、ステップＳ１５５０４に進む。
　　　【０２９７】
　ステップＳ１５５０４では、ステップＳ１５１００で取得した情報の値とＲＡＭ５０３に保持してあるキャッシュ値が同じかどうかを判断する。
　　　【０２９８】
　もし、ステップＳ１５１００で取得した情報の値とＲＡＭ５０３に保持してあるキャッシュ値が同じであるならば、ステップＳ１５５０６に進む。
　　　【０２９９】
　もし、ステップＳ１５１００で取得した情報の値とＲＡＭ５０３に保持してあるキャッシュ値が異なっていたら、ステップＳ１５５０５に進む。
　　　【０３００】
　ステップＳ１５５０５で、ＮｅｔＳｐｏｔは、ステップＳ１５１００で取得した情報を新たなキャッシュ値としてＲＡＭ５０３に保持する。
　　　【０３０１】
　次に、ステップＳ１５５０６で、ＮｅｔＳｐｏｔは、デバイス詳細ウィンドウ７０１上にＲＡＭ５０３に保持されているキャッシュ値を表示する。表示は、図５のＣＲＴコントローラ５０６を通して、ＣＲＴ５１０に対して行われる。
ステップＳ１５５０６が終了すると、ＮｅｔＳｐｏｔは、ステップＳ１５５０７を実行する。
　　　【０３０２】
　ステップＳ１５５０７では、シート情報リストの中の、今処理した要素の取得状態を取得済とする。
　　　【０３０３】
　以上の説明で、キャッシュを保持しておく場所をＲＡＭ５０３としたが、これは、ＨＤ５１１と置き換えることが可能である。
　　　【０３０４】
　ステップＳ１５５０７が終了すると、ＮｅｔＳｐｏｔは、ステップＳ１５５０２に戻り、シート情報リストの中の情報を全て取得するまで、ステップＳ１５５０２からステップＳ１５５０７を繰り返す。
　　　【０３０５】
　さて、ステップＳ１５５０２において、シート情報リストの中の要素を全て取得したならば、ＮｅｔＳｐｏｔはステップＳ１５５０８を実行する。
　　　【０３０６】
　ステップＳ１５５０８では、時々刻々変わりうるプリンタの状態を監視するため、今指定されているシートの情報を自動的に更新するかどうかを判断する。
　自動更新を行うかどうかの指定方法はいくつか考えられるが、例として、以下の２つをあげる。
　（１）自動更新するかどうかを予めＮｅｔＳｐｏｔのプログラム内に埋め込んでおく。
　（２）自動更新するかどうかをユーザが初期化ファイルで指定する。ＮｅｔＳｐｏｔは、プログラム実行時に前記初期化ファイルから自動更新するかどうかの情報を得る。
　　　【０３０７】
　仮に（２）の方法を取った場合、図１３３に示されるデバイス詳細表示自動更新設定ダイアログボックス８２４によって、自動更新するかどうかや自動更新間隔を、ユーザが設定することが出来る。
　もし、ステップＳ１５５０８で、自動更新するならば、ステップＳ１５５０９に進む。
　　　【０３０８】
　もし、自動更新しないならば、本フローチャートは終了する。
　　　【０３０９】
　ステップＳ１５５０９では、ＮｅｔＳｐｏｔは、自動更新を行うために自動更新タイマを設定する。上記ステップＳ１５５０８で既に述べたように、デバイス詳細表示自動更新設定ダイアログボックス８２４は、ユーザが自動更新間隔を設定することが出来る。
　　　【０３１０】
　次に、ステップＳ１５５１０では、ステップＳ１５５０９で設定した自動更新タイマが切れたかどうかを調べる。
　　　【０３１１】
　もし、自動更新タイマが切れたら、再び現在ユーザに選択されているシートの情報を取得するために、ステップＳ１５５０２に戻る。
　　　【０３１２】
　もし、自動更新タイマが切れていなければ、ステップＳ１５５１１に進む。
ステップＳ１５５１１では、ユーザが自動更新を止めたかどうかを監視する。例えば、ユーザが表示するシートを切り替えたりすると、ＮｅｔＳｐｏｔは、自動更新タイマを停止する。
　　　【０３１３】
　もし、自動更新が停止されていないのなら、ステップＳ１５５１０に戻って、ステップＳ１５５１０とステップＳ１５５１１を繰り返す。
　　　【０３１４】
　もし、自動更新が停止されたなら、本フローチャートは終了する。
　　　【０３１５】
　また、ステップＳ１５５００は、図１５７に示すフローチャートでも実視可能である。
　　　【０３１６】
　以下に、図１５７のフローチャートを基に、ステップＳ１５５００を説萌する。
　　　【０３１７】
　ステップＳ１５７０１は、ステップＳ１５５０２と同様であるが、シート情報リストを全て取得していない時に、ステップＳ１５５０３と同じ動作をするステップＳ１５７０２に進むところだけが異なる。
　　　【０３１８】
　次に、ステップＳ１５７０２は、ステップＳ１５５０３と同様であるが、以前のキャッシュ値がＲＡＭ５０３に保持してあった時に、ステップＳ１５５０１と同じ動作をするステップＳ１５７０３に進み、以前のキャッシュ値がＲＡＭ５０３に保持してない時に、ステップＳ１５１００に進むところが異なる。
　　　【０３１９】
　次に、ステップＳ１５７０３は、ステップＳ１５５０１と同様であるが、シートの情報を強制取得する時に、ステップＳ１５１００に進み、シートの情報を強制取得しない時に、ステップＳ１５５０６と同じ動作をするステップＳ１５７０６に進むところが異なる。
　　　【０３２０】
　以後、ステップＳ１５７０４からステップＳ１５７１１までは、ステップＳ１５５０４からステップＳ１５５１１までとまったく同一である。
　　　【０３２１】
　以上で、本フローチャートの説明を終了する。
　　　【０３２２】
　上記図１５１から図１５７までのフローチャートを実行することによって、ＮｅｔＳｐｏｔは、デバイスリスト表示ウィンドウ８０１からデバイス詳細ウィンドウ７０１を開き、シートを切り替え、プリンタのさまざまな情報を表示することができる。
　　　【０３２３】
　＜第２の実施形態＞
　以下、デバイスリスト表示ウィンドウ８０１からデバイス詳細ウィンドウ７０１を、ユーザにストレスを感じさせないように表示するための第２の例を述べる。
　　　【０３２４】
　図１５８は、ユーザが現在起動中のネットワーク管理ソフトウェア（ＮｅｔＳｐｏｔ）に対してデバイス詳細ウィンドウ表示操作を行うことにより開始されるフローチャートである。
　　　【０３２５】
　本フローチャートに従って実行されるＮｅｔＳｐｏｔのプログラムは、ハードディスク（ＨＤ）５１１に格納されている。本ＮｅｔＳｐｏｔのプログラムの実行の主体はハード上はＣＰＵ５０１である。一方、ソフトウェア上の制御の主体は、ハードディスク（ＨＤ）５１１に格納されたＮｅｔＳｐｏｔである。本実施形態においては、ＯＳは例えば、ウインドウズ９５（マイクロソフト社製）を想定しているが、これに限るものではない。
　　　【０３２６】
　デバイスを示す各アイコンをユーザがダブルクリックすると、　ＮｅｔＳｐｏｔのプログラムは、ステップＳ１５８０１により、図７の７０１に示すデバイス詳細ウィンドウを開く。本ステップは、第１の実施形態のステップＳ１５２０１とまったく同様である。
　　　【０３２７】
　次に、ＮｅｔＳｐｏｔは、ステップＳ１５３００を実行し、最初のシートの情報を取得して、デバイス詳細ウィンドウ７０１上に表示する。
　　　【０３２８】
　次に、ＮｅｔＳｐｏｔは、ステップＳ１５８０２を実行する。
　　　【０３２９】
　ステップＳ１５８０２は、最初のシートを表示した後で、ＮｅｔＳｐｏｔがバックグラウンドで他のシートの情報を取得するために、他のシートのシート情報リストを作成するステップである。
　　　【０３３０】
　次に、ステップＳ１５８０３では、ＮｅｔＳｐｏｔは、上記ステップＳ１５８０２で作成したシート情報リストの内、取得するシートのシート情報リストを決定する。
　　　【０３３１】
　シート情報の取得順は、制限を設けないが、例えば、初期化ファイルに記述しておいたり、ランダムに決定したり、ＮｅｔＳｐｏｔのプログラム中に固定的に持ったりすることが出来る。
　　　【０３３２】
　次のステップＳ１５８０４、ステップＳ１５８０５は、第１の実施形態のステップＳ１５２０２、ステップＳ１５２０３とまったく同様であるので説明を省略する。
　　　【０３３３】
　また、ステップＳ１５８０６も、ステップＳ１５２０４と同様であるが、ユーザから新たなシート選択のための入力がなかった時に、ステップＳ１５８０７に進むところだけが異なる。
　　　【０３３４】
　次に、ステップＳ１５８０７では、ＮｅｔＳｐｏｔはステップＳ１５８０２において作成した他のシートのシート情報リストの全ての情報を取得し終わったかどうかを調べる。
　　　【０３３５】
　もし、全ての情報を取得し終わったならば、ステップＳ１５８０４に進み、ステップＳ１５８０４からステップＳ１５８０７までおよびステップＳ１５４００を繰り返す。
　　　【０３３６】
　もし、全ての情報を取得し終わっていないならば、ステップＳ１５８０８に進む。
　　　【０３３７】
　ステップＳ１５８０８では、ＮｅｔＳｐｏｔは、現在取得中のシート情報を全て取得し終わったかどうかを調べる。
　　　【０３３８】
　もし、現在取得中のシートのシート情報を全て取得し終わったならば、ＮｅｔＳｐｏｔは、ステップＳ１５８０９に進み、シート情報取得済フラグを立ててからステップＳ１５８０３に戻る。
　　　【０３３９】
　もし、現在取得中のシート情報を全て取得し終わっていないならば、ＮｅｔＳＰｏｔは、ステップＳ１５１００により、プリンタの情報を取得し、ステップＳ１５８０４に戻る。
　　　【０３４０】
　以上で、本フローチャートの説明を終了する。
　　　【０３４１】
　上記図１５８のフローチャートを実行することによって、ＮｅｔＳｐｏｔは、デバイスリスト表示ウィンドウ８０１からデバイス詳細ウィンドウ７０１を開き、シートを切り替え、プリンタのさまざまな情報を表示することができる。
　　　【０３４２】
　以後、デバイス詳細ウィンドウの詳細な機能について述べる。
　　　【０３４３】
　デバイス詳細ウィンドウ（図４３）に表示する内容は、デバイスの機種によって異なる。さらに、デバイス詳細ウィンドウ（図４３）に表示する内容は、管理者モードか一般ユーザモードかによって異なる。基本的に一般ユーザモードにおいては、管理者モードに対して、表示する項目や変更可能な項目に制限を加えている。対象となる機種あるいは起動しているモードあるいは使用しているネットワークプロトコルに応じてサポートしない項目がある場合、以下のいずれかの手段により画面を構成する。
（１）項目がグレーアウトとなり表示が無効となる、あるいは変更不可能となる（基本的に有効となる可能性がある場合）。
（２）項目そのものが表示されない（基本的に有効となる可能性がない場合）。
（３）デバイス詳細ウィンドウ（図４３）のシートそのものをグレーアウトして表示を無効とする、あるいは選択不可能とする（あるタブにおける全項目をサポートしない場合で、基本的に有効となる可能性がある場合）。
（４）デバイス詳細ウィンドウ（図４３）のシートそのものを表示しない（あるタブにおける全項目をサポートしない場合で、基本的に有効となる可能性がない場合）。
　　　【０３４４】
　マネージャ情報テーブルヘの管理者の登録において、ユーザが選択したデバイスにおけるマネージャ情報テーブルヘの管理者の登録に時間を要する場合は、図４４に示すメッセージを表示して、ユーザに管理者を登録中であることを通知する。
　　　【０３４５】
　マネージャ情報テーブルヘの管理者登録の解除において、ユーザが選択したデバイスにおけるマネージャ情報テーブルヘの管理者登録の解除に時間を要する場合は、図４５に示すメッセージを表示して、ユーザに管理者登録を解除中であることを通知する。
　　　【０３４６】
　デバイス詳細ウィンドウ（図４３）の各シート・ダイアログボックスを初めて表示する場合であって、ユーザが選択したデバイスからの情報の取得に時間を要する場合は、図４６に示すメッセージを表示して、ユーザに情報を取得中であることを通知する。情報の取得を中止可能な場合は、［中止］ボタンを有効とする。
　　　【０３４７】
　デバイス詳細ウィンドウ（図４３）の各シート・ダイアログボックスにおいて、ユーザが選択したデバイスヘの情報の設定に時間を要する場合は、図４７に示すメッセージを表示して、ユーザに情報を設定中であることを通知する。
情報の設定をユーザが中止可能な場合は、［中止］ボタンが有効となる。
　　　【０３４８】
　またプリンタのリセット、ネットワークインタフェースボードのリセットの実行において、ユーザにより選択されたデバイスにおけるリセットの実行に時間を要する場合は、図４８に示すメッセージを表示して、ユーザにリセット中であることを通知する。プリンタのリセット、ネットワークインタフェースボードのリセット以外のプリンタのオンライン・オフライン・排紙、プリンタの初期化、ネットワークインタフェースボードの初期化、各種ユーティリティ等のコマンドの実行において、ユーザが選択したデバイスにおけるコマンドの実行に時間を要する場合は、図４９に示すメッセージを表示して、ユーザにコマンドを実行中であることをユーザに通知する。
　　　【０３４９】
　［デバイスパスワード入力ダイアログボックス（図５０参照）］
　デバイス詳細ウィンドウ（図４３）を開いたとき、以下の条件を満足したならば、図５０に示すデバイスパスワード入力ダイアログボックスを表示する。
（１）管理者モードである。
（２）ＮｅｔＳｐｏｔパスワードをＮｅｔＷａｒｅファイルサーバ管理者用パスワードで代用していない、あるいは代用しているが、ＮｅｔＷａｒｅファイルサーバに管理者としてログインしていない（ＮｅｔＳｐｏｔパスワード変更ダイアログボックス（図３８）参照）。
（３）ユーザが選択したデバイスにデバイスパスワードが設定されている。
（４）ユーザが選択したデバイスのデバイスパスワードがＮｅｔＳｐｏｔパスワードと一致しない。
　　　【０３５０】
　デバイスパスワード入力ダイアログボックス（図５０）は、デバイス詳細ウィンドウ（図４３）をユーザが開いたときにデバイスパスワードをユーザが入力するためのダイアログボックスである。管理者モードの場合、この後にユーザが選択したデバイスにおけるマネージャ情報テーブルヘの登録を行う。
［詳細仕様］
　［パスワード（Ｐ）］：　ユーザは０〜１５桁の文字列でデバイスパスワードを入力する。［ユーザモードで開く（Ｕ）］でＯＮがユーザにより選択されていない場合のみ有効となる。大文字と小文字は区別される。
　　　【０３５１】
　［ユーザモードで開く（Ｕ）］：　ユーザが一般ユーザモードでデバイス詳細ウィンドウ（図４３）が開かれるか否かをユーザが選択する。ユーザはＯＮ，ＯＦＦを選択する。
　　　【０３５２】
　［ＯＫ］ボタン：　ユーザが［ＯＫ］ボタンを押下することにより、設定が有効となり、ダイアログボックスが閉じられる。
　　　【０３５３】
　［キャンセル］ボタン：　ユーザが［キャンセル］ボタンを押下することにより、設定が無効となり、ダイアログボックスが閉じられる。
　　　【０３５４】
　［ヘルプ（Ｈ）］ボタン：　オンラインヘルプを表示する。
その他の動作：
　ユーザによって誤ったデバイスパスワードが入力された場合、図５１に示すメッセージを表示して、デバイスパスワード入力ダイアログボックス（図５０）に戻る。
　　　【０３５５】
　ユーザが選択したデバイスにおけるマネージャ情報テーブルヘの登録時に、既に他の端末におけるＮｅｔＳｐｏｔの管理者モードにより、ユーザが選択したデバイスのデバイス詳細ウィンドウ（図４３）を開いていることを検出した場合、図５２に示すメッセージを表示する。ここで、ユーザが［はい（Ｙ）］ボタンを押下した場合は、強制的に管理者モードでデバイス詳細ウィンドウ（図４３）が開かれる。ユーザが［いいえ（Ｎ）］ボタンを押下した場合は、管理者モードのデバイス詳細ウィンドウ（図４３）を開かない。既に他の端末におけるＮｅｔＳｐｏｔの管理者モードにより、ユーザが選択したデバイスのデバイス詳細ウィンドウ（図４３）を開いていることを検出した時に、強制的に管理者モードでデバイス詳細ウィンドウ（図４３）をユーザが開くことをユーザが選択しなかった場合、図５３に示すメッセージを表示する。ここで、ユーザが［はい（Ｙ）］ボタンを押下した場合は、一般ユーザモードでデバイス詳細ウィンドウが開かれる。ユーザモードのデバイス詳細ウィンドウの様子を図１４５に示す。ユーザモードのデバイス詳細ウィンドウ（図１４５）では、管理者モードのデバイス詳細ウィンドウ（図４３）に比較して、ネットワークシートおよびプリンタ設定ボタンが削除されており、プリンタに関する情報を見るだけで、設定動作が行えないようになっている。
　　　【０３５６】
　図５３のメッセージを表示する場面で、ユーザが［いいえ（Ｎ）］ボタンを押下した場合は、何もせずにデバイスリスト表示ウィンドウ（図１５）に戻る。
　　　【０３５７】
　［状態（Ｓｔａｔｕｓ）シート（図５４参照）］
　デバイス詳細ウィンドウ（図４３）がユーザにより開かれたときに最前面に表示するデフォルトのシートとして、あるいはデバイス詳細ウィンドウ（図４３）の左側の［状態］を示すタブをユーザがクリックすることにより、図５４に示す状態（Ｓｔａｔｕｓ）シートを表示する。状態（Ｓｔａｔｕｓ）シート（図５４）は、ユーザが選択したデバイスにおける現在の状態を表示するためのシートである。管理者モード及び一般ユーザモードにおいては、状態（Ｓｔａｔｕｓ）シート（図５４）により、表５に示す機能を提供する。
　　　【０３５８】
　【表５】
　　　【０３５９】
　「プリンタ外観のビットマップ表示」においては、プリンタ本体のデザインをビットマップ表示する。装着されているオプションに応じて、給紙部や排紙部のデザインの切り替えを行う。異常時においては、エラーを示すシンボルを表示する。「操作パネルの状態表示」においては、プリンタより通知されたディスプレイの内容を反映させるとともに、操作パネルの状態を一定間隔でポーリングすることにより、操作パネルの状態表示を定期的に更新する。
　　　【０３６０】
　自動節電機能によりスリープ中の場合は、操作パネルのディスプレイにスリープ中であることを表示する。警告レベルを含むエラー発生中のみ、［エラー情報］ボタンはアクティブであり、エラーが発生していない状態では、［エラー情報］ボタンは無効である。「エラーに対するオンラインヘルプ表示」及び「エラー回復操作」は、ユーザが［エラー情報］ボタンを押下することにより表示されるエラー詳細情報表示ダイアログボックスにおいて実現する。
［詳細仕様］
　［オンライン］ＬＥＤ：　オンラインＬＥＤの状態を表示する。ＯＮ（緑），ＯＦＦ（黒）を表示する。
　　　【０３６１】
　［ディスプレイ］：　１６桁×２行のステータス、メッセージを表示する。スリープ中の場合、”スリープ”と表示する。
　　　【０３６２】
　［プリンタ外観］：　プリンタの外観を表示する。ペーパーデッキ、封筒フィーダ、ステイプルスタッカーのオプション装着状況に応じて、プリンタ外観のデザインが変化する。両面ユニット、ネットワークインタフェースボード、拡張ＲＡＭ、フォントＲＯＭ、コントロールＲＯＭのオプション装着状況は、プリンタ外観のデザＡインに反映されない。プリンタ本体側で警告レベルを除くエラーが発生した場合、プリンタ外観のデザインを変え、エラーを示すシンボルを表示する。エラーの発生した場所がわかる場合は、その場所に赤い○印を付ける。
　　　【０３６３】
　［給紙部］：　各給紙部の名称を表示する。”給紙トレイ”，”上段カセット”，”下段カセッド’，”ペーパーデッキ”，”封筒フィーダ”を表示する。自動給紙でない場合、ユーザにより選択されている給紙部にチェック印を表示する。自動給紙の場合、自動給紙の対象となる給紙部にチェック印を表示する。”ペーパーデッキ”と”封筒フィーダ”はそれぞれオプション装着されている場合のみ有効となる。
　　　【０３６４】
［用紙サイズ］：　各給紙部の用紙サイズを表示する。”Ａ５”，”Ｂ５”，”Ａ４（Ｒ）”，”Ｂ４”，”Ａ３”，”レター（Ｒ）”，”リーガル”，”レジャー”，”エグゼクティブ”，”フリー”，”ユーザペーパー”，”洋形４号”，”角形２号”を表示する。
　　　【０３６５】
　［用紙残量］：　各給紙部の用紙残量を表示する。給紙トレイと封筒フィーダの場合は、”あり”，”なし”の２段階で表示する。カセットの場合は、”０％”，”２５％”，”５０％”，”７５％”，”１００％”の５段階で表示する。
　　　【０３６６】
　［排紙部情報（Ｏ）］ボタン：　排紙部の情報を表示するための排紙部情報表示ダイアログボックスを開く。
　　　【０３６７】
　［エラー数］：　現在発生しているエラー数を表示する。エラー数には、警告レベルのエラーも含まれる。
　　　【０３６８】
　［エラー情報（Ｅ）］ボタン：　ユーザが押下することにより、エラー詳細情報を表示するためのエラー詳細情報表示ダイアログボックスが開かれる。［エラー数］が１以上の場合のみ有効となる。
　　　【０３６９】
　［プリンタ設定（Ｐ）］ボタン：　ユーザが押下することにより、プリンタの環境設定を行うためのプリンタ環境設定ダイアログボックスが開かれる（管理者モードのみ）。
　　　【０３７０】
　［ヘルプ］ボタン：　オンラインヘルプを表示する。
　　　【０３７１】
　［エラー詳細情報表示ダイアログボックス（図５５参照）］
　状態（Ｓｔａｔｕｓ）シート（図５４）の［エラー情報］ボタンをユーザが押下することにより、図５５に示すエラー詳細情報表示ダイアログボックスを表示する。エラー詳細情報表示ダイアログボックス（図５５）は、ユーザにより選択されたデバイスで現在発生している複数のエラー情報を詳細に表示するためのダイアログボックスである。エラー詳細情報表示ダイアログボックス（図５５）は、警告レベルを含むエラー発生中のみに適用される。エラー詳細情報表示ダイアログボックス（図５５）に表示するエラーには、警告レベルのエラーも含まれる。同時に複数のエラーが発生した場合は、優先順位が高い順にエラーを表示する。
　　　【０３７２】
　管理者モードにおいて、発生したエラーに対して、エラースキップ操作や印刷中止操作を実行することができる。エラースキップ操作は、ユーザがプリンタの操作パネルの給排紙選択キーを押下あるいはオンラインキーを押下することにより実行されるエラースキップに相当するものであり、ユーザが［給排紙］ボタンあるいは［オンライン］ボタンを押すことにより実行される。また、印刷中止操作は、ユーザがプリンタの操作パネルの（ソフト）リセットキーを押下することにより実行される印刷中止に相当するものであり、ユーザが［リセット］ボタンを押すことにより実行される。
　　　【０３７３】
　発生したエラーの種類によっては、エラースキップ操作や印刷中止操作が有効とならない場合がある。このため、発生したエラーに応じて、ユーザはエラースキップ操作や印刷中止操作を適切に選択する必要がある。
［詳細仕様］
　［プリンタ外観］：　プリンタの外観を表示する。ペーパーデッキ、封筒フィーダ、ステイプルスタッカーのオプション装着状況に応じて、プリンタ外観のデザインが変わる。両面ユニット、ネットワークインタフェースボード、拡張ＲＡＭ、フォントＲＯＭ、コントロールＲＯＭのオプション装着状況は、プリンタ外観のデザインに反映されない。［エラー詳細］でユーザにより選択されたエラーを示すシンボルを表示する。エラーの発生した場所がわかる場合は、その場所に赤い○印を付ける。
　　　【０３７４】
　［エラー詳細］：　現在発生しているすべてのエラーをリスト表示する。表示するエラーには、警告レベルのエラーも含まれる。エラーの発生した場所がわかる場合は、エラーが発生している位置を表示する。
　　　【０３７５】
　［ＯＫ］ボタン：　ユーザが［ＯＫ］ボタンを押下することにより、ダイアログボックスが閉じられる。
　　　【０３７６】
　［給排紙（Ｉ）］ボタン：　ユーザが［給排紙（Ｉ）］ボタンを押下することにより、プリンタの給排紙をユーザが選択するためのプリンタ給排紙部選択ダイアログボックスが開かれる（管理者モードのみ）。
　　　【０３７７】
　［オンライン（Ｏ）］ボタン：　ユーザが［オンライン（Ｏ）］ボタンを押下することにより、プリンタがオンラインとなる（管理者モードのみ）。
　　　【０３７８】
　［リセット（Ｒ）］ボタン：　ユーザが［リセット（Ｒ）］ボタンを押下することにより、プリンタがソフトリセットされる（管理者モードのみ）。ユーザはオフラインにしてからプリンタのソフトリセットを実行する。プリンタのソフトリセットが終了したならば、ユーザはマネージャ情報テーブルヘの再登録を行う。
　　　【０３７９】
　［ヘルプ（Ｈ）ボタン：　オンラインヘルプを表示する。
その他の動作：
　ユーザが［リセット（Ｒ）］ボタンを押下すると、図５６に示すメッセージを表示する。ここで、ユーザが［はい（Ｙ）］ボタンを押下した場合は、プリンタはソフトリセットされ、エラー詳細情報表示ダイアログボックス（図５５）に戻る。ユーザが［いいえ（Ｎ）］ボタンを押下した場合は、何もせずにエラー詳細情報表示ダイアログボックス（図５５）に戻る。
　　　【０３８０】
　［プリンタ給排紙部選択ダイアログボックス（図５７参照）］
　エラー詳細情報表示ダイアログボックス（図５５）の［給排紙］ボタンをユーザが押下することにより、図５７に示すプリンタ給排紙部選択ダイアログボックスを表示する。プりンタ給排紙部選択ダイアログボックス（図５７）は、ユーザにより選択されたデバイスにおける給排紙部をユーザが選択するためのダイアログボックスである。プリンタ給排紙部選択ダイアログボックス（図５７）は、管理者モードにのみ適用される。
［詳細仕様］
　［給紙部］：　ユーザは給紙部を選択する。ユーザは”自動（Ｕ）”，”給紙トレイ（Ｉ）”，”上段カセット（Ｃ）”，”下段カセット（Ｓ）”，”ペーパーデッキ（Ｐ）”，”封筒フィーダ（Ｖ）”の中から選択する。”ペーパーデッキ（Ｐ）”と”封筒フィーダ（Ｖ）”はそれぞれオプション装着されている場合のみ有効となる。各給紙部の用紙サイズを表示する。”Ａ５”，”Ｂ５”，”Ａ４（Ｒ）”，”Ｂ４”，”Ａ３”，”レター（Ｒ）”，”リーガル”，”レジャー”，”エグゼクティブ”，”フリー”，”ユーザペーパー”，”洋形４号”，”角形２号”を表示する。各給紙部の用紙残量を表示する。給紙トレイと封筒フィーダの場合は、”あり”，”なし”の２段階で表示する。カセットの場合は、”０％”，”２５％”，”５０％”，”７５％”，”１００％”の５段階で表示する。
　　　【０３８１】
　［排紙部］：　ユーザは排紙部を選択する。ユーザはステイプルスタッカーがオプション装着されていない場合、”排紙トレイ（Ｏ）”，”サブ排紙トレイ（Ｂ）”の中から選択する。
　　　【０３８２】
　［ＯＫ］ボタン：　ユーザにより［ＯＫ］ボタンが押下された場合、設定が有効となり、ダイアログボックスが閉じられる。このとき、プリンタの設定が更新される。
　［キャンセル］ボタン：　ユーザにより［キャンセル］ボタンが押下された場合、設定が無効となり、ダイアログボックスが閉じられる。
　　　【０３８３】
　［更新（Ａ）］ボタン：　ユーザにより［更新（Ａ）］ボタンが押下された場合、プリンタの設定が更新される。
　　　【０３８４】
　［ヘルプ（Ｈ）］ボタン：　オンラインヘルプを表示する。
　　　【０３８５】
　［プリンタ環境設定ダイアログボックス（図１４３参照）」
　状態（Ｓｔａｔｕｓ）シート（図５４）の［プリンタ設定］ボタンをユーザが押下することにより、図１４３に示すプリンタ環境設定ダイアログボックスを表示する。
プリンタ環境設定ダイアログボックスは、選択したデバイスにおけるプリンタの環境設定を行うためのダイアログボックスである。基本的に以下の５つのタブ付きのシートによりプリンタ環境設定ダイアログボックスを構成する。
（１）　プリンタ給排紙部設定シート（図５８）
（２）　共通プリント環境基本設定シート（図５９）
（３）　ＬＩＰＳプリント環境基本設定シート（図６９）
（４）　Ｎ２０１プリント環境基本設定シート（図７６）
（５）　ＥＳＣ／Ｐプリント環境基本設定シート（図８８）
　プリンタ環境設定ダイアログボックスがユーザによって開かれたときに、最前面に表示するデフォルトのシートは、プリンタ給排紙部設定シート（図５８）である。代表図として、共通シートを表示しているプリンタ環境設定ダイアログボックスを図１４３に示す。
　　　【０３８６】
　プリンタ環境設定ダイ了ログボックスの上側の各タブ（［給排紙］・［共通］・［ＬＩＰＳ」・［Ｎ２０１］・［ＥＳＣ／Ｐ］）をユーザがクリックすることにより、各タブに対応するシートはプリンタ環境設定ダイアログボックスの最前面に移動する。プリンタ環境設定ダイアログボックスは、管理者モードにのみ適用される。管理者モードにおいては、プリンタ環境設定ダイアログボックスにより、表６から表１１に示す機能を提供する。下記機能のうちのいくつかは、プリンタ本体側において何らかの動作を伴う設定となる。
　　　【０３８７】
　【表６】
　　　【０３８８】
　【表７】
　　　【０３８９】
　【表８】
　　　【０３９０】
　【表９】
　　　【０３９１】
　【表１０】
　　　【０３９２】
　【表１１】
　　　【０３９３】
　［プリンタ給排紙部設定シート（図５８参照）］
　状態（Ｓｔａｔｕｓ）シート（図５４）の［プリンタ設定］ボタンをユーザが押下することにより、最前面に表示するデフォルトのシートとして、あるいはプリンタ環境設定ダイアログボックスの上側の［給排紙］を示すタブをユーザがクリックすることにより、図５８に示すプリンタ給排紙部設定シートを表示する。このプリンタ給排紙部設定シートは、ユーザが選択したデバイスにおけるプリンタ給排紙部の設定を行うためのシートである。
［詳細仕様］
　［プリンタ外観］：　プリンタの外観を表示する。ペーパーデッキ、封筒フィーダ、ステイプルスタッカーのオプション装着状況に応じて、プリンタ外観のデザインを変える。両面ユニット、ネットワークインタフェースボード、拡張ＲＡＭ、フォントＲＯＭ、コントロールＲＯＭのオプション装着状況は、プリンタ外観のデザインに反映されない。ユーザにより［給紙部（Ｉ）］で”自動”以外が選択されている場合、［給紙部（Ｉ）］で選択されている給紙部に色を付ける。ユーザにより［給紙部（Ｉ）］で”自動”が選択されている場合、［自動給紙（Ｋ）］で選択されている給紙部に色を付ける。ユーザにより［排紙部（Ｏ）］で選択されている排紙部に色を付ける。
　　　【０３９４】
　［給紙部（Ｉ）］：　ユーザにより給紙部が選択される。ユーザは”自動”，”給紙トレイ”，”封筒フィーダ”，”上段カセット”，”下段カセット”，”ペーパーデッキ”の中から給紙部を選択する。”ぺ一パーデッキ”と”封筒フィーダ”はそれぞれオプション装着されている場合のみ有効となる。
　　　【０３９５】
　［自動給紙（Ｋ）］：　ユーザにより自動給紙の対象となる給紙部が選択される（複数選択可能）。ユーザは”給紙トレイ”，”上段カセット”，”下段カセット”，”ペーパーデッキ”の中から複数の給紙部を選択する。”ペーパーデッキ”はペーパーデッキがオプション装着されている場合のみ有効となる。
　　　【０３９６】
　［トレイ優先（Ｅ）］：　ユーザにより自動給紙時に給紙トレイを優先するか否かが選択される。ユーザにより［給紙部（Ｉ）］で”自動”が選択され、かつ［自動給紙（Ｋ）］でユーザにより”給紙トレイ”が選択されている場合のみ［トレイ優先（Ｅ）］が有効となる。ユーザはＯＮ，ＯＦＦにより自動給紙時に給紙トレイを優先するか否かを選択する。
　　　【０３９７】
　［トレイ用紙サイズ（Ｓ）］：　ユーザにより給紙トレイの用紙サイズが選択される。ユーザにより［給紙部（Ｉ）］で”給紙トレイ”が選択されている場合、あるいは［給紙部（Ｉ）］で”自動”が選択され、かつ［自動給紙（Ｋ）］でユーザにより”給紙トレイ”が選択されている場合のみ有効となる。ユーザは”Ａ５”，”Ｂ５”，”Ａ４”，”Ｂ４”，”Ａ３　”，”レター”，”リーガル”，”レジャー”，”エグゼクティブ”，”フリー”，”ユーザペーパー”，”洋形４号”，”角形２号”の中からトレイ用紙サイズを選択する。
　　　【０３９８】
　［封筒サイズ（Ｆ）］：　ユーザにより封筒フィーダの封筒サイズが選択される。ユーザにより、封筒フィーダがオプション装着されており、かつ［給紙部（Ｉ）］で”封筒フィーダ”が選択されている場合のみ有効となる。ユーザは”洋形４号”，”フリー”，”ユーザペーパー”の中から封筒サイズを選択する。
　　　【０３９９】
　［排紙部（Ｏ）］：　ユーザにより排紙部が選択される。ユーザは”排紙トレイ”，”サブ排紙トレイ”の中から排紙部を選択する。
　　　【０４００】
　［ＯＫ］ボタン：　ユーザによるプリンタ給排紙部設定シート（図５８）の設定を有効にして、ダイアログボックスを閉じる。ユーザにより設定が変更されている場合は、プリンタの設定を更新する。
　　　【０４０１】
　［キャンセル］ボタン：　ユーザによるプリンタ給排紙部設定シート（図５８）の設定を無効にして、ダイアログボックスを閉じる。
　　　【０４０２】
　［更新（Ａ）］ボタン：　ユーザによりプリンタ給排紙部設定シート（図５８）の設定が変更されている場合は、プリンタの設定を更新する。
　　　【０４０３】
　［更新（Ａ）］ボタンは、ユーザにより設定が変更されている場合のみ有効となる。
　　　【０４０４】
　［ヘルプ（Ｈ）］ボタン：　ユーザの押下により、オンラインヘルプを表示する。
　　　【０４０５】
　［共通プリント環境基本設定シート（図５９参照）］
　プリンタ環境設定ダイアログボックスの上側の［共通］を示すタブをユーザがクリックすることにより、図５９に示す共通プリント環境基本設定シートを表示する。共通プリント環境基本設定シート（図５９）は、ユーザが選択したデバイスにおける基本的な共通プリント環境を設定するためのシートである。
［詳細仕様］
　［コピー枚数設定（Ｐ）］：　ユーザにより１刻みで１〜２５５のコピー枚数が入力される。
　　　【０４０６】
　［スーパースムーズ（Ｚ）］：　ユーザによりスーパスムーズ機能を使用するか否かが選択される。ユーザはＯＮ，ＯＦＦによりスーパスムーズ機能を使用するか否かを選択する。
　　　【０４０７】
　［トナー節約モード（Ｘ）］：　ユーザによりトナー節約モードを使用するか否かが選択される。ユーザはＯＮ，ＯＦＦによりトナー節約モードを使用するか否かを選択する。
　　　【０４０８】
　［トナー濃度（Ｎ）］：　ユーザにより１刻みで１〜８のトナー濃度が選択される。
　　　【０４０９】
　［データ処理解像度］：　ユーザによりデータ処理解像度（ファイン（６００ＤＰＩ），クイック（３００ＤＰＩ））が選択される。ユーザは”ファイン（Ｇ）”，”クイック（Ｑ）”の中からデータ処理解像度を選択する。
　　　【０４１０】
　［両面モード］：　ユーザにより両面印刷を使用するか否かが選択される。ユーザは”片面印刷（Ｓ）”，”両面印刷（Ｄ）”の中から両面モードを選択する。”両面印刷（Ｄ）”は両面ユニットがオプション装着されている場合のみ有効となる。
　　　【０４１１】
　［綴じ幅（Ｂ）］：　ユーザにより０．５刻みで−３０．０〜３０．０ｍｍの綴じ幅（綴じしろ用の余白）が入力される。
　　　【０４１２】
　［綴じ方向］：　ユーザにより綴じ方向（綴じる用紙端の方向）が選択される。ユーザは”長手（Ｌ）”，”短手（Ｗ）”の中から綴じ方向を選択する。
　　　【０４１３】
　［拡張（Ｅ）］ボタン：　ユーザにより［拡張（Ｅ）］ボタンが押下されることにより、共通プリント環境の拡張設定を行うための共通プリント環境拡張設定ダイアログボックス（図６３）が開かれる。
　　　【０４１４】
　［印字調整（Ｃ）］ボタン：　ユーザにより［印字調整（Ｃ）］ボタンが押下されることにより、印字調整関連の設定を行うための印字調整設定ダイアログボックス（図６７）を開く。
　　　【０４１５】
　［動作モード（Ｍ）］ボタン：　ユーザにより［動作モード（Ｍ）］ボタンが押下されることにより、プリント動作モードを設定するためのプリント動作モード設定ダイアログボックス／図６８）を開く。
　　　【０４１６】
　　［ＯＫ］ボタン：　ユーザによる共通プリント環境基本設定シート（図５９）の設定を有効にして、ダイアログボックスを閉じる。ユーザにより設定が変更されている場合は、プリンタの設定を更新する。
　　　【０４１７】
　［キャンセル］ボタン：　ユーザによる共通プリント環境基本設定シート（図５９）の設定を無効にして、ダイアログボックスを閉じる。
　　　【０４１８】
　［更新（Ａ）］ボタン：　ユーザにより共通プリント環境基本設定シート（図５９）の設定が変更されている場合は、プリンタの設定を更新する。［更新（Ａ）］ボタンは、ユーザにより設定が変更されている場合のみ有効となる。
　　　【０４１９】
　［ヘルプ（Ｈ）］ボタン：　ユーザの押下により、オンラインヘルプを表示する。
その他の動作：
　［コピー枚数設定（Ｐ）］において、ユーザが１刻みで１〜２５５以外の値を入力すると、図６０に示すメッセージを表示して、プリンタ環境設定ダイアログボックスに戻る。［綴じ幅（Ｂ）］において、ユーザが−３０．０〜３０．０ｍｍ以外の値を入力すると、図６１に示すメッセージを表示して、プリンタ環境設定ダイアログボックスに戻る。［綴じ幅（Ｂ）］において、ユーザが−３０．０〜３０．０ｍｍの０．５刻みでない値を入力すると、図６２のメッセージを表示して、プリンタ環境設定ダイアログボックスに戻る。
　　　【０４２０】
　［共通プリント環境拡張設定ダイアログボックス（図６３参照）］
　共通プリント環境基本設定シート（図５９）の［拡張］ボタンをユーザが押下することにより、図６３に示す共通プリント環境拡張設定ダイアログボックスを表示する。この共通プリント環境拡張設定ダイアログボックス（図６３）は、ユーザが選択したデバイスにおける詳細な共通プリント環境を設定するためのダイアログボックスである。
［詳細仕様］
　［デフォルトカセット用紙サイズ（Ｃ）］：　ユーザによりデフォルトカセット用紙サイズが選択される。ユーザは”Ａ５”，”Ｂ５”，”Ａ４”，”Ｂ４”，”Ａ３”の中からデフォルトカセット用紙サイズを選択する。
　　　【０４２１】
　［用紙の向き］：　ユーザにより用紙の搬送方向が選択される。ユーザは”縦送り（Ｌ）”，”横送り（Ｗ）”の中から用紙の搬送方向を選択する。
　　　【０４２２】
　［ジョブタイムアウト（Ｔ）］：　ユーザによりジョブタイムアウトを発生させるか否かが選択される。ユーザはＯＮ，ＯＦＦによりジョブタイムアウトを発生させるか否かを選択する。ユーザはジョブタイムアウトを発生させる時間を入力する。また［ジョブタイムアウト（Ｔ）］でユーザによりＯＮが選択されているときのみ時間の入力が有効となる。ユーザはジョブタイムアウトの発生時間として１刻みで５〜３００秒を入力する。
　　　【０４２３】
　［スリープまでの時間（Ｐ）］：　ユーザによりスリープモードに移行するか否かが選択される。ユーザはＯＮ，ＯＦＦによりスリープモードに移行するか否かを選択する。ユーザはスリープモードに移行するまでの時間を選択する。［スリープまでの時間（Ｐ）］でユーザによりＯＮが選択されているときのみ時間の選択が有効となる。ユーザは”１５分”，”３０分”，”６０分”の中からスリープモードに移行するまでの時間を選択する。
　　　【０４２４】
　［自動エラースキップ（Ｘ）］：　ユーザにより自動エラースキップモードを使用するか否かが選択される。ユーザはＯＮ，ＯＦＦにより自動エラースキップモードを使用するか否かを選択する。
　　　【０４２５】
　［警告表示（Ｄ）］：　ユーザにより警告が発生した場合にメッセージを表示するか否かが選択される。ユーザはＯＮ，ＯＦＦにより警告が発生した場合にメッセージを表示するか否かを選択する。
　　　【０４２６】
　［警告処理］：　ユーザにより警告が発生した場合にプリントを継続するか中断するかを選択する。ユーザは”継続（Ｋ）”，”停止（Ｎ）”の中から警告が発生した場合にプリントを継続するか中断するかを選択する。
　　　【０４２７】
　［ブザー警告］：　ユーザによりエラーが発生したときに鳴るブザー警告音の鳴り方が選択される。ユーザは”１回（Ｆ）”，”連続（Ｏ）”の中からブザー警告音の鳴り方を選択する。
　　　【０４２８】
　［パネル表示］：　ユーザにより表示されるメッセージの表示言語が選択される。ユーザは”日本語（Ｊ）”，”英語（Ｅ）”の中から表示されるメッセージの表示言語を選択する。
　　　【０４２９】
　［縦補正（Ｕ）］：　ユーザにより印字位置の長手方向への移動量が入力される。ユーザは印字位置の長手方向への移動量として０．５刻みで−５０．０〜５０．０ｍｍを入力する。
　　　【０４３０】
　［横補正（Ｙ）］：　ユーザにより印字位置の短手方向への移動量が入力される。ユーザは印字位置の短手方向への移動量として０．５刻みで−５０．０〜５０．０ｍｍを入力する。
　　　【０４３１】
　［ＯＫ］ボタン：　ユーザによる共通プリント環境拡張設定ダイアログボックス（図６３）の設定を有効にして、ダイアログボックスを閉じる。ユーザにより設定が変更されている場合は、プリンタの設定を更新する。
　　　【０４３２】
　［キャンセル］ボタン：　ユーザによる共通プリント環境拡張設定ダイアログボックス（図６３）の設定を無効にして、ダイアログボックスを閉じる。
　　　【０４３３】
　［更新（Ａ）］ボタン：　ユーザにより共通プリント環境拡張設定ダイアログボックス（図６３）の設定が変更されている場合は、プリンタの設定を更新する。この［更新（Ａ）］ボタンは、ユーザにより設定が変更されている場合のみ有効となる。
　　　【０４３４】
　［ヘルプ（Ｈ）］ボタン：　ユーザの押下により、オンラインヘルプを表示する。
その他の動作：
　［ジョブタイムアウト（Ｔ）］において、ユーザが１刻みで５〜３００秒以外の値を入力すると、図６４に示すメッセージを表示して、共通プリント環境拡張設定ダイアログボックス（図６３）に戻る。［縦補正（Ｕ）］あるいは［横補正（Ｙ）］において、ユーザが−５０．０〜５０．０ｍｍ以外の値を入力すると、図６５に示すメッセージを表示して、共通プリント環境拡張設定ダイアログボックス（図６３）に戻る。［縦補正（Ｕ）］あるいは［横補正（Ｙ）］において、ユーザが−５０．０〜５０．０ｍｍの０．５刻みでない値を入力すると、図６６に示すメッセージを表示して、共通プリント環境拡張設定ダイアログボックス（図６３）に戻る。
　　　【０４３５】
　［印字調整設定ダイアログボックス（図６７参照）］
　共通プリント環境基本設定シート（図５４）の［印字調整］ボタンをユーザが押下することにより、図６７に示す印字調整設定ダイアログボックスを表示する。この印字調整設定ダイアログボックス（図６７）は、ユーザが選択したデバイスにおける印字調整関連の設定を行うためのダイアログボックスである。
［詳細仕様］
　［ＭａｘｉＭｅｍ（Ｍ）］：　ユーザによりファインモード（６００ＤＰＩ）のサブクローズ時にバンド圧縮を使用するか否かが選択される。ユーザはＯＮ，ＯＦＦによりファインモード（６００ＤＰＩ）のサブクローズ時にバンド圧縮を使用するか否かを選択する。
　［バンド制御（Ｂ）］：　ユーザによりデータ処理方法をバンド処理とするか否かが選択される。ユーザはＯＮ，ＯＦＦによりデータ処理方法をバンド処理とするか否かを選択する。
　　　【０４３６】
　［印字保証メモリ（Ｐ）］：　ユーザによりファインモード（６００ＤＰＩ）データ処理の印字保証メモリが選択される。ユーザは”自動”，”しない”，”Ｍ”，”Ｂ４−”，”Ｂ４”，”Ａ３”，”Ｂ４ｘ２”，”Ａ３ｘ２”，”Ｂ４ｘ３”，”Ａ３ｘ３”の中からファインモード（６００ＤＰＩ）データ処理の印字保証メモリを選択する。なお、印字保証メモリは総ＲＡＭ容量に応じて、以下のように設定可能な値が異なる。
　［システムワークメモリ（Ｓ）］：　ユーザによりワークメモリとして使用可能なメモリ容量が選択される。ユーザは”自動”，”２００Ｋ”，”４００Ｋ”，”６００Ｋ”，”１０００Ｋ”の中からワークメモリとして使用可能なメモリ容量を選択する。なお、ワークメモリはプリンタ側のメモリ環境によって、設定できない項目がありうる。
　　　【０４３７】
　［画質警告］：　ユーザにより解像度や画質が低下した場合にプリントを継続するか停止するかが選択される。ユーザは”継続（Ｋ）”，”停止（Ｎ）”の中から画質が低下した場合のプリントの継続を選択する。
　　　【０４３８】
　［中間調選択］：　ユーザにより多値から２値への変換時のディザパターンが選択される。ユーザは”パターン１（Ｒ）”，”パターン２（Ｇ）”の中から２値への変換時のディザパターンを選択する。
　　　【０４３９】
　［ＯＫ］ボタン：　ユーザによる印字調整設定ダイアログボックス（図６７）の設定を有効にして、ダイアログボックスを閉じる。ユーザにより設定が変更されている場合は、プリンタの設定を更新する。
　　　【０４４０】
　［キャンセル］ボタン：　ユーザによる印字調整設定ダイアログボックス（図６７）の設定を無効にして、ダイアログボックスを閉じる。
　　　【０４４１】
　［更新（Ａ）］ボタン：　ユーザにより印字調整設定ダイアログボックス（図６７）の設定が変更されている場合は、プリンタの設定を更新する。この［更新（Ａ）］ボタンは、ユーザにより設定が変更されている場合のみ有効となる。
　　　【０４４２】
　［ヘルプ（Ｈ）］ボタン：　ユーザの押下により、オンラインヘルプを表示する。
　　　【０４４３】
　［プリント動作モード設定ダイアログボックス（図６８）］
　共通プリント環境基本設定シート（図５９）の［動作モード］ボタンをユーザが押下することにより、図６８に示すプリント動作モード設定ダイアログボックスを表示する。このプリント動作モード設定ダイアログボックスは、ユーザが選択したデバイスにおけるプリント動作モードを設定するためのダイアログボックスである。
［詳細仕様］
　［動作モード（Ｍ）］：　ユーザにより動作モードが選択される。ユーザは”自動”，”ＬＩＰＳ”，”Ｎ２０１”，”ＥＳＣＰ”，”ＨＥＸ−ＤＵＭＰ”，”ＬＩＰＳ一ＤＵＭＰ”の中から動作モードを選択する。
　　　【０４４４】
　［自動エミュレーション選択（Ｓ）］：　ユーザにより自動エミュレーションの対象となるエミュレータが選択される（複数選択可能）。この［自動エミュレーション選択（Ｓ）］は、ユーザにより［動作モード（Ｍ）］で”自動”が選択されている場合のみ有効となる。ユーザは”ＬＩＰＳ”，”Ｎ２０１”，”ＥＳＣＰ”の中から自動エミュレーションの対象となるエミュレータを複数選択する。
　　　【０４４５】
　［優先動作エミュレーション（Ｅ）］：　ユーザにより自動エミュレーション時に優先されるエミュレーションが選択される。［優先動作エミュレーション（Ｅ）］はユーザにより［動作モード（Ｍ）］で”自動”が選択されている場合のみ有効となる。ユーザは”なし”，”ＬＩＰＳ”，”Ｎ２０１”，”ＥＳＣＰ”の中から自動エミュレーション時に優先されるエミュレーションを選択する。
　　　【０４４６】
　［ＯＫ］ボタン：　ユーザによるプリント動作モード設定ダイアログボックス（図６８）の設定を有効にして、ダイアログボックスを閉じる。ユーザにより設定が変更されている場合は、プリンタの設定を更新する。
　　　【０４４７】
　［キャンセル］ボタン：　ユーザによるプリント動作モード設定ダイアログボックス（図６８）の設定を無効にして、ダイアログボックスを閉じる。
　　　【０４４８】
　［更新（Ａ）］ボタン：　ユーザによりプリント動作モード設定ダイアログボックス（図６８）の設定が変更されている場合は、プリンタの設定を更新する。この［更新（Ａ）］ボタンは、ユーザにより設定が変更されている場合のみ有効となる。
　　　【０４４９】
　［ヘルプ（Ｈ）」ボタン：　ユーザの押下により、オンラインヘルプを表示する。
［ＬＩＰＳプリント環境基本設定シート（図６９参照）］
　図６９に示すＬＩＰＳプリント環境設定シートは、プリンタ環境設定ダイアログボックスの上側の［ＬＩＰＳ］を示すタブをユーザがクリックすることにより、表示される。このＬＩＰＳプリント環境基本設定シート（図６９）は、ユーザが選択したデバイスにおける基本的なＬＩＰＳプリント環境を設定するためのシートである。
［詳細仕様］
　［拡大／縮小（Ｒ）］：　ユーザによりＬＩＰＳの拡大／縮小モードが選択される。ユーザは”しない”，”→Ａ３”，”→Ｂ４”，”→Ａ４”，”→Ｂ５”，”→Ａ５”，”→リーガル”，”→レター”の中から拡大／縮小モードを選択する。
　　　【０４５０】
　［複数ページ印刷（Ｎ）］：　ユーザによりＬＩＰＳの複数ページ印刷モードが選択される。ユーザは”しない”，”２ページ左”，”２ページ右”，”４ページ横左”，”４ページ横右”，”４ページ縦左”，”４ページ縦右”の中からＬＩＰＳの複数ページ印刷モードを選択する。
　　　【０４５１】
　［印刷の向き］：　ユーザによりＬＩＰＳの印刷の向きが選択される。ユーザにより”ポートレート（Ｐ）”，”ランドスケープ（Ｌ）”の中からＬＩＰＳの印刷の向きを選択する。
　　　【０４５２】
　［漢字コード（Ｋ）］：　ユーザによりＬＩＰＳの漢字コードが選択される。ユーザは”ＪＩＳ”，”ＳＪＩＳ”，”ＥＵＣ”，”ＤＥＣ”の中からＬＩＰＳの漢字コードを選択する。
　　　【０４５３】
　［文字サイズ（Ｓ）］：　ユーザによりＬＩＰＳの文字サイズが選択される。ユーザは”８ポイント”，”１０ポイント”，”１２ポイント”の中からＬＩＰＳの文字サイズを選択する。
　　　【０４５４】
　［漢字書体（Ｊ）］：　ユーザによりＬＩＰＳの漢字書体が選択される。ユーザは”明朝”，”ゴシック”の中からＬＩＰＳの漢字書体を選択する。
　　　【０４５５】
　［ＡＮＫ書体（Ｉ）］：　ユーザによりＬＩＰＳのＡＮＫ書体が選択される。ユーザは”明朝”，”ゴシック”，”ラインプリンタ”の中からＬＩＰＳのＡＮＫ書体を選択する。
　　　【０４５６】
　［拡張（Ｅ）］ボタン：　ＬＩＰＳプリント環境の拡張設定を行うための図７０に示すＬＩＰＳプリント環境拡張設定ダイアログボックスを開く。
　　　【０４５７】
　［ユーティリティ（Ｕ）］ボタン：　ＬＩＰＳユーティリティを実行するための図７４に示すＵＩＰＳユーティリティダイアログボックスを開く。
　　　【０４５８】
　［ＯＫ］ボタン：　ユーザによるＬＩＰＳプリント環境基本設定シート（図６９）の設定を有効にして、ダイアログボックスを閉じる。ユーザにより設定が変更されている場合は、プリンタの設定を更新する。
　　　【０４５９】
　［キャンセル］ボタン：　ユーザによるＬＩＰＳプリント環境基本設定シート（図６９）の設定を無効にして、ダイアログボックスを閉じる。
　　　【０４６０】
　［更新（Ａ）］ボタン：　ユーザによりＬＩＰＳプリント環境基本設定シート（図６９）の設定が変更されている場合は、プリンタの設定を更新する。この［更新（Ａ）］ボタンは、ユーザにより設定が変更されている場合のみ有効となる。
　　　【０４６１】
　［ヘルプ（Ｈ）］ボタン：　ユーザの押下により、オンラインヘルプを表示する。
　　　【０４６２】
　［ＬＩＰＳプリント環境拡張設定ダイアログボックス（図７０参照）］
　ＬＩＰＳプリント環境基本設定シート（図６９）の［拡張］ボタンをユーザが押下することにより、図７０に示すＬＩＰＳプリント環境拡張設定ダイアログボックスを表示する。このＬＩＰＳプリント環境拡張設定ダイアログボックス（図７０）は、ユーザが選択したデバイスにおける詳細なＬＩＰＳプリント環境を設定するためのダイアログボックスである。
［詳細仕様］
　［行数］：　ユーザによりＬＩＰＳの１ページの行数設定モードが選択される。ユーザは”６ＬＰＩ（Ｂ）”，”８ＬＰＩ（Ｇ）”，”行数設定（Ｌ）”の中からＬＩＰＳの１ページの行数設定モードを選択する。
　　　【０４６３】
　［行数設定（Ｌ）］：　ユーザによりＬＩＰＳの１ページの行数を入力する。［行数設定（Ｌ）］は、ユーザにより［行数］で”行数設定（Ｌ）”が選択されているときのみ有効となる。ユーザは行数設定として１刻みで１０〜９９行を入力する。
　　　【０４６４】
　［桁数］：　ユーザによりＬＩＰＳの１ページの桁数設定モードが選択される。ユーザは”自動（Ｖ）”，”１０ＣＰＩ（Ｉ）”，”１２ＣＰＩ（Ｍ）”，”１５ＣＰＩ（Ｆ）”，”桁数設定（Ｃ）”の中から１ページの桁数設定モードを選択する。
　　　【０４６５】
　［桁数設定（Ｃ）］：　ユーザによりＬＩＰＳの１ページの桁数が入力される。［桁数設定（Ｃ）］は、ユーザにより［桁数］で”桁数設定（Ｃ）”が選択されているときのみ有効となる。ユーザは桁数設定として１刻みで１０〜２００桁を入力する。
　　　【０４６６】
　［自動改ページ（Ｐ）］：　ユーザによりＬＩＰＳで自動改ページを使用するか否かが選択される。ユーザはＯＮ，ＯＦＦによりＬＩＰＳで自動改ページを使用するか否かを選択する。
　　　【０４６７】
　［自動改行（Ｄ）］：　ユーザによりＬＩＰＳで自動改行を使用するか否かが選択される。ユーザはＯＮ，ＯＦＦによりＬＩＰＳで自動改行を使用するか否かを選択する。
　　　【０４６８】
　［ＬＦ機能］：　ユーザによりＬＩＰＳのＬＦ機能が選択される。ユーザは”ＬＦ（Ｕ）”，”ＬＦ＋ＣＲ（Ｒ）”の中からＬＩＰＳのＬＦ機能を選択する。
　　　【０４６９】
　［ＣＲ機能］：　ユーザによりＬＩＰＳのＣＲ機能が選択される。ユーザは”ＣＲ（Ｊ）”，”ＣＲ＋ＬＦ（Ｅ）”の中からＬＩＰＳのＣＲ機能を選択する。
　　　【０４７０】
　［白紙節約（Ｗ）］：　ユーザによりＬＩＰＳで白紙節約機能を使用するか否かが選択される。ユーザはＯＮ，ＯＦＦによりＬＩＰＳで白紙節約機能を使用するか否かを選択する。
　　　【０４７１】
　［タイムアウトコントロール（Ｔ）］：　ユーザによりＬＩＰＳでタイムアウトコントロールを使用するか否かが選択される。ユーザはＯＮ，ＯＦＦによりＬＩＰＳでタイムアウトコントロールを使用するか否かを選択する。
　　　【０４７２】
　［漢字グラフィックセット］：　ユーザによりＬＩＰＳの漢字グラフィックセットが選択される。ユーザは”ＪＩＳ７８（Ｏ）”，”ＪｌＳ９０（Ｎ）”の中からＬＩＰＳの漢字グラフィックセットを選択する。
　　　【０４７３】
　［網かけ解像度］：　ユーザによりＬＩＰＳの網かけ解像度が選択される。ユーザは”ファイン（Ｘ）”，”クイック（Ｙ）”の中からＬＩＰＳの網かけ解像度を選択する。
　　　【０４７４】
　［スタートアップマクロ（Ｓ）］：　ユーザによりＬＩＰＳで実行したいスタートアップマクロ番号が入力される。ユーザはＬＩＰＳで実行したいスタートアップマクロ番号として１刻みで０〜３２７６７を入力する。
　　【０４７５】
　［オーバレイ１（Ｋ）］：　ユーザによりＬＩＰＳでオーバレイプリント１を実行するか否かが選択される。ユーザはＯＮ，ＯＦＦによりＬＩＰＳでオーバレイプリント１を実行するか否かを選択する。ユーザは、オーバレイプリント１に使用するフォーマットデータ番号を入力する。ユーザにより［オーバレイ１（Ｋ）］でＯＮが選択されているときのみ番号の入力が有効となる。ユーザは、オーバレイプリント１に使用するフォーマットデータ番号として１刻みで０〜３２７６７を入力する。
　　　【０４７６】
　［オーバレイ２（Ｑ）］：　ユーザによりＬＩＰＳでオーバレイプリント２を実行するか否かが選択される。ユーザはＯＮ，ＯＦＦによりＬＩＰＳでオーバレイプリント２を実行するか否かを選択する。ユーザは、オーバレイプリント２に使用するフォーマットデータ番号を入力する。ユーザにより［オーバレイ２（Ｑ）］でＯＮが選択されているときのみ番号の入力が有効となる。ユーザは、オーバレイプリント２に使用するフォーマットデータ番号として１刻みで０〜３２７６７を入力する。
　　　【０４７７】
　［ＯＫ］ボタン：　ユーザによるＬＩＰＳプリント環境拡張設定ダイアログボックス（図７０）の設定を有効にして、ダイアログボックスを閉じる。ユーザにより設定が変更されている場合は、プリンタの設定を更新する。
　　　【０４７８】
　［キャンセル］ボタン：　ユーザによるＬＩＰＳプリント環境拡張設定ダイアログボックス（図７０）の設定を無効にして、ダイアログボックスを閉じる。
　　　【０４７９】
　［更新（Ａ）］ボタン：　ユーザによりＬＩＰＳプリント環境拡張設定ダイアログボックス（図７０）の設定が変更されている場合は、プリンタの設定を更新する。この［更新（Ａ）］ボタンは、ユーザにより設定が変更されている場合のみ有効となる。
　　　【０４８０】
　［ヘルプ（Ｈ）］ボタン：　ユーザの押下により、オンラインヘルプを表示する。
その他の動作：
　［行数設定（Ｌ）］において、ユーザが１刻みで１０〜９９行以外の値を入力すると、図７１に示すメッセージを表示して、ＬＩＰＳプリント環境拡張設定ダイアログボックスに戻る。［桁数設定（Ｃ）］において、ユーザが１刻みで１０〜２００桁以外の値を入力すると、図７２に示すメッセージを表示して、ＬＩＰＳプリント環境拡張設定ダイアログボックスに戻る。［スタートアップマクロ（Ｓ）］あるいは［オーバレイ１（Ｋ）］あるいは［オーバレイ２（Ｑ）］において、ユーザが１刻みで０〜３２７６７以外の値を入力すると、図７３に示すメッセージを表示して、ＬＩＰＳプリント環境拡張設定ダイアログボックスに戻る。
　　　【０４８１】
　［ＬＩＰＳユーティリティダイアログボックス（図７４参照）］
　ＬＩＰＳプリント環境基本設定シート（図６９）の［ユーティリティ］ボタンをユーザが押下することにより、図７４に示すＬＩＰＳユーティリティダイアログボックスを表示する。このＬＩＰＳユーティリティダイアログボックス（図７４）は、ユーザが選択したデバイスにおけるＬＩＰＳユーティリティを実行するためのダイアログボックスである。
［詳細仕様］
　［ステータスプリント（Ｓ）］：　ユーザの押下により、ＬＩＰＳのステータスプリントを実行する。オフラインにしてからＬＩＰＳのステータスプリントを実行する。
　　　【０４８２】
　［オーバレイプリント（Ｏ）］：　ユーザの押下により、ＬＩＰＳのオーバレイプリントを実行する。オフラインにしてからＬＩＰＳのオーバレイプリントを実行する。
　　　【０４８３】
　［オーバレイリスト（Ｖ）］：　コーザの押下により、ＬＩＰＳのオーバレイリストを出力する。オフラインにしてからＬＩＰＳのオーバレイリストを出力する。
　　　【０４８４】
　［フォントリスト（Ｆ）］：　ユーザの押下により、ＬＩＰＳのフォントリストを出力する。オフラインにしてからＬＩＰＳのフォントリストを出力する。
　　　【０４８５】
　［マクロリスト（Ｍ）］：　コーザの押下により、ＬＩＰＳのマクロリストを出力する。オフラインにしてからＬＩＰＳのマクロリストを出力する。
　　　【０４８６】
　［ＯＫ］ボタン：　ユーザの押下により、ダイアログボックスを閉じる。
　　　【０４８７】
　［ヘルプ（Ｈ）］ボタン：　ユーザの押下により、オンラインヘルプを表示する。
その他の動作：
　［ステータスプリント（Ｓ）］あるいは［オーバレイプリント（Ｏ）］あるいは［オーバレイリスト（Ｖ）］あるいは［フォントリスト（Ｆ）］あるいは［マクロリスト（Ｍ）］のボタンをユーザが押下したときにプリンタがオンラインの状態ならば、図７５に示すメッセージを表示する。ユーザが［ＯＫ］ボタンを押下した場合は、各種ユーティリティを実行し、ＬＩＰＳユーティリティダイアログボックス（図７４）に戻る。ユーザが［キャンセル］ボタンを押下した場合は、何もせずにＬＩＰＳユーティリティダイアログボックス（図７４）に戻る。
　　　【０４８８】
　［Ｎ２０１プリント環境基本設定シート（図７６参照）］
　プリンタ環境設定ダイアログボックスの上側の［Ｎ２０１］を示すタブをユーザがクリックすることにより、図７６に示すＮ２０１プリント環境基本設定シートを表示する。このＮ２０１プリント環境基本設定シート（図７６）は、ユーザが選択したデバイスにおける基本的なＮ２０１プリント環境を設定するためのシートである。
［詳細仕様］
　［ページフォーマット（Ｐ）］：　ユーザによりＮ２０１のページフォーマットが選択される。ユーザは”実寸縦”，”実寸横”，”１０”→Ａ４縦”，”１５”→Ａ４横”，”１５”→Ｂ４横”，”２／３縦”，”２／３横”の中からＮ２０１のページフォーマットを選択する。
　　　【０４８９】
　［用紙位置］：　ユーザによりＮ２０１の用紙位置が選択される。ユーザは”中央（Ｙ）”，”左（Ｌ）”の中からＮ２０１の用紙位置を選択する。
　　　【０４９０】
　［上余白（Ｗ）］：　ユーザによりＮ２０１の上余白が入力される。ユーザはＮ２０１の上余白として１刻みで−１２７〜１２７を入力する。
　　　【０４９１】
　［用紙位置微調整（Ｂ）］：　ユーザによりＮ２０１の用紙位置（左右の微調整値）が入力される。ユーザはＮ２０１の用紙位置として１刻みで−１２７〜１２７を入力する。
　　　【０４９２】
　［イメージの補正（Ｉ）］：　ユーザによりＮ２０１でイメージデータを補正するか否かが選択される。ユーザはＯＮ，ＯＦＦによりＮ２０１でイメージデータを補正するか否かを選択する。
　　　【０４９３】
　［用紙サイズ（Ｄ）］：　ユーザによりＮ２０１の用紙サイズが選択される。ユーザは”カレント用紙”，”Ａ３”，”Ｂ４”，”Ａ４”，”Ｂ５”，”Ａ５”の中からＮ２０１の用紙サイズを選択する。
　　　【０４９４】
　［２ページ印刷設定（Ｎ）］：　ユーザによりＮ２０１で２ページ印刷するか否かが選択される。ユーザは”しない”，”左”，”右”の中からＮ２０１で２ページ印刷するか否かを選択する。
　　　【０４９５】
　［漢字書体（Ｊ）］：ユーザによりＮ２０１の漢字書体が選択される。ユーザは”明朝”，”ゴシック”，”丸ゴシック’，”ＩＤ”の中からＮ２０１の漢字書体を選択する。
　　　【０４９６】
　［フォントＩＤ（Ｅ）］：　ユーザによりＮ２０１のオプションの漢字書体のフォントＩＤが入力される。［フォントＩＤ（Ｅ）］は、ユーザにより［漢字書体（Ｊ）］で”ＩＤ”が選択されているときのみ有効となる。ユーザはＮ２０１のオプションの漢字書体のフォントＩＤとして１刻みで１〜９９９を入力する。
　　　【０４９７】
　［漢字サイズ（Ｓ）］：　ユーザによりＮ２０１の漢字サイズが選択される。ユーザは”システム”，”８ポイント”，”１０ポイント”，”１２ポイント”の中からＮ２０１の漢字サイズを選択する。
　　　【０４９８】
　［外字サイズ」：　ユーザによりＮ２０１の外字サイズが選択される。ユーザは”１０．８ポイント（Ｇ）”，”１０ポイント（Ｍ）”の中からＮ２０１の外字サイズを選択する。
　　　【０４９９】
　［グラフィック］：　ユーザによりＮ２０１のグラフィックのドットピッチが選択される。ユーザは”ネイティブ（Ｑ）”，”コピー（Ｒ）”の中からＮ２０１のグラフィックのドットピッチを選択する。
　　　【０５００】
　［拡張１（Ｋ）］ボタン：　Ｎ２０１プリント環境の拡張設定（１）を行うためのＮ２０１プリント環境拡張１設定ダイアログボックス（図７９）を開く。
　　　【０５０１】
　［拡張２（Ｘ）］ボタン：　Ｎ２０１プリント環境の拡張設定（２）を行うためのＮ２０１プリント環境拡張２設定ダイアログボックス（図８２）を開く。
　　　【０５０２】
　［ユーティリティ（Ｕ）］ボタン：　Ｎ２０１ユーティリティを実行するためのＮ２０１ユーティリティダイアログボックス（図８６）を開く。
　　　【０５０３】
　［ＯＫ］ボタン：　ユーザによるＮ２０１プリント環境基本設定シート（図７６）の設定を有効にして、ダイアログボックスを閉じる。ユーザにより設定が変更されている場合は、プリンタの設定を更新する。
　　　【０５０４】
　［キャンセル］ボタン：　ユーザによるＮ２０１プリント環境基本設定シート（図７６）の設定を無効にして、ダイアログボックスを閉じる。
　　　【０５０５】
　［更新（Ａ）］ボタン：　ユーザによりＮ２０１プリント環境基本設定シート（図７６）の設定が変更されている場合は、プリンタの設定を更新する。この［更新（Ａ）］ボタンは、ユーザにより設定が変更されている場合のみ有効となる。
　　　【０５０６】
　［ヘルプ（Ｈ）］ボタン：　ユーザの押下により、オンラインヘルプを表示する。
その他の動作：
［上余白（Ｗ）］あるいは［用紙位置微調整（Ｂ）］において、ユーザが１刻みで−１２７〜１２７以外の値を入力すると、図７７に示すメッセージを表示して、プリンタ環境設定ダイアログボックスに戻る。［フォントＩＤ（Ｅ）］において、ユーザが１刻みで１〜９９９以外の値を入力すると、図７８に示すメッセージを表示して、プリンタ環境設定ダイアログボックスに戻る。
　　　【０５０７】
　［Ｎ２０１プリント環境拡張１設定ダイアログボックス（図７９参照）］
　Ｎ２０１プリント環境基本設定シート（図７６）の［拡張１］ボタンをユーザが押下することにより、図７９に示すＮ２０１プリント環境拡張１設定ダイアログボックスを表示する。このＮ２０１プリント環境拡張１設定ダイアログボックス（図７９）は、ユーザが選択したデバイスにおける詳細なＮ２０１プリント環境を設定するためのダイアログボックスである。
［詳細仕様］
　［領域］：　ユーザによりＮ２０１の印字領域モードが選択される。ユーザは”標準（Ｑ）”，”ワイド（Ｗ）”の中からＮ２０１の印字領域モードを選択する。
　　　【０５０８】
　［右マージン既定値］：　ユーザによりＮ２０１の右マージンの位置が選択される。ユーザは”１３６桁（Ｙ）”，”右端（Ｒ）”の中からＮ２０１の右マージンの位置を選択する。
　　　【０５０９】
　［単票用紙長機能（Ｓ）］：　ユーザによりＮ２０１でカット紙のページ長を指定するか否かが選択される。ユーザはＯＮ，ＯＦＦによりＮ２０１でカット紙のページ長を指定するか否かを選択する。
　　　【０５１０】
　［ミシン目スキップ（Ｍ）］：　ユーザによりＮ２０１で下端からスキップする行数を入力する。ユーザはＮ２０１で下端からスキップする行数として、１刻みで０〜１９７行を入力する。
　　　【０５１１】
　［用紙長機能（Ｌ）］：　ユーザによりＮ２０１でリセット時にページ長の指定を有効にするか否かが選択される。ユーザはＯＮ，ＯＦＦによりＮ２０１でリセット時にページ長の指定を有効にするか否かを選択する。
　　　【０５１２】
　［用紙長設定（Ｄ）］：　ユーザによりＮ２０１のカット紙及び連続用紙のページ長を入力する。［用紙長設定（Ｄ）］は、ユーザにより［用紙長機能（Ｌ）］でＯＮが選択されているときのみ有効となる。ユーザはＮ２０１のカット紙及び連続用紙のページ長として１刻みで１〜１９９行を入力する。
　　　【０５１３】
　［登録レベル］：　ユーザによりＮ２０１で登録文字を保存するレベルが選択される。ユーザは”永久（Ｐ）”，”一時（Ｔ）”の中からＮ２０１で登録文字を保存するレベルを選択する。
　　　【０５１４】
　［ゼロ書体］：　ユーザによりＮ２０１の半角文字の［０］の書体が選択される。ユーザは”スラッシュなしの０（Ｅ）”，”スラッシュありの０（Ｆ）”の中からＮ２０１の半角文字の［０］の書体を選択する。
　　　【０５１５】
　［国別文字（Ｃ）］：　ユーザによりＮ２０１で１バイトコードの国別対応部分に適用する文字セットが選択される。ユーザは”日本”，”アメリカ”，”イギリス”，”ドイツ”，”スウェーデン”の中からＮ２０１で１バイトコードの国別対応部分に適用する文字セットを選択する。
　　　【０５１６】
　［漢字グラフィックセット］：　ユーザによりＮ２０１のＪＩＳコードで使用する漢字グラフィックセットが選択される。ユーザは”ＪＩＳ７８（Ｏ）”，”ＪＩＳ９０（Ｎ）”の中からＮ２０１のＪＩＳコードで使用する漢字グラフィックセットを選択する。
　　　【０５１７】
　［ＣＲ機能］：　ユーザによりＮ２０１で復帰コード（ＣＲ）受信した時の印字位置の移動のしかたが選択される。ユーザは”復帰のみ（Ｇ）”，”復帰／改行（Ｊ）”の中からＮ２０１で復帰コード（ＣＲ）受信した時の印字位置の移動のしかたを選択する。
　　　【０５１８】
　［印字指令］：　ユーザによりＮ２０１で印字開始命令となる制御コードが選択される。ユーザは”ＣＲのみ（Ｖ）”，”ＣＲなど（Ｋ）”の中からＮ２０１で印字開始命令となる制御コードを選択する。
　　　【０５１９】
　［バッファフル］：　ユーザによりＮ２０１で印字位置が右マージンを越えたときの動作が選択される。ユーザは”復帰／改行（Ｉ）”，”復帰のみ（Ｕ）”の中からＮ２０１で印字位置が右マージンを越えたときの動作を選択する。
　　　【０５２０】
　［ＯＫ］ボタン：　ユーザによるＮ２０１プリント環境拡張１設定ダイアログボックス（図７９）の設定を有効にして、ダイアログボックスを閉じる。ユーザにより設定が変更されている場合は、プリンタの設定を更新する。
　　　【０５２１】
　［キャンセル］ボタン：　ユーザによるＮ２０１プリント環境拡張１設定ダイアログボックス（図７９）の設定を無効にして、ダイアログボックスを閉じる。
　　　【０５２２】
　［更新（Ａ）］ボタン：　ユーザによりＮ２０１プリント環境拡張１設定ダイアログボックス（図７９）の設定が変更されている場合は、プリンタの設定を更新する。［更新（Ａ）］ボタンは、ユーザにより設定が変更されている場合のみ有効となる。
　　　【０５２３】
　［ヘルプ（Ｈ）］ボタン：　ユーザの押下により、オンラインヘルプを表示する。
その他の動作：
　［ミシン目スキップ（Ｍ）］において、ユーザが１刻みで０〜１９７行以外の値を入力すると、図８０に示すメッセージを表示して、Ｎ２０１プリント環境拡張１設定ダイアログボックス（図７９）に戻る。［用紙長設定（Ｄ）］において、ユーザが１刻みで１〜１９９行以外の値を入力すると、図８１に示すメッセージを表示して、Ｎ２０１プリント環境拡張１設定ダイアログボックス（図７９）に戻る。
　　　【０５２４】
　［Ｎ２０１プリント環境拡張２設定ダイアログボックス（図８２参照）］
　Ｎ２０１プリント環境基本設定シート（図７６）の［拡張２］ボタンをユーザが押下することにより、図８２に示すＮ２０１プリント環境拡張２設定ダイアログボックスを表示する。Ｎ２０１プリント環境拡張２設定ダイアログボックス（図８２）は、ユーザが選択したデバイスにおけるさらに詳細なＮ２０１プリント環境を設定するためのダイアログボックスである。
［詳細仕様］
　［行固定機能（Ｌ）］：　ユーザによりＮ２０１で行固定機能を使用するか否かが選択される。ユーザはＯＮ，ＯＦＦによりＮ２０１で行固定機能を使用するか否かを選択する。
　　　【０５２５】
　［固定行数（Ｅ）］：　ユーザによりＮ２０１の行固定機能における固定行数が入力される。［固定行数（Ｅ）］は、ユーザにより［行固定機能（Ｌ）］でＯＮが選択されているときのみ有効となる。ユーザはＮ２０１の行固定機能における固定行数として１刻みで１０〜４００行を入力する。
　　　【０５２６】
　［桁固定機能（Ｃ）］：　ユーザによりＮ２０１で桁固定機能を使用するか否かが選択される。ユーザはＯＮ，ＯＦＦによりＮ２０１で桁固定機能を使用するか否かを選択する。
　　　【０５２７】
　［固定桁数（Ｎ）］：　ユーザによりＮ２０１の桁固定機能における固定桁数が入力される。［固定桁数（Ｎ）］は、ユーザにより［桁固定機能（Ｃ）］でＯＮが選択されているときのみ有効となる。ユーザはＮ２０１の桁固定機能における固定桁数として１刻みで１０〜４００桁を入力する。
　　　【０５２８】
　［ＯＣＲフォント（Ｆ）］：　ユーザによりＮ２０１で使用するＯＣＲフォントが選択される。ユーザは”使用しない”，”ＯＣＲ−Ｂ”，”ＯＣＲ−Ａ”，”ＯＣＲ−Ｂ＋ＯＣＲ−カナ”，”ＯＣＲ−Ａ＋ＯＣＲ−カナ”の中からＮ２０１で使用するＯＣＲフォントを選択する。
　　　【０５２９】
　［改行幅（Ｄ）］：　ユーザによりＮ２０１の改行幅が選択される。ユーザは”３ＬＰＩ”，”４ＬＰＩ”，”６ＬＰＩ”，”８ＬＰＩ”の中からＮ２０１の改行幅を選択する。
　　　【０５３０】
　［漢字比率（Ｒ）」：　ユーザによりＮ２０１の漢字比率が選択される。ユーザは”２／１”，”３／２”，”４／３”，”５／４”，”１／１”の中からＮ２０１の漢字比率を選択する。
　　　【０５３１】
　［スタートアップマクロ（Ｍ）］：　ユーザによりＮ２０１で実行したいスタートアップマクロ番号が入力される。ユーザはＮ２０１で実行したいスタートアップマクロ番号として１刻みで０〜２５５を入力する。
　　　【０５３２】
　［システムオーバレイ（Ｏ）］：　ユーザによりＮ２０１でシステムオーバレイプリントを実行するか否かが選択される。ユーザはＯＮ，ＯＦＦによりＮ２０１でシステムオーバレイプリントを実行するか否かを選択する。ユーザはシステムオーバレイプリントに使用するフォーマットデータ番号を入力する。ユーザにより［システムオーバレイ（Ｏ）］でＯＮが選択されているときのみユーザにより入力されたシステムオーバレイプリントに使用するフォーマットデータ番号が有効となる。ユーザはシステムオーバレイプリントに使用するフォーマットデータ番号として１刻みで１〜５を入力する。
　　　【０５３３】
　［ユーザオーバレイ１（Ｕ）］：　ユーザによりＮ２０１でユーザオーバレイプリント１を実行するか否かが選択される。ユーザはＯＮ，ＯＦＦによりＮ２０１でユーザオーバレイプリント１を実行するか否かを選択する。
　　　【０５３４】
　［ユーザオーバレイ２（Ｖ）］：　ユーザによりＮ２０１でユーザオーバレイプリント２を実行するか否かが選択される。ユーザはＯＮ，ＯＦＦによりＮ２０１でユーザオーバレイプリント２を実行するか否かを選択する。
　　　【０５３５】
　［ＨＥＸモード後の改行無視（Ｉ）］：　ユーザによりＮ２０１でＨＥＸモード後に改行を無視するか否かが選択される。ユーザはＯＮ，ＯＦＦによりＮ２０１でＨＥＸモード後に改行を無視するか否かを選択する。
　　　【０５３６】
　［ＨＥＸ／ＬＩＰＳ機能（Ｘ）］：　ユーザによりＮ２０１でＨＥＸ／ＬＩＰＳ機能を使用するか否かが選択される。ユーザはＯＮ，ＯＦＦによりＮ２０１でＨＥＸ／ＬＩＰＳ機能を使用するか否かを選択する。
　　　【０５３７】
　［ＬＩＰＳフォーム］：　ユーザによりＮ２０１のＬＩＰＳフォームが選択される。ユーザは”ＬＩＰＳ２（Ｐ）”，”ＬＩＰＳ４（Ｓ）”の中からＮ２０１のＬＩＰＳフォームを選択する。
　　　【０５３８】
　［ＯＫ］ボタン：　ユーザによるＮ２０１プリント環境拡張２設定ダイアログボックス（図８２）の設定を有効にして、ダイアログボックスを閉じる。ユーザにより設定が変更されている場合は、プリンタの設定を更新する。
　　　【０５３９】
　［キャンセル］ボタン：　ユーザによるＮ２０１プリント環境拡張２設定ダイアログボックス（図８２）の設定を無効にして、ダイアログボックスを閉じる。
　　　【０５４０】
　［更新（Ａ）］ボタン：　ユーザによりＮ２０１プリント環境拡張２設定ダイアログボックス（図８２）の設定が変更されている場合は、プリンタの設定を更新する。［更新（Ａ）］ボタンは、ユーザにより設定が変更されている場合のみ有効となる。
　　　【０５４１】
　［ヘルプ（Ｈ）］ボタン：　ユーザの押下により、オンラインヘルプを表示する。
その他の動作：
　［固定行数］あるいは［固定桁数］において、ユーザが１刻みで１０〜４００以外の値を入力すると、図８３に示すメッセージを表示して、Ｎ２０１プリント環境拡張２設定ダイアログボックス（図８２）に戻る。［スタートアップマクロ（Ｍ）］において、ユーザが１刻みで０〜２５５以外の値を入力すると、図８４に示すメッセージを表示して、Ｎ２０１プリント環境拡張２設定ダイアログボックス（図８２）に戻る。［システムオーバレイ（Ｏ）］において、ユーザが１刻みで１〜５以外の値を入力すると、図８５に示すメッセージを表示して、Ｎ２０１プリント環境拡張２設定ダイアログボックス（図８２）に戻る。
　　　【０５４２】
　［Ｎ２０１ユーティリティダイアログボックス（図８６参照）］
　Ｎ２０１プリント環境基本設定シート（図７６）の［ユーティリティ］ボタンをユーザが押下することにより、図８６に示すＮ２０１ユーティリティダイアログボックスを表示する。このＮ２０１ユーティリティダイアログボックス（図８６）は、ユーザが選択したデバイスにおけるＮ２０１ユーティリティを実行するためのダイアログボックスである。
［詳細仕様］
　［ステータスプリント（Ｓ）］：　ユーザの押下により、Ｎ２０１のステータスプリントを実行する。オフラインにしてからＮ２０１のステータスプリントを実行する。
　　　【０５４３】
　［オーバレイプリント（Ｏ）］：　ユーザの押下により、Ｎ２０１のオーバレイプリントを実行する。オフラインにしてからＮ２０１のオーバレイプリントを実行する。
　　　【０５４４】
　［ＯＫ］ボタン：　ユーザの押下により、ダイアログボックスを閉じる。
　　　【０５４５】
　［ヘルプ（Ｈ）］ボタン：　ユーザの押下により、オンラインヘルプを表示する。
その他の動作：
　［ステータスプリント（Ｓ）］あるいは［オーバレイプリント（Ｏ）］のボタンをユーザが押下したときにプリンタがオンラインの状態ならば、図８７に示すメッセージを表示する。ユーザが［ＯＫ］ボタンを押下した場合は、各種ユーティリティを実行し、Ｎ２０１ユーティリティダイアログボックスに戻る。ユーザが［キャンセル］ボタンを押下した場合は、何もせずにＮ２０１ユーティリティダイアログボックス（図８６）に戻る。
　　　【０５４６】
　［ＥＳＣ／Ｐプリント環境基本設定シート（図８８参照）］
　プリンタ環境設定ダイアログボックスの上側の［ＥＳＣ／Ｐ］を示すタブをクリックすることにより、図８８に示すＥＳＣ／Ｐプリント環境基本設定シートを表示する。ＥＳＣ／Ｐプリント環境基本設定シート（図８８）は、ユーザが選択したデバイスにおける基本的なＥＳＣ／Ｐプリント環境を設定するためのシートである。
［詳細仕様］
　［ページフォーマット（Ｐ）］：　ユーザによりＥＳＣ／Ｐのページフォーマットが選択される。ユーザは”実寸縦”，”実寸横”，”１０”→Ａ４縦”，”１５”→Ａ４横”，”１５”→Ｂ４横”，”Ｂ４→Ａ４縦”，”Ｂ４→Ａ４横”の中からＥＳＣ／Ｐのページフォーマット選択する。
　　　【０５４７】
　［上余白（Ｗ）］：　ユーザによりＥＳＣ／Ｐの上余白が入力される。ユーザはＥＳＣ／Ｐの上余白として１刻みで−１２７〜１２７を入力する。
　　　【０５４８】
　［用紙位置微調整（Ｂ）］：　ユーザによりＥＳＣ／Ｐの用紙位置（左右の微調整値）が入力される。ユーザはＥＳＣ／Ｐの用紙位置として１刻みで−１２７〜１２７を入力する。
　　　【０５４９】
　［縮小文字印刷（Ｉ）］：　ユーザによりＥＳＣ／Ｐで縮小文字印刷を行うか否かが選択される。ユーザはＯＮ，ＯＦＦによりＥＳＣ／Ｐで縮小文字印刷を行うか否かを選択できる。
　　　【０５５０】
　［イメージの補正（Ｍ）］：　ユーザによりＥＳＣ／Ｐでイメージデータを補正するか否かが選択される。ユーザはＯＮ，ＯＦＦによりＥＳＣ／Ｐでイメージデータを補正するか否かを選択する。
　　　【０５５１】
　［用紙サイズ（Ｄ）］：　ユーザによりＥＳＣ／Ｐの用紙サイズが選択される。ユーザは”カレント用紙”，”Ａ３”，”Ｂ４”，”Ａ４”，”Ｂ５”，”Ａ５”の中からＥＳＣ／Ｐの用紙サイズを選択する。
　　　【０５５２】
　［２ページ印刷設定（Ｎ）］：　ユーザによりＥＳＣ／Ｐで２ページ印刷するか否かが選択される。ユーザは”しない”，”左”，”右”の中からＥＳＣ／Ｐで２ページ印刷するか否かを選択する。
　　　【０５５３】
　［漢字書体（Ｊ）］：　ユーザによりＥＳＣ／Ｐの漢字書体が選択される。ユーザは”明朝”，”ゴシック”，”丸ゴシック”，”ＩＤ”の中からＥＳＣ／Ｐの漢字書体を選択する。
　　　【０５５４】
　［フォントＩＤ（Ｅ）］：　ユーザによりＥＳＣ／Ｐのオプションの漢字書体のフォントＩＤが入力される。［フォントＩＤ（Ｅ）］は、ユーザにより［漢字書体（Ｊ）］で”ＩＤ”が選択されているときのみ有効となる。ユーザはＥＳＣ／Ｐのオプションの漢字書体のフォントＩＤとして１刻みで１〜９９９を入力する。
　　　【０５５５】
　［漢字サイズ（Ｓ）］：　ユーザによりＥＳＣ／Ｐの漢字サイズが選択される。ユーザは”システム”，”８ポイント”，”１０ポイント”，”１２ポイント”の中からＥＳＣ／Ｐの漢字サイズを選択する。
　　　【０５５６】
　［拡張１（Ｋ）］ボタン：　ユーザの押下により、ＥＳＣ／Ｐプリント環境の拡張設定（１）を行うためのＥＳＣ／Ｐプリント環境拡張１設定ダイアログボックス（図９１）を開く。
　　　【０５５７】
　［拡張２（Ｘ）］ボタン：　ユーザの押下により、ＥＳＣ／Ｐプリント環境の拡張設定（２）を行うためのＥＳＣ／Ｐプリント環境拡張２設定ダイアログボックス（図９４）を開く。
　　　【０５５８】
　［ユーティリティ（Ｕ）］ボタン：　ユーザの押下により、ＥＳＣ／Ｐユーティリティを実行するためのＥＳＣ／Ｐユーティリティダイアログボックス（図９８）を開く。
　　　【０５５９】
　［ＯＫ］ボタン：　ユーザによるＥＳＣ／Ｐプリント環境基本設定シート（図８８）の設定を有効にして、ダイアログボックスを閉じる。設定が変更されている場合は、プリンタの設定を更新する。
　　　【０５６０】
　［キャンセル］ボタン：　ユーザによるＥＳＣ／Ｐプリント環境基本設定シート（図８８）の設定を無効にして、ダイアログボックスを閉じる。
　　　【０５６１】
　［更新（Ａ）］ボタン：　ユーザによりＥＳＣ／Ｐプリント環境基本設定シート（図８８）の設定が変更されている場合は、プリンタの設定を更新する。［更新（Ａ）］ボタンは、ユーザにより設定が変更されている場合のみ有効となる。
　　　【０５６２】
　［ヘルプ（Ｈ）］ボタン：　ユーザの押下により、オンラインヘルプを表示する。
その他の動作：
　［上余白（Ｗ）］あるいは［用紙位置微調整（Ｂ）］において、ユーザが１刻みで−１２７〜１２７以外の値を入力すると、図８９に示すメッセージを表示して、プリンタ環境設定ダイアログボックスに戻る。［フォントＩＤ（Ｅ）］において、ユーザが１刻みで１〜９９９以外の値を入力すると、図９０に示すメッセージを表示して、プリンタ環境設定ダイアログボックスに戻る。
　　　【０５６３】
　［ＥＳＣ／Ｐプリント環境拡張１設定ダイアログボックス（図９１参照）］
　ＥＳＣ／Ｐプリント環境基本設定シート（図８８）の［拡張１］ボタンをユーザが押下することにより、図９１に示すＥＳＣ／Ｐプリント環境拡張１設定ダイアログボックスを表示する。このＥＳＣ／Ｐプリント環境拡張１設定ダイアログボックス（図９１）は、ユーザが選択したデバイスにおける詳細なＥＳＣ／Ｐプリント環境を設定するためのダイアログボックスである。
［詳細仕様］
　［領域］：　ユーザによりＥＳＣ／Ｐの印字領域モードが選択される。ユーザは”標準（Ｑ）”，”ワイド（Ｗ）”の中からＥＳＣ／Ｐの印字領域モードを選択する。
　　　【０５６４】
　［右マージン既定値］：　ユーザによりＥＳＣ／Ｐの右マージンの位置が選択される。ユーザは”１３６桁（Ｙ）”，”右端（Ｒ）”の中からＥＳＣ／Ｐの右マージンの位置を選択する。
　　　【０５６５】
　［連続用紙長（Ｌ）］：　ユーザによりＥＳＣ／Ｐで連続用紙のページ長を指定するか否かが選択される。ユーザはＯＮ，ＯＦＦによりＥＳＣ／Ｐで連続用紙のページ長を指定するか否かを選択する。ユーザはＥＳＣ／Ｐでの連続用紙のページ長を入力する。［連続用紙長（Ｌ）］は、ユーザによりＯＮが選択されているときのみページ長の入力が有効となる。ユーザはＥＳＣ／Ｐでの連続用紙として１刻みで１〜１９９行を入力する。
　　　【０５６６】
　［単票用紙長（Ｓ）］：　ユーザによりＥＳＣ／Ｐでカット紙のページ長を指定するか否かが選択される。ユーザはＯＮ，ＯＦＦによりＥＳＣ／Ｐでカット紙のページ長を指定するか否かを選択する。ユーザはＥＳＣ／Ｐでのカット紙のページ長を入力する。［単票用紙長（Ｓ）］は、ユーザによりＯＮが選択されているときのみページ長の入力が有効となる。ユーザはカット紙のページ長として１刻みで１〜１９９行を入力する。
　　　【０５６７】
　［ミシン目スキップ（Ｍ）］：　ユーザによりＥＳＣ／Ｐで下端からスキップするか否かが選択される。ユーザはＯＮ，ＯＦＦによりＥＳＣ／Ｐで下端からスキップするか否かを選択する。ユーザはＥＳＣ／Ｐで下端からスキップする行数を入力する。［ミシン目スキップ（Ｍ）］は、ユーザによりＯＮが選択されているときのみ行数の入力が有効となる。ユーザはＥＳＣ／Ｐで下端からスキップする行数として１刻みで１〜３１行を入力する。
　　　【０５６８】
　［文字コード表］：　ユーザによりＥＳＣ／Ｐで１バイトコード表にセットする文字セットが選択される。ユーザは”カタカナ（Ｊ）”，”グラフィックス（Ｏ）”の中からＥＳＣ／Ｐで１バイトコード表にセットする文字セットを選択する。
　　　【０５６９】
　［国別文字（Ｃ）］：　ユーザによりＥＳＣ／Ｐで１バイトコードの国別対応部分に適用する文字セットが選択される。ユーザは”日本”，”ノルウェー”，”デンマーク２”，”スペイン２”，”ラテンアメリカ”，”アメリカ”，”フランス”，”ドイツ”，”イギリス”，”デンマーク”，”スウェーデン”，”イタリア”，”スペイン”の中からＥＳＣ／Ｐで１バイトコードの国別対応部分に適用する文字セットを選択する。
　　　【０５７０】
　［登録レベル］：　ユーザによりＥＳＣ／Ｐで登録文字を保存するレベルが選択される。ユーザは”永久（Ｐ）”，”一時（Ｔ）”の中からＥＳＣ／Ｐで登録文字を保存するレベルを選択する。
　　　【０５７１】
　［改行機能］：　ユーザによりＥＳＣ／Ｐで復帰コード（ＣＲ）を受信した時の印字位置の移動のしかたが選択される。ユーザは”ＬＦコマンドを待つ（Ｆ）”，”改行（Ｅ）”の中からＥＳＣ／Ｐで復帰コード（ＣＲ）を受信した時の印字位置の移動のしかたを選択する。
　　　【０５７２】
　［ＯＫ」ボタン：　ユーザによるＥＳＣ／Ｐプリント環境拡張１設定ダイアログボックス（図９１）の設定を有効にして、ダイアログボックスを閉じる。ユーザにより設定が変更されている場合は、プリンタの設定を更新する。
　　　【０５７３】
　［キャンセル］ボタン：　ユーザによるＥＳＣ／Ｐプリント環境拡張１設定ダイアログボックス（図９１）の設定を無効にして、ダイアログボックスを閉じる。
　　　【０５７４】
　［更新（Ａ）］ボタン：　ユーザによりＥＳＣ／Ｐプリント環境拡張１設定ダイアログボックス（図９１）の設定が変更されている場合は、プリンタの設定を更新する。［更新（Ａ）］ボタンは、ユーザにより設定が変更されている場合のみ有効となる。
　　　【０５７５】
　［ヘルプ（Ｈ）］ボタン：　ユーザの押下により、オンラインヘルプを表示する。
その他の動作：
　［連続用紙長（Ｌ）］あるいは［単票用紙長（Ｓ）］において、ユーザが１刻みで１〜１９９行以外の値を入力すると、図９２に示すメッセージを表示して、ＥＳＣ／Ｐプリント環境拡張１設定ダイアログボックス（図９１）に戻る。［ミシン目スキップ（Ｍ）］において、ユーザが１刻みで１〜３１行以外の値を入力すると、図９３に示すメッセージを表示して、ＥＳＣ／Ｐプリント環境拡張１設定ダイアログボックス（図９１）に戻る。
　　　【０５７６】
　［ＥＳＣ／Ｐプリント環境拡張２設定ダイアログボックス（図９４参照）］
　ＥＳＣ／Ｐプリント環境基本設定シート（図８８）の［拡張２］ボタンを押下することにより、図９４に示すＥＳＣ／Ｐプリント環境拡張２設定ダイアログボックスを表示する。このＥＳＣ／Ｐプリント環境拡張２設定ダイアログボックス（図９４）は、ユーザが選択したデバイスにおけるさらに詳細なＥＳＣ／Ｐプリント環境を設定するためのダイアログボックスである。
［詳細仕様］
　［行固定機能（Ｌ）］：　ユーザによりＥＳＣ／Ｐで行固定機能を使用するか否かが選択される。ユーザはＯＮ，ＯＦＦによりＥＳＣ／Ｐで行固定機能を使用するか否かを選択する。
　　　【０５７７】
　［固定行数（Ｅ）］：　ユーザによりＥＳＣ／Ｐの行固定機能における固定行数を入力する。［固定行数（Ｅ）］は、ユーザにより［行固定機能（Ｌ）］でＯＮが選択されているときのみ有効となる。ユーザはＥＳＣ／Ｐの行固定機能における固定行数として１刻みで１０〜４００行を入力する。
　　　【０５７８】
　［桁固定機能（Ｃ）］：　ユーザによりＥＳＣ／Ｐで桁固定機能を使用するか否かが選択される。ユーザはＯＮ，ＯＦＦによりＥＳＣ／Ｐで桁固定機能を使用するか否かを選択する。
　　　【０５７９】
　［固定桁数（Ｎ）］：　ユーザによりＥＳＣ／Ｐの桁固定機能における固定桁数が入力される。［固定桁数（Ｎ）］は、ユーザにより［桁固定機能（Ｃ）］でＯＮが選択されているときのみ有効となる。ユーザはＥＳＣ／Ｐの桁固定機能における固定桁数として１刻みで１０〜４００桁を入力する。
　　　【０５８０】
　［漢字比率（Ｒ）］：　ユーザによりＥＳＣ／Ｐの漢字比率が選択される。ユーザは”２／１”，”３／２”，”４／３”，”５／４”，”１／１の中からＥＳＣ／Ｐの漢字比率を選択する。
　　　【０５８１】
　［スタートアップマクロ（Ｍ）］：　ユーザによりＥＳＣ／Ｐで実行したいスタートアップマクロ番号を入力する。ユーザはＥＳＣ／Ｐで実行したいスタートアップマクロ番号として１刻みで０〜２５５を入力する。
　　　【０５８２】
　［システムオーバレイ（Ｏ）］：　ユーザによりＥＳＣ／Ｐでシステムオーバレイプリントを実行するか否かが選択される。ユーザはＯＮ，ＯＦＦによりＥＳＣ／Ｐでシステムオーバレイプリントを実行するか否かを選択する。ユーザはシステムオーバレイプリントに使用するフォーマットデータ番号を入力する。［システムオーバレイ（Ｏ）］は、ユーザによりＯＮが選択されているときのみ番号の入力が有効となる。ユーザはシステムオーバレイプリントに使用するフォーマットデータ番号として１刻みで１〜５を入力する。
　　　【０５８３】
　「ユーザオーバレイ１（Ｕ）］：　ユーザによりＥＳＣ／Ｐでユーザオーバレイプリント１を実行するか否かが選択される。ユーザはＯＮ，ＯＦＦによりＥＳＣ／Ｐでユーザオーバレイプリント１を実行するか否かを選択する。
　　　【０５８４】
　［ユーザオーバレイ２（Ｖ）］：　ユーザによりＥＳＣ／Ｐでユーザオーバレイプリント２を実行するか否かが選択される。ユーザはＯＮ，ＯＦＦによりＥＳＣ／Ｐでユーザオーバレイプリント２を実行するか否かを選択する。
　　　【０５８５】
　［ＨＥＸモード後の改行無視（Ｉ）］：ユーザによりＥＳＣ／ＰでＨＥＸモード後に改行を無視するか否かが選択される。ユーザはＯＮ，ＯＦＦによりＥＳＣ／ＰでＨＥＸモード後に改行を無視するか否かを選択する。
　　　【０５８６】
　［ＨＥＸ／ＬＩＰＳ機能（Ｘ）］：　ユーザによりＥＳＣ／ＰでＨＥＸ／ＬＩＰＳ機能を使用するか否かが選択される。ユーザはＯＮ，ＯＦＦによりＥＳＣ／ＰでＨＥＸ／ＬＩＰＳ機能を使用するか否かを選択する。
　　　【０５８７】
　［ＬＩＰＳフォーム］：　ユーザによりＥＳＣ／ＰのＬＩＰＳフォームが選択される。ユーザは”ＬＩＰＳ２（Ｐ）”，”ＬＩＰＳ４（Ｓ）”の中からＥＳＣ／ＰのＬＩＰＳフォームを選択する。
　　　【０５８８】
　［ＯＫ］ボタン：　ユーザによるＥＳＣ／Ｐプリント環境拡張２設定ダイアログボックス（図９４）の設定を有効にして、ダイアログボックスを閉じる。ユーザにより設定が変更されている場合は、プリンタの設定を更新する。
　　　【０５８９】
　［キャンセル］ボタン：　ユーザによるＥＳＣ／Ｐプリント環境拡張２設定ダイアログボックス（図９４）の設定を無効にして、ダイアログボックスを閉じる。
　　　【０５９０】
　［更新（Ａ）］ボタン：　ユーザによりＥＳＣ／Ｐプリント環境拡張２設定ダイアログボックス（図９４）の設定が変更されている場合は、プリンタの設定を更新する。［更新（Ａ）］ボタンは、ユーザにより設定が変更されている場合のみ有効となる。
　　　【０５９１】
　［ヘルプ（Ｈ）］ボタン：　ユーザの押下により、オンラインヘルプを表示する。
その他の動作：
　［固定行数（Ｅ）］あるいは［固定桁数（Ｎ）］において、ユーザが１刻みで１０〜４００以外の値を入力すると、図９５に示すメッセージを表示して、ＥＳＣ／Ｐプリント環境拡張２設定ダイアログボックス（図９４）に戻る。［スタートアップマクロ（Ｍ）］において、ユーザが１刻みで０〜２５５以外の値を入力すると、図９６に示すメッセージを表示して、ＥＳＣ／Ｐプリント環境拡張２設定ダイアログボックス（図９４）に戻る。また［システムオーバレイ（Ｏ）］において、ユーザが１刻みで１〜５以外の値を入力すると、図９７に示すメッセージを表示して、ＥＳＣ／Ｐプリント環境拡張２設定ダイアログボックス（図９４）に戻る。
　　　【０５９２】
　［ＥＳＣ／Ｐユーティリティダイアログボックス（図９８参照）］
　ＥＳＣ／Ｐプリント環境基本設定シート（図８８）の［ユーティリティ］ボタンをユーザが押下することにより、図９８に示すＥＳＣ／Ｐユーティリティダイアログボックスを表示する。このＥＳＣ／Ｐユーティリティダイアログボックス（図９８）は、ユーザが選択したデバイスにおけるＥＳＣ／Ｐユーティリティを実行するためのダイアログボックスである。
［詳細仕様］
　［ステータスプリント（Ｓ）］：　ユーザの押下により、ＥＳＣ／Ｐのステータスプリントを実行する。オフラインにしてからＥＳＣ／Ｐのステータスプリントを実行する。
　　　【０５９３】
　［オーバレイプリント（Ｏ）］：　ユーザの押下により、ＥＳＣ／Ｐのオーバレイプリントを実行する。オフラインにしてからＥＳＣ／Ｐのオーバレイプリントを実行する。
　　　【０５９４】
　［ＯＫ］ボタン：　ユーザの押下により、ダイアログボックスを閉じる。
　　　【０５９５】
　［ヘルプ（Ｈ）］ボタン：　ユーザの押下により、オンラインヘルプを表示する。
その他の動作：
　［ステータスプリント（Ｓ）］あるいは［オーバレイプリント（Ｏ）］のボタンをユーザが押下したときにプリンタがオンラインの状態ならば、図９９に示すメッセージを表示する。ユーザが［ＯＫ］ボタンを押下した場合は、各種ユーティリティを実行し、ＥＳＣ／Ｐユーティリティダイアログボックス（図９８）に戻る。ユーザが［キャンセル］ボタンを押下した場合は、何もせずにＥＳＣ／Ｐユーティリティダイアログボックス（図９８）に戻る。
　　　【０５９６】
　［ジョブ（Ｊｏｂｓ）シート（図１００参照）］
　ユーザがデバイス詳細ウィンドウ（図４３）の左側の［ジョブ］を示すタブをクリックすることにより、ＮｅｔＳｐｏｔは図１００に示すジョブ（Ｊｏｂｓ）シートを表示する。このジョブ（Ｊｏｂｓ）シート（図１００）は、選択したデバイスにおける現在のジョブの状態を表示するためのシートである。
　　　【０５９７】
　このジョブ（Ｊｏｂｓ）シート（図１００）におけるすべての機能は、ＮｅｔＷａｒｅサービスを用いて実現するため、ＮｅｔＷａｒｅサービスが使用可能な場合のみ有効となる。管理者モード及び一般ユーザモードにおいては、ジョブ（Ｊｏｂｓ）シート（図１００）により、下記の表１２に示す機能を提供する。
このうち、一部の機能を利用するためには、動作しているモードに関わらず、ＮｅｔＷａｒｅファイルサーバにＳｕｐｅｒｖｉｓｏｒとしてログインする必要がある。
　　　【０５９８】
　【表１２】
　　　【０５９９】
　「すべてのジョブのモニタリング」においては、ユーザが選択したデバイスに対応したジョブであって、ログインしているＮｅｔＷａｒｅファイルサーバにおけるキューの各ジョブに関して、ドキュメント名・状態（印刷中／待機中／スプール中）・オーナー・進行状況（ドキュメントサイズまたは０（バイト単位））・開始日時（ジョブが印刷キューに登録された日時）を表示する。
　　　【０６００】
　またジョブの実行制御に関しては、ログインユーザ自身が所有する待機中のジョブの削除と待機中のジョブの一時停止／再開が可能である。さらに、ＮｅｔＷａｒｅファイルサーバにＳｕｐｅｒｖｉｓｏｒとしてログインした場合は、すべてのユーザの待機中のジョブの削除と待機中のジョブの一時停止／再開と待機中のジョブの優先順位入れ替えが可能である。
［詳細仕様］
　［キュー（Ｑ）］：　ジョブをリスト表示するプリンタキューをユーザが選択する。プリンタキュー設定変更ダイアログボックス（図１０１）の［登録されているプリンタキュー（Ｒ）］に示されるプリンタキューが選択候補となる。選択されたプリンタキューが属するＮｅｔＷａｒｅファイルサーバにログインしていない場合は、ＮｅｔＷａｒｅファイルサーバにログインするためのＮｅｔＷａｒｅログインダイアログボックス（図３４）を開く。
　　　【０６０１】
　［変更（Ｃ）］ボタン：　プリンタキュー設定を変更するためのプリンタキュー設定変更ダイアログボックス（図１０１）を開く。
　　　【０６０２】
　［ジョブリスト表示］：　［キュー（Ｑ）］で選択された各ジョブのドキュメント名，オーナー，状態，進行状況，開始日時をリスト表示する。ユーザがリストの中からジョブを選択する。
　　　【０６０３】
　［再開（Ｒ）］ボタン：　［ジョブリスト表示］で選択された停止ジョブを再開する。停止しているユーザ自身のジョブを選択した場合のみ有効となる。
　　　【０６０４】
　［停止（Ｐ）］ボタン：　［ジョブリスト表示］で選択されたジョブを停止する。停止していないユーザ自身のジョブを選択した場合のみ有効となる。
　　　【０６０５】
　［削除（Ｅ）］ボタン：　［ジョブリスト表示］で選択されたジョブを削除する。ユーザ自身のジョブを選択した場合のみ有効となる。
　　　【０６０６】
　［前へ↑（Ｖ）］ボタン：　［ジョブリスト表示］で選択されたジョブを前へ移動する。ＮｅｔＷａｒｅファイルサーバにｓｕｐｅｒｖｉｓｏｒでログインしており、かつジョブを選択した場合のみ有効となる。
　　　【０６０７】
　［後へ↓（Ｎ）］ボタン：　［ジョブリスト表示］で選択されたジョブを後へ移動する。ＮｅｔＷａｒｅファイルサーバにｓｕｐｅｒｖｉｓｏｒでログインしており、かつジョブを選択した場合のみ有効となる。
　　　【０６０８】
　［ヘルプ］ボタン：　オンラインヘルプを表示する。
　　　【０６０９】
　［プリンタキュー設定変更ダイアログボックス（図１０１参照）］
　ジョブ（Ｊｏｂｓ）シート（図１００）の［変更］ボタンをユーザが押下することにより、ＮｅｔＳｐｏｔは図１０１に示すプリンタキュー設定変更ダイアログボックスを表示する。このプリンタキュー設定変更ダイアログボックス（図１０１）は、選択したデバイスに対応するプリンタキューの設定を追加あるいは削除するためのダイアログボックスである。
［詳細仕様］
　［ＮｅｔＷａｒｅサーバ（Ｓ）］：　ユーザがＮｅｔＷａｒｅファイルサーバを選択する。バインダリに登録されたＮｅｔＷａｒｅファイルサーバが選択候補となる。
　　　【０６１０】
　［ログイン（Ｌ）］ボタン：　［ＮｅｔＷａｒｅサーバ（Ｓ）］で選択されたＮｅｔＷａｒｅファイルサーバにログインするためのＮｅｔＷａｒｅログインダイアログボックス（図３４）を開く。［ＮｅｔＷａｒｅサーバ（Ｓ）］でまだログインしていないＮｅｔＷａｒｅファイルサーバを選択した場合のみ有効となる。
　　　【０６１１】
　［プリンタキュー（Ｑ）］：　プリンタキューをリスト表示する。ユーザはリストの中からプリンタキューを選択する。［ＮｅｔＷａｒｅサーバ（Ｓ）］で選択したＮｅｔＷａｒｅファイルサーバにログインしている場合、バインダリに登録されたプリンタキューをリスト表示する。［ＮｅｔＷａｒｅサーバ（Ｓ）］で選択したＮｅｔＷａｒｅファイルサーバのバインダリに登録されたプリンタキューが選択候補となる。
　　　【０６１２】
　［追加（Ａ）］ボタン：　プリンタキューの登録を追加する。［プリンタキュー（Ｑ）］で選択したプリンタキューを［登録されているプリンタキュー（Ｒ）］に追加する。［プリンタキュー（Ｑ）］でプリンタキューを選択した場合のみ有効となる。
　　　【０６１３】
　［登録されているプリンタキュー（Ｒ）］：　登録されているプリンタキューをリスト表示する。ユーザは登録されているプリンタキューを選択する。［追加（Ａ）］ボタンにより登録されているプリンタキューをリスト表示する。［追加（Ａ）］ボタンにより登録されているプリンタキューの中から選択する。
　　　【０６１４】
　［削除（Ｄ）］ボタン：　プリンタキューの登録を削除する。［登録されているプリンタキュー（Ｒ）］で選択したプリンタキューを削除する。［登録されているプリンタキュー（Ｒ）］でプリンタキューを選択した場合のみ有効となる。
　　　【０６１５】
　［ＯＫ］ボタン：　設定を有効にして、ダイアログボックスを閉じる。
　　　【０６１６】
　［キャンセル］ボタン：　設定を無効にして、ダイアログボックスを閉じる。
　　　【０６１７】
　［ヘルプ（Ｈ）］ボタン：　オンラインヘルプを表示する。
　　　【０６１８】
　［情報（Ｉｎｆｏｒｍａｔｉｏｎ）シート（図１０２参照）］
　デバイス詳細ウィンドウ（図４３）の左側の［情報］を示すタブをユーザがクリックすることにより、ＮｅｔＳｐｏｔは図１０２に示す情報（Ｉｎｆｏｒｍａｔｉｏｎ）シートを表示する。この情報（Ｉｎｆｏｒｍａｔｉｏｎ）シート（図１０２）は、選択したデバイスにおける各種情報を表示するためのシートである。
　　　【０６１９】
　管理者モード及び一般ユーザモードにおいては、情報（Ｉｎｆｏｒｍａｔｉｏｎ）シート（図１０２）により、表１３に示す機能を提供する。
　　　【０６２０】
　【表１３】
　　　【０６２１】
　情報（Ｉｎｆｏｒｍａｔｉｏｎ）シートでは、情報を表示するだけで、設定を行うことはできない。
［詳細仕様］
　［製造会社］：　プリンタの製造会社名を表示する。
　　　【０６２２】
　［製品名称］：　０〜６３桁の文字列でプリンタの製品名を表示する。
　　　【０６２３】
　［設置場所］：　０〜６３桁の文字列でプリンタの設置場所を表示する。
　　　【０６２４】
　［製品バージョン］：　０〜３１桁の文字列でプリンタの製品バージョンを表示する。
　　　【０６２５】
　［トナーカートリッジ型番］：　プリンタに使用可能なトナーカートリッジ型番”ＥＰ−Ｗ”を表示する。
　　　【０６２６】
　［環境設定］：　環境設定値をリスト表示する。”エミュレータ”，”総フラッシュＲＯＭ容量”，”空フラッシュＲＯＭ容量”，”総ＲＡＭ容量”，”空ＲＡＭ容量’，”カセット数”，”両面ユニット”，”封筒フィーダ”，”ペーパーデッキ”，”フォンドの状態を表示する。”フォント”は、フォントＩＤのあるものだけを表示する。
　　　【０６２７】
　［管理者情報（Ｍ）］ボタン：　管理者情報を表示するための管理者情報表示ダイアログボックス（図１０３）を開く。
　　　【０６２８】
　［ヘルプ］ボタン：　オンラインヘルプを表示する。
　　　【０６２９】
　［管理者情報表示ダイアログボックス（図１０３参照）］
　情報（Ｉｎｆｏｒｍａｔｉｏｎ）シート（図１０２）の［管理者情報］ボタンをユーザが押下することにより、ＮｅｔＳｐｏｔは図１０３に示す管理者情報表示ダイアログボックスを表示する。この管理者情報表示ダイアログボックス（図１０３）は、選択したデバイスにおける管理者の情報を表示するためのダイアログボックスである。
［詳細仕様」
　［名前］：　０〜６３桁の文字列で管理者の名前を表示する。
　　　【０６３０】
　［連絡先］：　０〜６３桁の文字列で管理者の連絡先を表示する。
　　　【０６３１】
　［ＯＫ］ボタン：　ダイアログボックスを閉じる。
　　　【０６３２】
　［ヘルプ（Ｈ）］ボタン：　オンラインヘルプを表示する。
　　　【０６３３】
　［ネットワーク（Ｎｅｔｗｏｒｋ）シート（図１０４参照）］
　デバイス詳細ウィンドウ（図４３）の左側の［ネットワーク］を示すタブをユーザがクリックすることにより、ＮｅｔＳｐｏｔは図１０４に示すネットワーク（Ｎｅｔｗｏｒｋ）シートを表示する。このネットワーク（Ｎｅｔｗｏｒｋ）シート（図１０４）は、選択したデバイスにおけるネットワーク情報を表示あるいは設定するためのシートである。ネットワーク〈Ｎｅｔｗｏｒｋ）シート（図１０４）は、ＮｅｔＳｐｏｔが管理者モードで動作している時のみ表示される。管理者モードにおいては、ネットワーク（Ｎｅｔｗｏｒｋ）シート（図１０４）により、表１４に示す機能を提供する。
　　　【０６３４】
　【表１４】
　　　【０６３５】
［詳細仕様］
　［ボード名］：　ネットワークインタフェースボード名を表示する。
　　　【０６３６】
　［バージョン］：　ネットワークインタフェースボードのファームウェアのバージョンを表示する。
　　　【０６３７】
　［物理インタフェース］：　ネットワークインタフェースボードの物理インタフェースを表示する。
　　　【０６３８】
　［ＭＡＣアドレス］：　ネットワークインタフェースボードのＭＡＣアドレスを表示する。
　　　【０６３９】
　［有効なプロトコル］：　ネットワークインタフェースボードの有効なプロトコルを表示する。
　　　【０６４０】
　［プロトコル情報］：　設定情報を表示するプロトコルをユーザが選択する。
選択は、”ＮｅｔＷａｒｅ（Ｎ）”，”ＴＣＰ／ＩＰ（Ｉ）”，”ＡｐｐｌｅＴａｌｋ（Ａ）”，”ＳＮＭＰ（Ｍ）”の中からユーザが行う。ＮｅｔＳｐｏｔは、ユーザが選択したプロトコルに関する設定情報あるいはＳＮＭＰ統計情報を右側のリストに表示する。各プロトコルの設定情報に関しては、ＮｅｔＷａｒｅ設定シート（図１０５）、ＴＣＰ／ＩＰ設定シート（図１１４）、ＡｐｐｌｅＴａｌｋ設定シート（図１２０）で表示される項目をリスト表示する。ＳＮＭＰ統計情報に関しては、以下の項目をリスト表示する。”総受信ＳＮＭＰパケット数”，”総送信ＳＮＭＰパケット数”，”未知のコミュニティ名のＳＮＭＰパケットを受信した数”，”不当なアクセスモードのＳＮＭＰパケットを受信した数”，”有効なＧｅｔ−Ｒｅｑｕｅｓｔパケットを受信した数”，”有効なＧｅｔ−Ｎｅｘｔパケットを受信した数”，”有効なＳｅｔ−Ｒｅｑｕｅｓｔパケットを受信した数”，”有効なＴｒａｐパケットを生成した数”。
　　　【０６４１】
　［プロトコル設定（Ｌ）］ボタン：　プロトコル設定を行うためのプロトコル設定ダイアログボックス（図１４４）を開く。
　　　【０６４２】
　［ヘルプ］ボタン：　オンラインヘルプを表示する。
　　　【０６４３】
　［プロトコル設定ダイアログボックス（図１４４参照）］
　ネットワーク（Ｎｅｔｗｏｒｋ）シート（図１０４）の［プロトコル設定］ボタンをユーザが押下することにより、ＮｅｔＳｐｏｔはプロトコル設定ダイアログボックス（図１４４）を表示する。このプロトコル設定ダイアログボックス（図１４４）は、選択したデバイスにおけるネットワークプロトコル情報の設定を行うためのダイアログボックスである。プロトコル設定ダイアログボックス（図１４４）は、基本的に以下の３つのタブ付きのシートにより構成される。
　（１）　ＮｅｔＷａｒｅ設定シート（図１０５）
　（２）　ＴＣＰ／ＩＰ設定シート（図１１４）
　（３）　ＡｐｐｌｅＴａｌｋ設定シート（図１２０）
　　プロトコル設定ダイアログボックス（図１４４）が開いたときに、最前面に表示するデフォルトのシートは、ＮｅｔＷａｒｅ設定シート（図１０５）である。
　　　【０６４４】
　図１４４は、プロトコル設定ダイアログボックスのうち、ＮｅｔＷａｒｅ設定シート（図１０５）が最前面に表示されているときを示した代表図である。
　　　【０６４５】
　このプロトコル設定ダイアログボックス（図１４４）の上側の各タブ（［ＮｅｔＷａｒｅ］，［ＴＣＰ／ＩＰ］，［ＡｐｐｌｅＴａｌｋ］）をユーザがクリックすることにより、ＮｅｔＳｐｏｔは各　タブに対応するシートをプロトコル設定ダイアログボックス（図１４４）の最前面に移動する。管理者モードにおいては、プロトコル設定ダイアログボックス（図１４４）により、表１５に示す機能を提供する。
　　　【０６４６】
　【表１５】
　　　【０６４７】
　［ＮｅｔＷａｒｅ設定シート（図１０５参照）］
　ネットワーク（Ｎｅｔｗｏｒｋ）シート（図１０４）の［プロトコル設定］ボタンをユーザが押下することにより、最前面に表示するデフォルトのシートとして、あるいはプロトコル設定ダイアログボックス（図１４４）の上側の［ＮｅｔＷａｒｅ］を示すタブをユーザがクリックすることにより、ＮｅｔＳｐｏｔは図１０５に示すＮｅｔＷａｒｅ設定シートを表示する。このＮｅｔＷａｒｅ設定シート（図１０５）は、選択したデバイスにおけるＮｅｔＷａｒｅに関する情報を設定するためのシートである。
　　　【０６４８】
　ＮｅｔＳｐｏｔがＮｅｔＷａｒｅプロトコルで動作しているときに、ＮｅｔＷａｒｅのフレームタイプを変更し、ネットワークインタフェースボードをリセットした場合、そのデバイスにアクセスできなくなることがある。ＮｅｔＷａｒｅサービスを使用できない環境においては、ユーザはＮｅｔＷａｒｅのプリントサービス設定を”なし”に設定しておく必要がある。
［詳細仕様］
　［フレームタイプ（Ｆ）］：　ＮｅｔＷａｒｅで使用するフレームタイプをユーザが選択する。選択候補は、”無効”，”自動検出”，”ＥＴＨＥＲＮＥＴ　ＩＩ”，”ＥＴＨＥＲＮＥＴ　８０２．２”，”ＥＴＨＥＲＮＥＴ　８０２．３”，”ＥＴＨＥＲＮＥＴ　ＳＮＡＰ”である。ユーザがネットワークインタフェースボードに”自動検出”を設定した場合、ユーザが設定を変更しない限りＮｅｔＳＰｏｔは”自動検出”をそのまま表示する。
　　　【０６４９】
　［ネットワーク番号］：　ＮｅｔＷａｒｅで使用する１６進８桁のネットワーク番号を表示する。
　　　【０６５０】
　［ノードアドレス］：　ＮｅｔＷａｒｅで使用する１６進１２桁のノードアドレスを表示する。
　　　【０６５１】
　［プリントサービス設定］：　ＮｅｔＷａｒｅで使用するプリントサービスをユーザが選択する。”プリントサーバ（Ｓ）”，”リモートプリンタ（Ｒ）”，”なし（Ｎ）”の中からユーザが選択する。
　　　【０６５２】
　［ファイルサーバ名（Ｅ）］，：　ＮｅｔＷａｒｅのプリントサーバで使用する０〜４７桁の文字列のＮｅｔＷａｒｅファイルサーバ名をユーザが入力する。［プリントサービス設定］で”プリントサーバ（Ｓ）”が選択されている場合のみ有効となる。ＮｅｔＷａｒｅサービスを使用可能な場合、バインダリに登録されたＮｅｔＷａｒｅファイルサーバ名が選択候補となる。
　　　【０６５３】
　［ログイン（Ｌ）］ボタン：　［ファイルサーバ名（Ｅ）］で選択したＮｅｔＷａｒｅファイルサーバにログインするためのＮｅｔＷａｒｅログインダイアログボックス（図３４）を開く。ＮｅｔＷａｒｅサービスを使用可能な場合であって、［プリントサービス設定］で”プリントサーバ（Ｓ）”が選択されており、［ファイルサーバ名（Ｅ）］でまだログインしていないＮｅｔＷａｒｅファイルサーバをユーザが選択した場合のみ有効となる。
　　　【０６５４】
　［プリントサーバ名（Ｐ）］：　ＮｅｔＷａｒｅで使用する０〜４７桁の文字列のＮｅｔＷａｒｅプリントサーバ名をユーザが入力する。［プリントサービス設定］で”なし（Ｎ）”以外が選択されている場合のみ有効となる。Ｗｉｎｄｏｗｓ版の場合であって、［プリントサービス設定］で”プリントサーバ（Ｓ）”が選択されており、［ファイルサーバ名（Ｅ）］でユーザが選択したＮｅｔＷａｒｅファイルサーバにログインしている場合、バインダリに登録されたＮｅｔＷａｒｅプリントサーバ名が選択候補となる。
　　　【０６５５】
　［プリンタ番号（Ｕ）］：　ＮｅｔＷａｒｅで使用する１刻みで０〜１５のプリンタ番号をユーザが入力する。［プリントサービス設定］で”なし（Ｎ）”以外が選択されている場合のみ有効となる。ユーザは、ＮｅｔＷａｒｅのＰＣＯＮＳＯＬＥで設定した値と同じ値を設定しなければならない。
　　　【０６５６】
　［フォーム番号（Ｏ）］：　ＮｅｔＷａｒｅのプリントサーバで使用する１刻みで０〜２５５のフォーム番号をユーザが入力する。［プリントサービス設定］で”プリントサーバ（Ｓ）”が選択されている場合のみ有効となる。ユーザは、ＮｅｔＷａｒｅのＰＣＯＮＳＯＬＥで設定した値と同じ値を設定しなければならない。
　　　【０６５７】
　［ポーリング間隔（Ｉ）］：　ＮｅｔＷａｒｅのプリントサーバで使用する１刻みで１〜１５秒のポーリング間隔をユーザが入力する。［プリントサービス設定］で”プリントサーバ（Ｓ）”が選択されている場合のみ有効となる。
　　　【０６５８】
　［バッファサイズ（Ｂ）］：　ＮｅｔＷａｒｅのプリントサーバで使用するＫバイト単位で１〜２０のバッファサイズをユーザが入力する。［プリントサービス設定］で”プリントサーバ（Ｓ）”が選択されている場合のみ有効となる。ユーザは、ＮｅｔＷａｒｅのＰＣＯＮＳＯＬＥで設定した値と同じ値を設定しなければならない。ＮｅｔＷａｒｅ４．１Ｊを使用している場合には、ユーザは、３〜２０の値を入力しなければならない。
　　　【０６５９】
　［サービスモード（Ｍ）］：　ＮｅｔＷａｒｅのプリントサーバで使用するサービスモードをユーザが選択する。［プリントサービス設定］で”プリントサーバ（Ｓ）”が選択されている場合のみ有効となる。選択候補は、”現在セットされている用紙のみサービス可”，”必要に応じた用紙の変更可”，”用紙最小限変更”，”キュー内での用紙最小限変更”である。ユーザは、ＮｅｔＷａｒｅのＰＣＯＮＳＯＬＥで設定した値と同じ値を設定しなければならない。
　　　【０６６０】
　［プリントサーバのパスワード（Ｗ）］：　ＮｅｔＷａｒｅのプリントサーバで使用する０〜１９桁の文字列のパスワードをユーザが入力する。［プリントサービス設定］で”プリントサーバ（Ｓ）”が選択されている場合のみ有効となる。ユーザは、ＮｅｔＷａｒｅのＰＣＯＮＳＯＬＥで設定した値と同じ値を設定しなければならない。
　　　【０６６１】
　［標準（Ｄ）］ボタン：　上記設定を標準値に戻す。ＮｅｔＳｐｏｔで持っている標準値をすべて書き込む。
　　　【０６６２】
　［ＯＫ］ボタン：　設定を有効にして、ダイアログボックスを閉じる。設定が変更されている場合は、ネットワークインタフェースボードの設定を更新する。
　　　【０６６３】
　［キャンセル］ボタン：　設定を無効にして、ダイアログボックスを閉じる。
　　　【０６６４】
　［更新（Ａ）］ボタン：　設定が変更されている場合は、ネットワークインタフェースボードの設定を更新する。設定が変更されている場合のみ有効となる。
　　　【０６６５】
　［ヘルプ（Ｈ）］ボタン：　オンラインヘルプを表示する。
その他の動作：
　［プリンタ番号（Ｕ）］において、１刻みで０〜１５以外の値をユーザが入力すると、図１０６に示すメッセージを表示して、プロトコル設定ダイアログボックス（図１４４）に戻る。［フォーム番号（Ｏ）］において、１刻みで０〜２５５以外の値をユーザが入力すると、図１０７に示すメッセージを表示して、プロトコル設定ダイアログボックス（図１４４）に戻る。［ポーリング間隔（Ｉ）］において、１刻みで１〜１５秒以外の値をユーザが入力すると、図１０８に示すメッセージを表示して、プロトコル設定ダイアログボックス（図１４４）に戻る。［バッファサイズ（Ｂ）］において、Ｋバイト単位で１〜２０以外の値をユーザが入力すると、図１０９に示すメッセージを表示して、プロトコル設定ダイアログボックス（図１４４）に戻る。
　　　【０６６６】
　ＮｅｔＷａｒｅ設定シート（図１０５）でいずれかの設定をユーザが変更し、［ＯＫ］ボタンをユーザが押下した場合、図１１０に示すメッセージを表示する。図１１０のダイアログにおいて、［はい（Ｙ）］ボタンをユーザが押下した場合は、ネットワークインタフェースボードのプロトコル設定を変更し、プロトコル設定ダイアログボックス（図１４４）を閉じる。［いいえ（Ｎ）」ボタンをユーザが押下した場合は、何もせずにプロトコル設定ダイアログボックス（図１４４）を閉じる。［キャンセル］ボタンをユーザが押下した場合は、何もせずにプロトコル設定ダイアログボックス（図１４４）に戻る。
　　　【０６６７】
　ＮｅｔＷａｒｅ設定シート（図１０５）でいずれかの設定をユーザが変更し、［更新（Ａ）］ボタンをユーザが押下した場合、図１１１に示すメッセージを表示する。図１１１のダイアログにおいて、［はい（Ｙ）］ボタンをユーザが押下した場合は、ネットワークインタフェースボードのプロトコル設定を変更し、プロトコル設定ダイアログボックス（図１４４）に戻る。［いいえ（Ｎ）］ボタンをユーザが押下した場合は、何もせずにプロトコル設定ダイアログボックス（図１４４）に戻る。
　　　【０６６８】
　ＮｅｔＷａｒｅ設定シート（図１０５）でネットワークインタフェースボードのソフトリセットが必要な設定をユーザが変更し、変更が完了した場合、図１１２に示すメッセージを表示する。図１１２のダイアログにおいて、［はい（Ｙ）］ボタンをユーザが押下した場合は、ネットワークインタフェースボードのソフトリセットを行う。［いいえ（Ｎ）］ボタンをユーザが押下した場合は、ネットワークインタフェースボードのソフトリセットを行わない。
　　　【０６６９】
　ユーザがＡｐｐｌｅＴａｌｋ設定シート（図１２０）の［名前（Ｅ）］の設定を同時に変更している場合は、このメッセージを表示している状態で数秒間待ってから、ネットワークインタフェースボードのソフトリセットを行うことが望ましい。
　　　【０６７０】
　ＮｅｔＷａｒｅ設定シート（図１０５）で［フレームタイプ（Ｆ）］の設定をユーザが変更し、ネットワークインタフェースボードのプロトコル設定の変更が完了した後、ネットワークインタフェースボードのソフトリセットを選択した場合であって、ＮｅｔＳｐｏｔがＮｅｔＷａｒｅプロトコルで動作している場合、ネットワークインタフェースボードをソフトリセットする直前に、図１１３に示すメッセージを表示する。図１１３のダイアログにおいて、［はい（Ｙ）］ボタンをユーザが押下した場合は、ネットワークインタフェースボードのソフトリセットを行った後、デバイス詳細ウィンドウ（図４３）を閉じる。［いいえ（Ｎ）］ボタンをユーザが押下した場合は、ネットワークインタフェースボードのソフトリセットを行った後、デバイス詳細ウィンドウ（図４３）を閉じない。
　　　【０６７１】
　［ＴＣＰ／ＩＰ設定シート（図１１４参照）］
　プロトコル設定ダイアログボックス（図１４４）の上側の［ＴＣＰ／ＩＰ］を示すタブをユーザがクリックすることにより、図１１４に示すＴＣＰ／ＩＰ設定シートを表示する。このＴＣＰ／ＩＰ〕設定シート（図１１４）は、ユーザが選択したデバイスにおけるＴＣＰ／ＩＰに関する情報を設定するためのシートである。
　　　【０６７２】
　ＮｅｔＳｐｏｔがＴＣＰ／ＩＰプロトコルで動作しているときに、ＴＣＰ／ＩＰのフレームタイプやＩＰアドレスをユーザが変更し、ネットワークインタフェースボードをリセットした場合、そのデバイスにアクセスできなくなることがある。
［詳細仕様］
　［フレームタイプ（Ｆ）］：　ＴＣＰ／ＩＰで使用するフレームタイプをユーザが選択する。選択候補は、”無効”，”ＥＴＨＥＲＮＥＴ　ＩＩ”である。
　　　【０６７３】
　［ＩＰアドレスの設定方法］：　ＴＣＰ／ＩＰで使用するＩＰアドレスの設定方法をユーザが選択する。選択候補は、”ＩＰ（Ｉ）”，”ＲＡＲＰ（Ｒ）”，”ＢＯＯＴＰ（Ｂ）”である。
　　　【０６７４】
　［ＩＰアドレス（Ｐ）］：　ＴＣＰ／ＩＰで使用する０〜２５５の１０進数×４個のＩＰアドレスをユーザが入力する。［ＩＰアドレスの設定方法］で”ＩＰ（Ｉ）”が選択されている場合のみ有効となる。
　　　【０６７５】
　［サブネットマスク（Ｍ）］：　ＴＣＰ／ＩＰで使用する０〜２５５の１０進数×４個のサブネットマスクをユーザが入力する。［ＩＰアドレスの設定方法］で”ＢＯＯＴＰ（Ｂ）”以外が選択されている場合のみ有効となる。
　　　【０６７６】
　［ゲートウェイアドレス（Ｇ）］：　ＴＣＰ／ＩＰで使用する０〜２５５の１０進数×４個のゲートウェイアドレスをユーザが入力する。［ＩＰアドレスの設定方法］で”ＢＯＯＴＰ（Ｂ）”以外が選択されている場合のみ有効となる。
　　　【０６７７】
　［ＢＯＯＴＰアドレス］：　ＴＣＰ／ＩＰで使用する０〜２５５の１０進数×４個のＢＯＯＴＰアドレスを表示する。［ＩＰアドレスの設定方法］で”ＢＯＯＴＰ（Ｂ）”が選択されている場合のみ有効となる。
　　　【０６７８】
　［ブロードキャストアドレス］：　ＴＣＰ／ＩＰで使用する０または２５５のブロードキャストアドレスを表示する。
　　　【０６７９】
　［プリントサービス（Ｓ）］：　ＴＣＰ／ＩＰで使用するプリントサービスをユーザが選択する。選択候補は、”なし”，”ＬＰＤ”である。
　　　【０６８０】
　［標準（Ｄ）］ボタン：　上記設定を標準値に戻す。ＮｅｔＳｐｏｔで持っている標準値をすべて書き込む。
　　　【０６８１】
　［ＯＫ］ボタン：　設定を有効にして、ダイアログボックスを閉じる。設定が変更されている場合は、ネットワークインタフェースボードの設定を更新する。
　　　【０６８２】
　［キャンセル］ボタン：　設定を無効にして、ダイアログボックスを閉じる。
　　　【０６８３】
　［更新（Ａ）］ボタン：　設定が変更されている場合は、ネットワークインタフェースボードの設定を更新する。設定が変更されている場合のみ有効となる。
　　　【０６８４】
　［ヘルプ（Ｈ）］ボタン：　オンラインヘルプを表示する。
その他の動作：
　［ＩＰアドレス（Ｐ）］あるいは［サブネットマスク（Ｍ）］あるいは［ゲートウェイアドレス（Ｇ）］において、２５６以上の値をユーザが入力すると、図１１５に示すメッセージを表示して、プロトコル設定ダイアログボックス（図１４４）に戻る。ＴＣＰ／ＩＰ設定シート（図１１４）でいずれかの設定をユーザが変更し、［ＯＫ］ボタンを押下した場合、図１１６に示すメッセージを表示する。図１１６のダイアログにおいて、［はい（Ｙ）］ボタンをユーザが押下した場合は、ネットワークインタフェースボードのプロトコル設定を変更し、プロトコル設定ダイアログボックス（図１４４）を閉じる。［いいえ（Ｎ）］ボタンをユーザが押下した場合は、何もせずにプロトコル設定ダイアログボックス（図１４４）を閉じる。［キャンセル］ボタンをユーザが押下した場合は、何もせずにプロトコル設定ダイアログボックス（図１４４）に戻る。
　　　【０６８５】
　ＴＣＰ／ＩＰ設定シート（図１１４）でいすれかの設定をユーザが変更し、［更新（Ａ）］ボタンをユーザが押下した場合、図１１７に示すメッセージを表示する。図１１７のダイアログにおいて、［はい（Ｙ）］ボタンをユーザが押下した場合は、ネットワークインタフェースボードのプロトコル設定を変更し、プロトコル設定ダイアログボックス（図１４４）に戻る。［いいえ（Ｎ）］ボタンをユーザが押下した場合は、何もせずにプロトコル設定ダイアログボックス（図１４４）に戻る。
　　　【０６８６】
　ＴＣＰ／ＩＰ設定シート（図１１４）でネットワークインタフェースボードのソフトリセットが必要な設定をユーザが変更し、変更が完了した場合、図１１８に示すメッセージを表示する。図１１８のダイアログにおいて、ユーザが［はい（Ｙ）］ボタンを押下した場合は、ネットワークインタフェースボードのソフトリセットを行う。ユーザが［いいえ（Ｎ）］ボタンを押下した場合は、ネットワークインタフェースボードのソフトリセットを行わない。
　　　【０６８７】
　ＡｐｐｌｅＴａｌｋ設定シート〈図１２０）の［名前（Ｅ）］の設定をユーザが同時に変更している場合は、このメッセージを表示している状態で数秒間待ってから、ネットワークインタフェースボードのソフトリセットを行うことが望ましい。
　　　【０６８８】
　ＴＣＰ／ＩＰ設定シート（図１１４）で［フレームタイプ（Ｆ）］或は［ＩＰアドレスの設定方法］あるいは［ＩＰアドレス（Ｐ）］あるいは［サブネットマスク（Ｍ）］あるいは［ゲートウェイアドレス（Ｇ）］の設定をユーザが変更し、ネットワークインタフェースボードのプロトコル設定の変更が完了した後、ネットワークインタフェースボードのソフトリセットをユーザが選択した場合であって、ＮｅｔＳｐｏｔがＴＣＰ／ＩＰで動作している場合、ネットワークインタフェースボードをソフトリセットする直前に、図１１９に示すメッセージを表示する。図１１９のダイアログにおいて、ユーザが［はい（Ｙ）］ボタンを押下した場合は、ネットワークインタフェースボードのソフトリセットを行った後、デバイス詳細ウィンドウ（図４３）を閉じる。ユーザが［いいえ（Ｎ）］ボタンを押下した場合は、ネットワークインタフェースボードのソフトリセットを行った後、デバイス詳細ウィンドウ（図４３）を閉じない。
　　　【０６８９】
　［ＡｐｐｌｅＴａｌｋ設定シート（図１２０参照）］
　プロトコル設定ダイアログボックス（図１４４）の上側の［ＡｐｐｌｅＴａｌｋ］を示すタブをユーザがクリックすることにより、ＮｅｔＳｐｏｔは図１２０に示すＡｐｐｌｅＴａｌｋ設定シートを表示する。このＡｐｐｌｅＴａｌｋ設定シート（図１２０）は、ユーザが選択したデバイスにおけるＡｐｐｌｅＴａｌｋに関する情報を設定するためのシートである。
［詳細仕様］
　［フェーズタイプ（Ｆ）］：　ＡｐｐｌｅＴａｌｋで使用するフェーズタイプをユーザが選択する。選択候補は、”無効”，”フェーズ２”である。
　　　【０６９０】
　［ネットワーク番号］：　ＡｐｐｌｅＴａｌｋで使用する０〜６５５３５の整数のネットワーク番号を表示する。ネットワークインタフェースボードから取得した［フェーズタイプ（Ｆ）］の値が”フェーズ２”の場合のみ有効となり、現在設定されている値の表示を行う。
　　　【０６９１】
　［ノード番号］：　ＡｐｐｌｅＴａｌｋで使用する０〜２５５の整数のノード番号を表示する。ネットワークインタフェースボードから取得した［フェーズタイプ（Ｆ）］の値が”フェーズ２”の場合のみ有効となり、現在設定されている値の表示を行う。
　　　【０６９２】
　［名前（Ｅ）］：　ＡｐｐｌｅＴａｌｋで使用する１〜３２桁の文字列のオブジェクト名をユーザが入力する。ネットワークインタフェースボードから取得した［フェーズタイプ（Ｆ）］に値が”フェーズ２”の場合のみ有効となり、現在設定されている値の表示を行う。ユーザが設定を変更し、ネットワークインタフェースボードの設定を更新した場合、数秒間ネットワークインタフェースボードをリセットしてはならない。
　　　【０６９３】
　［ゾーン］：　ＡｐｐｌｅＴａｌｋで使用するゾーン名を表示する。
　　　【０６９４】
　［タイプ］：　ＡｐｐｌｅＴａｌｋで使用するタイプ名”ＬａｓｅｒＳｈｏｔＬＴ”を表示する。
ネットワークインタフェースボードから取得した［フェーズタイプ（Ｆ）］の値が”フェーズ２”の場合のみ有効となり、現在設定されている値の表示を行う。
　　　【０６９５】
　［標準（Ｄ）］ボタン：　上記設定を標準値に戻す。ＮｅｔＳｐｏｔで持っている標準値をすべて書き込む。
　　　【０６９６】
　［ＯＫ］ボタン：　設定を有効にして、ダイアログボックスを閉じる。ユーザによって設定が変更されている場合は、ネットワークインタフェースボードの設定を更新する。
　　　【０６９７】
　［キャンセル］ボタン：　設定を無効にして、ダイアログボックスを閉じる。
　　　【０６９８】
　［更新（Ａ）］ボタン：　ユーザによって設定が変更されている場合は、ネットワークインタフェースボードの設定を更新する。ユーザによって設定が変更されている場合のみ有効となる。
　　　【０６９９】
　［ヘルプ（Ｈ）］ボタン：　オンラインヘルプを表示する。
その他の動作：
　［名前（Ｅ）］において、”＝”，”：”，”＊”，”＠”の４つの文字コードを入力することはできない。もし、［名前（Ｅ）］において、”＝”，”：”，”＊”，”＠”の４つの文字コードを含む２バイト文字コードをユーザが入力すると、図１２１に示すメッセージを表示して、プロトコル設定ダイアログボックス（図１４４）に戻る。
　　　【０７００】
　ＡｐｐｌｅＴａｌｋ設定シート（図１２０）でいすれかの設定をユーザが変更し、［ＯＫ］ボタンをユーザが押下した場合、図１２２に示すメッセージを表示する。図１２２のダイアログにおいて、［はい（Ｙ）］ボタンをユーザが押下した場合は、ネットワークインタフェースボードのプロトコル設定を変更し、プロトコル設定ダイアログボックス（図１４４）を閉じる。［いいえ（Ｎ）］ボタンをユーザが押下した場合は、何もせずにプロトコル設定ダイアログボックス（図１４４）を閉じる。［キャンセル］ボタンをユーザが押下した場合は、何もせずにプロトコル設定ダイアログボックス（図１４４）に戻る。
　　　【０７０１】
　ＡｐｐｌｅＴａｌｋ設定シート（図１２０）でいずれかの設定を変更し、［更新（Ａ）］ボタンをユーザが押下した場合、図１２３に示すメッセージを表示する。図１２３のダイアログにおいて、［はい（Ｙ）］ボタンをユーザが押下した場合は、ネットワークインタフェースボードのプロトコル設定を変更し、プロトコル設定ダイアログボックス（図１４４）に戻る。［いいえ（Ｎ）］ボタンをユーザが押下した場合は、何もせずにプロトコル設定ダイアログボックス（図１４４）に戻る。
　　　【０７０２】
　ＡｐｐｌｅＴａｌｋ設定シート（図１２０）でネットワークインタフェースボードのソフトリセットが必要な設定をユーザが変更し、変更が完了した場合、図１２４のメッセージを表示する。図１２４のダイアログにおいて、［はい（Ｙ）］ボタンをユーザが押下した場合は、ネットワークインタフェースボードのソフトリセットを行う。［いいえ（Ｎ）］ボタンをユーザが押下した場合は、ネットワークインタフェースボードのソフトリセットを行わない。
　　　【０７０３】
　ＡｐｐｌｅＴａｌｋ設定シート（図１２０）の［名前（Ｅ）］の設定をユーザが同時に変更している場合は、図１２４に示すメッセージを表示している状態で数秒間待ってから、ネットワークインタフェースボードのソフトリセットを行うことが望ましい。
　　　【０７０４】
　［デバイス詳細ウィンドウのメニュー機能（図４３参照）］
　管理者モード及び一般ユーザモードにおいて、デバイス詳細ウィンドウ（図４３）のメニューバー（８１７〜８２２）により、表１６および表１７に示すメニュー機能を提供する。
　　　【０７０５】
　【表１６】
　　　【０７０６】
　【表１７】
　　　【０７０７】
　［デバイス］−［ネットワークインタフェースボードの初期化］により、ユーザがネットワークインタフェースボード設定をデフォルトに戻した場合、ユーザはデバイスリスト表示ウィンドウ（図１５）の［デバイス］−［新規追加］メニューにより、再びデバイスリストに新規追加するデバイスのセットアップを行わなければならない。
［詳細仕様］
　［デバイス（Ｄ）］−［オンライン（Ｏ）］：　プリンタをオンラインにする（管理者モードのみ）。
　　　【０７０８】
　［デバイス（Ｄ）］−［オフライン（Ｆ）］：　プリンタをオフラインにする（管理者モードのみ）。
　　　【０７０９】
　［デバイス（Ｄ）］−［排紙（Ｅ）］：　プリンタの用紙を排出する（管理者モードのみ）。オフラインにしてから排紙を実行する。排紙中にこのメニューをユーザが実行すると、排出を中止する。
　　　【０７１０】
　［デバイス（Ｄ）］−［プリンタのリセット（Ｒ）．．．］：　プリンタをリセットする（管理者モードのみ）。ソフトリセットとハードリセットを選択可能とする。ソフトリセットは、現在のＲＡＭ値をＮＶＲＡＭ値に戻すことを意味する。ハードリセットは、プリンタをリブートすることを意味する。オフラインにしてからプリンタのリセットを実行する。プリンタのリセットが終了したならば、マネージャ情報テーブルヘの再登録を行う。
　　　【０７１１】
　［デバイス（Ｄ）］−［プリンタの初期化（Ｉ）］：　プリンタの環境設定を工場出荷時のデフォルトに初期化する（管理者モードのみ）。オフラインにしてからプリンタの環境設定の初期化を実行する。プリンタの環境設定の初期化が終了したならば、マネージャ情報テーブルヘの再登録を行う。
　　　【０７１２】
　［デバイス（Ｄ）］−［ネットワークインタフェースボードのリセット（Ｂ）］：　ネットワークインタフェースボードをリセットする（管理者モードのみ）。ハードリセットのみを選択可能とする。ネットワークインタフェースボードのリセットが終了したならば、マネージャ情報テーブルヘの再登録を行う。
　　　【０７１３】
　［デバイス（Ｄ）］−［ネットワークインタフェースボードの初期化（Ｄ）］：　ネットワークインタフェースボード設定を工場出荷時のデフォルトに初期化する（管理者モードのみ）。ネットワークインタフェースボート“設定の初期化が終了したならば、デバイス詳細ウィンドウ（図４３）を閉じる。
　　　【０７１４】
　［デバイス（Ｄ）］−［閉じる（Ｃ）］：　デバイス詳細ウィンドウ（図４３）を閉じる。
　　　【０７１５】
　［表示（Ｖ）］−［状態（Ｓ）］：　状態（Ｓｔａｔｕｓ）シート（図５４）を開く。選択することにより、［状態（Ｓ）］がＯＮになり、その他がＯＦＦになる。
　　　【０７１６】
　［表示（Ｖ）］−［ジョブ（Ｊ）］：　ジョブ（Ｊｏｂｓ）シート（図１００）を開く。
ユーザがこの項目を選択することにより、［ジョブ（Ｊ）］がＯＮになり、その他がＯＦＦになる。ＮｅｔＷａｒｅサービスを使用可能な場合のみ有効となる。
　　　【０７１７】
　［表示（Ｖ）］−［情報（Ｉ）］：　情報（Ｉｎｆｏｒｍａｔｉｏｎ）シート（図１０２）を開く。ユーザがこの項目を選択することにより、［情報（Ｉ）］がＯＮになり、その他がＯＦＦになる。
　　　【０７１８】
　［表示（Ｖ）」−［ネットワーク（Ｎ）］：　ネットワーク（Ｎｅｔｗｏｒｋ）シート（図１０４）を開く（管理者モードのみ）。ユーザがこの項目を選択することにより、［ネットワーク（Ｎ）］がＯＮになり、その他がＯＦＦになる。
　　　【０７１９】
　［表示（Ｖ）］−［最新の情報に更新（Ｒ）］：　表示されているシートを最新の情報に更新する。
　　　【０７２０】
　［設定（Ｓ）］−［トラップの通知（Ｔ）．．．］：　トラップの通知方法を選択するためのトラップ通知条件設定ダイアログボックス（図１３２）を開く（管理者モードのみ）。
　　　【０７２１】
　［設定（Ｓ）］−［表示の自動更新（Ａ）．．．］：　デバイス詳細表示の自動更新間隔をユーザが指定するためのデバイス詳細表示自動更新設定ダイアログボックス（図１３３）を開く。
　　　【０７２２】
　［設定（Ｓ）］−［プリンタ情報（Ｉ）．．．］：プリンタ情報をユーザが設定するためのプリンタ情報設定ダイアログボックス（図１３５）を開く（管理者モードのみ）。
　　　【０７２３】
　［設定（Ｓ）］−［管理者情報（Ｍ）．．．］：　管理者情報をユーザが設定するための管理者情報設定ダイアログボックス（図１３６）を開く（管理者モードのみ）。
　　　【０７２４】
　［設定（Ｓ）］−［プリンタ（Ｐ）．．．］：　ユーザがプリンタの環境設定を行うためのプリンタ環境設定ダイアログボックス（図１４３）を開く（管理者モードのみ）。
　　　【０７２５】
　［設定（Ｓ）」−［プロトコル（Ｌ）．．．］：　プロトコル設定をユーザが行うためのプロトコル設定ダイアログボックス（図１４４）を開く（管理者モードのみ）。
　　　【０７２６】
　［設定（Ｓ）］−［デバイスパスワードの変更（Ｗ）．．．］：　デバイス詳細ウィンドウ（図４３）を開く際のパスワードをユーザが変更するためのデバイスパスワード変更ダイアログボックス（図１３７）を開く（管理者モードのみ）。
　　　【０７２７】
　［テスト（Ｔ）］−［テストプリント（Ｐ）］：　共通テストプリントを実行する（管理者モードのみ）。オフラインにしてから共通テストプリントを実行する。
　　　【０７２８】
　［テスト（Ｔ）］−［ステータスプリント（Ｓ）］：　共通ステータスプリントを実行する（管理者モードのみ）。オフラインにしてから共通ステータスプリントを実行する。
　　　【０７２９】
　「テスト（Ｔ）］−［フォントリスト（Ｆ）］：　共通フォントリストを出力する（管理者モードのみ）。オフラインにしてから共通フォントリストを出力する。
　　　【０７３０】
　［ヘルプ（Ｈ）］−［目次（Ｃ）］：　ＮｅｔＳｐｏｔオンラインヘルプの目次を表示する。
　　　【０７３１】
　［ヘルプ（Ｈ）］−［キーワードで検索（Ｓ）．．．］：　ＮｅｔＳｐｏｔオンラインヘルプのキーワード検索を表示する。
　　　【０７３２】
　［ヘルプ（Ｈ）］−［バージョン情報（Ａ）］：　デバイスのバージョン情報を表示するためのデバイスバージョン情報表示ダイアログボックス（図１４１）を開く。
その他の動作：
　［デバイス（Ｄ）］−［排紙（Ｅ）］を選択したときにプリンタがオンラインの状態ならば、図１２５に示すメッセージを表示する。図１２５のダイアログにおいて、［ＯＫ］ボタンをユーザが押下した場合は、プリンタをオフラインにしてからプリンタの用紙を排出し、デバイス詳細ウィンドウ（図４３）に戻る。［キャンセル］ボタンをユーザが押下した場合は、何もせずにデバイス詳細ウィンドウ（図４３）に戻る。
　　　【０７３３】
　［デバイス（Ｄ）」−［プリンタのリセット（Ｒ）．．．］をユーザが選択すると、図１２６に示すメッセージを表示する。図１２６のダイアログにおいて、ユーザが”ハードリセット（Ｒ）”をＯＮにして［ＯＫ」ボタンを押下した場合は、プリンタのハードリセットを行い、デバイス詳細ウィンドウ（図４３）に戻る。ユーザが”ハードリセット（Ｒ）”をＯＦＦにして［ＯＫ］ボタンを押下した場合は、プリンタのソフトリセットを行い、デバイス詳細ウィンドウ（図４３）に戻る。［キャンセル］ボタンをユーザが押下した場合は、何もせずにデバイス詳細ウィンドウ（図４３）に戻る。
　［デバイス（Ｄ）］−［プリンタの初期化（Ｉ）］を選択すると、図１２７に示すメッセージを表示する。図１２７のダイアログにおいて、［はい（Ｙ）］ボタンをユーザが押下した場合は、プリンタの環境設定を工場出荷時のデフォルトに戻し、デバイス詳細ウィンドウ（図４３）に戻る。［いいえ（Ｎ）］ボタンをユーザが押下した場合は、何もせずにデバイス詳細ウィンドウ（図４３）に戻る。
　　　【０７３４】
　［デバイス（Ｉ）］−［ネットワークインタフェースボードのリセット（Ｂ）］をユーザが選択すると、図１２８に示すメッセージを表示する。図１２８のダイアログにおいて、［はい（Ｙ）］ボタンをユーザが押下した場合は、ネットワークインタフェースボードのハードリセットを行い、デバイス詳細ウィンドウ（図４３）に戻る。［いいえ（Ｎ）］ボタンをユーザが押下した場合は、何もせずにデバイス詳細ウィンドウ（図４３）に戻る。
　　　【０７３５】
　［デバイス（Ｄ）］−［ネットワークインタフェースボードの初期化（Ｄ）］をユーザが選択すると、図１２９に示すメッセージを表示する。図１２９のダイアログにおいて、［はい（Ｙ）］ボタンをユーザが押下した場合は、ネットワークインタフェースボード設定を工場出荷時のデフォルトに戻す。［いいえ（Ｎ）］ボタンをユーザが押下した場合は、何もせずにデバイス詳細ウィンドウ（図４３）に戻る。
　　　【０７３６】
　ネットワークインタフェースボード設定を工場出荷時のデフォルトに戻した場合、図１３０に示すメッセージを表示して、デバイス詳細ウィンドウ（図４３）を閉じる。
　　　【０７３７】
　［テスト（Ｔ）］−［テストプリント（Ｐ）］あるいは［テスト（Ｔ）］−［ステータスプリント（Ｓ）］あるいは［テスト（Ｔ）］−［フォントリスト（Ｆ）］をユーザが選択したときにプリンタがオンラインの状態ならば、図１３１に示すメッセージを表示する。図１３１のダイアログにおいて、［ＯＫ］ボタンをユーザが押下した場合は、プリンタをオフラインにしてから共通テストプリントあるいは共通ステータスプリントあるいはフォントリスト出力を実行し、デバイス詳細ウィンドウ（図４３）に戻る。［キャンセル］ボタンをユーザが押下した場合は、何もせずにデバイス詳細ウィンドウ（図４３）に戻る。
　　　【０７３８】
　［トラップ通知条件設定ダイアログボックス（図１３２参照）］
　デバイス詳細ウィンドウ（図４３）の［設定」−［トラップの通知．．．］メニューをユーザが選択することにより、ＮｅｔＳｐｏｔは図１３２に示すトラップ通知条件設定ダイアログボックスを表示する。トラップ通知条件設定ダイアログボックス（図１３２）は、トラップ通知条件を設定するためのダイアログボックスである。このトラップ通知条件設定ダイアログボックスは、管理者モードにのみ適用される。
［詳細仕様］
　［状態が変化したときに通知（Ｓ）］：　状態（操作パネルのメッセージ）が変化した場合に、トラップを通知するか否かをユーザが選択する。ユーザはＯＮ，ＯＦＦのいずれかを選択する。
　　　【０７３９】
　［エラーが発生したときに通知（Ｅ）］：　エラーが発生した場合に、トラップを通知するか否かをユーザが選択する。ユーザはＯＮ，ＯＦＦのいずれかを選択する。
　　　【０７４０】
　［ＯＫ］ボタン：　設定を有効にして、ダイアログボックスを閉じる。設定が変更されている場合は、プリンタの設定を更新する。
　　　【０７４１】
　［キャンセル］ボタン：　設定を無効にして、ダイアログボックスを閉じる。
　　　【０７４２】
　［更新（Ａ）］ボタン：　設定が変更されている場合は、プリンタの設定を更新する。設定が変更されている場合のみ有効となる。
　　　【０７４３】
　［ヘルプ（Ｈ）］ボタン：　オンラインヘルプを表示する。
　　　【０７４４】
　［デバイス詳細表示自動更新設定ダイアログボックス（図１３３参照）］
　デバイス詳細ウィンドウ（図４３）の［設定］−［表示の自動更新．．．］メニューをユーザが選択することにより、ＮｅｔＳｐｏｔは図１３３に示すデバイス詳細表示自動更新設定ダイアログボックスを表示する。このデバイス詳細表示自動更新設定ダイアログボックス（図１３３）は、デバイス詳細ウィンドウ（図４３）の表示を自動更新する間隔を設定するためのダイアログボックスである。
［詳細仕様］
　［表示を自動的に更新する（Ａ）］：　デバイス詳細表示を自動的に更新するか否かをユーザが選択する。ユーザは、ＯＮ，ＯＦＦのいずれかから選択する。
　　　【０７４５】
　［更新間隔（Ｉ）］：　１刻みで１０〜６００秒の更新間隔をユーザが入力する。［表示を自動的に更新する（Ａ）］でＯＮが選択されている場合のみ有効となる。
　　　【０７４６】
　［ＯＫ］ボタン：　設定を有効にして、ダイアログボックスを閉じる。
　　　【０７４７】
　［キャンセル］ボタン：　設定を無効にして、ダイアログボックスを閉じる。
　　　【０７４８】
　［ヘルプ（Ｈ）］ボタン：　オンラインヘルプを表示する。
その他の動作：
　［更新間隔（Ｉ）］において、１刻みで１０〜６００秒以外の値をユーザが入力すると、図１３４に示すメッセージを表示して、デバイス詳細表示自動更新設定ダイアログボックス（図１３３）に戻る。
　　　【０７４９】
　［プリンタ情報設定ダイアログボックス（図１３５参照）］
　デバイス詳細ウィンドウ（図４３）の［設定］−［プリンタ情報．．．］メニューをユーザが選択することにより、ＮｅｔＳｐｏｔは図１３５に示すプリンタ情報設定ダイアログボックスを表示する。このプリンタ情報設定ダイアログボックス（図１３５）は、プリンタ情報を設定するためのダイアログボックスである。プリンタ情報設定ダイアログボックス（図１３５）は、管理者モードにのみ適用される。
［詳細仕様］
　［製品名称］：　０〜６３桁の文字列でプリンタの製品名称を表示する。
　　　【０７５０】
　［プリンタ名（Ｎ）］：　０〜６３桁の文字列でプリンタ名をユーザが入力する。
　　　【０７５１】
　［設置場所（Ｌ）］：　０〜６３桁の文字列でプリンタの設置場所をユーザが入力する。
　　　【０７５２】
　［ＯＫ］ボタン：　設定を有効にして、ダイアログボックスを閉じる。設定が変更されている場合は、デバイスの設定を更新する。
　　　【０７５３】
　［キャンセル］ボタン：　設定を無効にして、ダイアログボックスを閉じる。
　　　【０７５４】
　［更新（Ａ）］ボタン：　設定が変更されている場合は、デバイスの設定を更新する。設定が変更されている場合のみ有効となる。
　　　【０７５５】
　［ヘルプ（Ｈ）］ボタン：　オンラインヘルプを表示する。
　　　【０７５６】
　［管理者情報設定ダイアログボックス（図１３６参照）］
　デバイス詳細ウィンドウ（図４３）の［設定］―［管理者情報．．．」メニューをユーザが選択することにより、ＮｅｔＳｐｏｔは図１３６に示す管理者情報設定ダイブログボックスを表示する。管理者情報設定ダイアログボックス（図１３６）は、管理者情報を設定するためのダイアログボックスである。管理者情報設定ダイアログボックス（図１３６）は、管理者モードにのみ適用される。
［詳細仕様］
　［名前（Ｎ）］：　０〜６３桁の文字列で管理者の名前をユーザが入力する。
　　　【０７５７】
　［連絡先（Ｔ）］：　０〜６３桁の文字列で管理者の連絡先をユーザが入力する。
　　　【０７５８】
　［コメント（Ｃ）］：　０〜６３桁の文字列で管理者のコメントをユーザが入力する。
　［ＯＫ］ボタン：　設定を有効にして、ダイアログボックスを閉じる。設定が変更されている場合は、デバイスの設定を更新する。
　　　【０７５９】
　［キャンセル］ボタン：　設定を無効にして、ダイアログボックスを閉じる。
　　　【０７６０】
　［更新（Ａ）」ボタン：　設定が変更されている場合は、デバイスの設定を更新する。設定が変更されている場合のみ有効となる。
　　　【０７６１】
　［ヘルプ（Ｈ）］ボタン：　オンラインヘルプを表示する。
　　　【０７６２】
　［デバイスパスワード変更ダイアログボックス（図１３７参照）］
　デバイス詳細ウィンドウ（図４３）の［設定］―［デバイスパスワードの変更．．．］メニューをユーザが選択することにより、ＮｅｔＳｐｏｔは図１３７に示すデバイスパスワード変更ダイアログボックスを表示する。デバイスパスワード変更ダイアログボックス（図１３７）は、デバイス用パスワードを変更するためのダイアログボックスである。このデバイスパスワード変更ダイアログボックス（図１３７）は、管理者モードにのみ適用される。
［詳細仕様］
　［古いパスワード（Ｏ）］：　０〜１５桁の文字列でデバイス詳細ウィンドウ（図４３）を開く際に使用する古いデバイスパスワードをユーザが入力する。大文字と小文字は別々の文字として扱われる。
　　　【０７６３】
　［新しいパスワード（Ｎ）］：　０〜１５桁の文字列でデバイス詳細ウィンドウ（図４３）を開く際に使用する新しいデバイスパスワードをユーザが入力する。［ＮｅｔＳｐｏｔパスワードを使用（Ｓ）］でＯＦＦが選択されている場合のみ有効となる。大文字と小文字は別々の文字として扱われる。
　　　【０７６４】
　［新しいパスワードの確認入力（Ｆ）］：　０〜１５桁の文字列でデバイス詳細ウィンドウ（図４３）を開く際に使用する新しいデバイスパスワードをユーザが再度入力する。［ＮｅｔＳｐｏｔパスワードを使用（Ｓ）］でＯＦＦが選択されている場合のみ有効となる。大文字と小文字は別々の文字として扱われる。
　　　【０７６５】
　［ＮｅｔＳｐｏｔパスワードを使用（Ｓ）］：　新しいデバイスパスワードとしてＮｅｔＳｐｏｔパスワードを使用するか否かをユーザが選択する。ユーザは、ＯＮ，ＯＦＦのいずれかから選択する。
　　　【０７６６】
　［ＯＫ］ボタン：　設定を有効にして、ダイアログボックスを閉じる。設定が変更されている場合は、デバイスの設定を更新する。
　　　【０７６７】
　［キャンセル］ボタン：　設定を無効にして、ダイアログボックスを閉じる。
　　　【０７６８】
　［ヘルプ（Ｈ）］ボタン：オンラインヘルプを表示する。
その他の動作：
　［古いパスワード（Ｏ）］でユーザによって誤ったデバイスパスワードが入力された場合、図１３８に示すメッセージを表示して、デバイスパスワード変更ダイアログボックス（図１３７）に戻る。
　　　【０７６９】
　［新しいパスワード（Ｎ）］でユーザによって入力された新しいデバイスパスワードと［新しいパスワードの確認入力（Ｆ）］でユーザによって再入力されたパスワードが一致しない場合、図１３９に示すメッセージを表示して、デバイスパスワード変更ダイアログボックス（図１３７）に戻る。ユーザが正しい入力を行うことにより、デバイスパスワードが変更された場合、図１４０に示すメッセージを表示して、デバイス詳細ウィンドウ（図４３）に戻る。
　　　【０７７０】
　［デバイスバージョン情報表示ダイアログボックス（図１４１参照）］
　デバイス詳細ウィンドウ（図４３）の［ヘルプ］−［バージョン情報］メニューをユーザが選択することにより、ＮｅｔＳｐｏｔは図１４１に示すデバイスバージョン情報表示ダイアログボックスを表示する。このデバイスバージョン情報表示ダイアログボックス（図１４１）は、デバイスバージョン情報を表示するためのダイアログボックスである。
［詳細仕様］
　「バージョン情報］：　デバイスの製品名称と名前を表示する。Ｃｏｐｙｒｉｇｈｔを表示する。このデバイスが使用するＳＮＭＰのバージョンを表示する。
　　　【０７７１】
　［ＯＫ］ボタン：　ダイアログボックスを閉じる。
　　　【０７７２】
　［エラーポップアップウィンドウ（図１４２参照）］
　デバイス詳細ウィンドウ（図４３）が開いているデバイスにおいてエラーが発生した場合、エラーが発生したことを示す図１４２に示すエラーポップアップウィンドウを表示する。発生したエラーの詳細な内容の表示は、エラー詳細情報表示ダイアログボックス（図５５）において行う。エラー詳細情報表示ダイアログボックス（図５５）では、ユーザがダイアログボックス上のボタンを押下すること等によりエラースキップ等のエラー回復動作を行うことが可能である。
　　　【０７７３】
　一方、デバイス詳細ウィンドウ（図４３）が開いていないデバイスにおいてエラーが発生した場合、デバイスリスト表示ウィンドウ（図１５）におけるデバイスを示すアイコンに反映する。管理者モード及び一般ユーザモードにおいては、エラーポップアップウィンドウ（図１４２）により、表１８に示す機能を提供する。
　　　【０７７４】
　【表１８】
　　　【０７７５】
　デバイスリスト表示ウィンドウ（図１５）のメニューにより、デバイス詳細ウィンドウ（図４３）が開いているデバイスにおいてエラーが発生した場合に、エラーポップアップウィンドウを表示するか否か、あるいはビープ音を鳴らすか否かをユーザが選択することが可能である。
　　　【０７７６】
　本機能は、ＳＮＭＰのＴＲＡＰメッセージを使用して実視される。エラーが発生した各デバイスは、管理者モードのＮｅｔＳｐｏｔに対しては、送信先アドレスとして管理者モードのＮｅｔＳｐｏｔのアドレスを指定してＴＲＡＰメッセージを送信するが、一般ユーザモードのＮｅｔＳｐｏｔに対しては、送信先アドレスとしてブロードキャストアドレスを指定してＴＲＡＰメッセージを送信する。従って、一般ユーザモードのＮｅｔＳｐｏｔと各デバイスとのネットワーク上の位置関係によっては、一般ユーザモードのＮｅｔＳｐｏｔでエラーポップアップウィンドウが表示されない場合がある。
［詳細仕様］
　［エラー内容］：　発生したエラーの内容を表示する。
　　　【０７７７】
　［ＯＫ］ボタン：　ダイアログボックスを閉じる。
　　　【０７７８】
　［ヘルプ（Ｈ）］ボタン：　オンラインヘルプを表示する。
　　　【０７７９】
　　【発明の効果】
　以上説明したように、本発明によれば、ネットワーク管理ソフトウェアの起動時に、このネットワーク管理ソフトウェアで管理しているすべてのＭＩＢのオブジェクトを同時に取得しない。そのため、大量のＳＮＭＰパケットがほぼ同じにＬＡＮ上に流れることがなくなり、回線の負荷が小さくなると同時に、そのＳＮＭＰパケットを処理するプリンタ等のデバイスおよびネットワークボードヘの負荷も小さくなった。
　　　【０７８０】
　また、ＬＡＮ、プリンタおよびネットワークボードの負荷が小さくなったことにより、ネットワーク管理ソフトウェアの起動（最初の画面表示）時間が、飛躍的に短くなり、ユーザに快適な操作環境を与えることができるようになった。
　　　【０７８１】
【図面の簡単な説明】
　　【図１】
　プリンタをネットワークに接続するためのネットワークボードを、開放型アーキテクチャを持つプリンタヘつなげた場合を示す図である。
　　【図２】
　エージェントを実装したネットワークボードをプリンタに接続する実施形態を示す一部破断図である。
　　【図３】
　ネットワークボードとプリンタとＬＡＮとの電気的接続を示すブロック図である。
　　【図４】
　ＭＩＢの構造を示す概念図である。
　　【図５】
　ネットワーク管理ソフトウェアが稼動可能なＰＣの構成を示すブロック図である。
　　【図６】
　ネットワーク管理ソフトウェアのモジュール構成図である。
　　【図７】
　ＮｅｔＳｐｏｔを管理者モードで起動した時のウィンドウの遷移図である。
　　【図８】
　ＮｅｔＳｐｏｔを管理者モードで起動した時のウィンドウの遷移図である。
　　【図９】
　管理者モードにおける排他制限の概念について説明した図である。
　　【図１０】
　ＮｅｔＳＰｏｔパスワード入力ダイアログボックスの一例を示す図である。
　　【図１１】
　誤ったＮｅｔＳｐｏｔパスワードを入力した場合に表示されるメッセージ例を示す図である。
　　【図１２】
　ＮｅｔＷａｒｅサーバパスワード入力ダイアログボックスの一例を示す図である。
　　【図１３】
　ＮｅｔＷａｒｅファイルサーバヘのログインに失敗した場合に表示されるメッセージ例を示す図である。
　　【図１４】
　図１２の［キャンセル］ボタンを押下した場合に表示されるメッセージ例を示す図である。
　　【図１５】
　デバイスリスト表示ウィンドウの一例を示す図である。
　　【図１６】
　デバイス詳細ウィンドウで開かれているデバイスが検出されなくなった場合に表示されるメッセージ例を示す図である。
　　【図１７】
　プロトコルを変更したときに管理者モードでデバイス詳細ウィンドウが開かれている場合に表示されるメッセージ例を示す図である。
　　【図１８】
　プロトコルを変更したときに管理者モードでデバイス詳細ウィンドウが開かれていない場合に表示されるメッセージ例を示す図である。
　　【図１９】
　管理者モードでＮｅｔＳｐｏｔを終了したときに、管理者モードでデバイス詳細ウィンドウを開いているあるいはデバイス詳細ウィンドウにおいて作業中であった場合に表示されるメッセージ例を示す図である。
　　【図２０】
　一般ユーザモードでＮｅｔＳｐｏｔを終了をしたときに、管理者モードでデバイス詳細ウィンドウを開いていた或はデバイス詳細ウィンドウにおいて作業中であった場合に表示されるメッセージ例を示す図である。
　　【図２１】
　ＮｅｔＳｐｏｔを終了することが可能なときに表示されるメッセージ例を示す図である。
　　【図２２】
　新規追加デバイス設定ダイアログボックス（１―１）を示す図である。
　　【図２３】
　新規迫加デバイス設定ダイアログボックス（１―２）を示す図である。
　　【図２４】
　新規追加デバイス設定ダイアログボックス（１―３）を示す図である。
　　【図２５】
　新規追加デバイス設定ダイアログボックス（１−３）の［ＩＰアドレス（Ａ）］において範囲外の値を入力すると表示されるメッセージ例を示す図である。
　　【図２６】
　新規追加デバイス設定ダイアログボックス（１−４）を示す図である。
　　【図２７】
　新規追加デバイス設定ダイアログボックス（１−５）を示す図である。
　　【図２８】
　新規追加デバイス設定ダイアログボックス（２−２）を示す図である。
　　【図２９】
　表示オプションダイアログボックスを示す図である。
　　【図３０】
　デバイス検索範囲設定ダイアログボックスを示す図である。
　　【図３１】
　デバイス表示設定ダイアログボックスを示す図である。
　　【図３２】
　デバイスリスト表示自動更新設定ダイアログボックスを示す図である。
　　【図３３】
　デバイスリスト表示自動更新設定ダイアログボックスの［更新間隔（Ｉ）］で範囲外の値を入力した場合に表示されるメッセージ例を示す図である。
　　【図３４】
　ＮｅｔＷａｒｅログインダイアログボックスを示す図である。
　　【図３５】
　ＮｅｔＷａｒｅファイルサーバヘのログインに失敗した場合に表示されるメッセージを示す図である。
　　【図３６】
　ＮｅｔＷａｒｅログアウトダイアログボックスを示す図である。
　　【図３７】
　図３６の［ログアウト（Ｏ）］ボタンが押下された場合に表示されるメッセージを示す図である。
　　【図３８】
　ＮｅｔＳｐｏｔパスワード変更ダイアログボックスを示す図である。
　　【図３９】
　図３８の［古いパスワード（Ｏ）］で誤ったＮｅｔＳｐｏｔパスワードが入力された場合に表示されるメッセージを示す図である。
　　【図４０】
　図３８で新しいパスワードと新しいパスワードの確認入力が一致しない場合に表示されるメッセージを示す図である。
　　【図４１】
　正しい入力によりＮｅｔＳｐｏｔパスワードが変更された場合に表示されるメッセージを示す図である。
　　【図４２】
　ＮｅｔＳｐｏｔバージョン情報表示ダイアログボックスを示す図である。
　　【図４３】
　デバイス詳細ウィンドウを示す図である。
　　【図４４】
　マネージャ情報テーブルヘの管理者登録に時間を要する場合に表示されるメッセージを示す図である。
　　【図４５】
　マネージャ情報テーブルヘの管理者登録の解除に時間を要する場合に表示されるメッセージ例を示す図である。
　　【図４６】
　図４３の各シート・ダイアログボックスを初めて表示する場合で、情報の取得に時間を要する場合に表示されるメッセージ例を示す図である。
　　【図４７】
　図４３の各シート・ダイアログボックスにおいて、情報の設定に時間を要する場合に表示されるメッセージ例を示す図である。
　　【図４８】
　プリンタのリセット、ネットワークインタフェースボードのリセットの実行に時間を要する場合に表示されるメッセージ例を示す図である。
　　【図４９】
　プリンタのリセット、ネットワークインタフェースボードのリセット以外のコマンドの実行に時間を要する場合に表示されるメッセージ例を示す図である。
　　【図５０】
　デバイスパスワード入力ダイアログボックスを示す図である。
　　【図５１】
　ユーザによって誤ったデバイスパスワードが入力された場合に表示されるメッセージ例を示す図である。
　　【図５２】
　既に他の端末で管理者モードによりデバイス詳細ウィンドウを開いていることを検出した場合に表示されるメッセージ例を示す図である。
　　【図５３】
　強制的に管理者モードでデバイス詳細ウィンドウを開くことを選択しなかった場合に表示されるメッセージ例を示す図である。
　　【図５４】
　状態（Ｓｔａｔｕｓ）シートの表示例を示す図である。
　　【図５５】
　エラー詳細情報表示ダイアログボックスを示す図である。
　　【図５６】
　図５５の［リセット（Ｒ）］ボタンを押下すると表示されるメッセージ例を示す図である。
　　【図５７】
　プリンタ給排紙部選択ダイアログボックスを示す図である。
　　【図５８】
　プリンタ給排紙部設定シートの表示例を示す図である。
　　【図５９】
　共通プリント環境基本設定シートを示す図である。
　　【図６０】
　図５９の［コピー枚数設定（Ｐ）］において、範囲外の値を入力すると表示されるメッセージ例を示す図である。
　　【図６１】
　図５９の［綴じ幅（Ｂ）］において、範囲外の値を入力すると表示されるメッセージ例を示す図である。
　　【図６２】
　図５９の［綴じ幅（Ｂ）］において、０．５刻みでない値を入力すると表示されるメッセージ例を示す図である。
　　【図６３】
　共通プリント環境拡張設定ダイアログボックスを示す図である。
　　【図６４】
　図６３の［ジョブタイムアウト（Ｔ）］において、範囲外の値を入力すると表示されるメッセージ例を示す図である。
　　【図６５】
　図６３の［縦補正（Ｕ）］・［横補正（Ｙ）］において、範囲外の値を入力すると、表示されるメッセージ例を示す図である。
　　【図６６】
　図６３の［縦補正（Ｕ）］・［横補正（Ｙ）］において、０．５刻みでない値を入力すると表示されるメッセージ例を示す図である。
　　【図６７】
　印字調整設定ダイアログボックスを示す図である。
　　【図６８】
　プリント動作モード設定ダイアログボックスを示す図である。
　　【図６９】
　ＬＩＰＳプリント環境基本設定シートの表示例を示す図である。
　　【図７０】
　ＬＩＰＳプリント環境拡張設定ダイアログボックスを示す図である。
　　【図７１】
　図７０の［行数設定（Ｌ）」において、範囲外の値を入力すると表示されるメッセージ例を示す図である。
　　【図７２】
　図７０の［桁数設定（Ｃ）］において、範囲外の値を入力すると表示されるメッセージ例を示す図である。
　　【図７３】
　図７０の［スタートアップマクロ］・［オーバレイ１］・［オーバレイ２］で、範囲外の値を入力すると表示されるメッセージ例を示す図である。
　　【図７４】
　ＬＩＰＳユーティリティダイアログボックスを示す図である。
　　【図７５】
　図７４の［ステータスプリント］・［オーバレイプリント］・［オーバレイリスト］・［フォントリスト］・［マクロリスト］を押下したときにプリンタがオンラインの状態のときに表示されるメッセージ例を示す図である。
　　【図７６】
　Ｎ２０１プリント環境基本設定シートの表示例を示す図である。
　　【図７７】
　図７６の［上余白（Ｗ）］・［用紙位置微調整（Ｂ）］において、範囲外の値を入力すると表示されるメッセージ例を示す図である。
　　【図７８】
　［フォントＩＤ］において範囲外の値を入力すると表示されるメッセージ例を示す図である。
　　【図７９】
　Ｎ２０１プリント環境拡張１設定ダイアログボックスを示す図である。
　　【図８０】
　図７９の［ミシン目スキップ（Ｍ）」において、範囲外の値を入力すると表示されるメッセージ例を示す図である。
　　【図８１】
　図７９の［用紙長設定（Ｄ）］において、範囲外の値を入力すると、表示されるメッセージ例を示す図である。
　　【図８２】
　Ｎ２０１プリント環境拡張２設定ダイアログボックスを示す図である。
　　【図８３】
　図８２の［固定行数（Ｅ）］・［固定桁数（Ｎ）］において、範囲外の値を入力すると表示されるメッセージ例を示す図である。
　　【図８４】
　図８２の［スタートアップマクロ（Ｍ）］において、範囲外の値を入力すると表示されるメッセージ例を示す図である。
　　【図８５】
　図８２の［システムオーバレイ（Ｏ）］において、範囲外の値を入力すると表示されるメッセージ例を示す図である。
　　【図８６】
　Ｎ２０１ユーティリティダイアログボックスを示す図である。
　　【図８７】
　図８６の［ステータスプリント（Ｓ）］・［オーバレイプリント（Ｏ）」を押下したときにプリンタがオンラインの状態の場合表示されるメッセージ例を示す図である。
　　【図８８】
　ＥＳＣ／Ｐプリント環境基本設定シートの表示例を示す図である。
　　【図８９】
　図８８の［上余白（Ｗ）］・［用紙位置微調整（Ｂ）」において、範囲外の値を入力すると表示されるメッセージ例を示す図である。
　　【図９０】
　図８８の［フォントＩＤ（Ｅ）］において、範囲外の値を入力すると、表示されるメッセージ例を示す図である。
　　【図９１】
　ＥＳＣ／Ｐプリント環境拡張１設定ダイアログボックスを示す図である。
　　【図９２】
　図９１の［連続用紙長（Ｌ）］・［単票用紙長（Ｓ）」において、範囲外の値を入力すると表示されるメッセージ例を示す図である。
　　【図９３】
　図９１の［ミシン目スキップ（Ｍ）］において、範囲外の値を入力すると、表示されるメッセージ例を示す図である。
　　【図９４】
　ＥＳＣ／Ｐプリント環境拡張２設定ダイアログボックスを示す図である。
　　【図９５】
　図９４の［固定行数（Ｅ）］・［固定桁数（Ｎ）］において、範囲外の値を入力すると表示されるメッセージ例を示す図である。
　　【図９６】
　図９４の［スタートアップマクロ（Ｍ）］において、範囲外の値を入力すると表示されるメッセージ例を示す図である。
　　【図９７】
　図９４の［システムオーバレイ（Ｏ）］において、範囲外の値を入力すると表示されるメッセージ例を示す図である。
　　【図９８】
　ＥＳＣ／Ｐユーティリティダイアログボックスを示す図である。
　　【図９９】
　図９８の［ステータスプリント（Ｓ）］・［オーバレイプリント（Ｏ）］を押下したときにプリンタがオンラインの状態のとき表示されるメッセージ例を示す図である。
　　【図１００】
　ジョブ（Ｊｏｂｓ）シートの表示例を示す図である。
　　【図１０１】
　プリンタキュー設定変更ダイアログボックスを示す図である。
　　【図１０２】
　情報（Ｉｎｆｏｒｍａｔｉｏｎ）シートの表示例を示す図である。
　　【図１０３】
　管理者情報表示ダイアログボックスを示す図である。
　　【図１０４】
　ネットワーク（Ｎｅｔｗｏｒｋ）シートの表示例を示す図である。
　　【図１０５】
　ＮｅｔＷａｒｅ設定シートの表示例を示す図である。
　　【図１０６】
　図１０５の［プリンタ番号（Ｕ）］において、範囲外の値をユーザが入力すると、表示されるメッセージ例を示す図である。
　　【図１０７】
　図１０５の［フォーム番号（Ｏ）］において、範囲外の値をユーザが入力すると、表示されるメッセージ例を示す図である。
　　【図１０８】
　図１０５の［ポーリング間隔（Ｉ）］において、範囲外の値をユーザが入力すると表示されるメッセージ例を示す図である。
　　【図１０９】
　図１０５の［バッファサイズ（Ｂ）］において、範囲外の値をユーザが入力すると表示されるメッセージ例を示す図である。
　　【図１１０】
　図１０５でいずれかの設定を変更し、［ＯＫ］ボタンを押下した場合、表示されるメッセージ例を示す図である。
　　【図１１１】
　図１０５でいずれかの設定を変更し、［更新（Ａ）］ボタンを押下した場合、表示されるメッセージ例を示す図である。
　　【図１１２】
　図１０５でネットワークインタフェースボードのソフトリセットが必要な設定を変更し、変更が完了した場合、表示されるメッセージ例を示す図である。
　　【図１１３】
　ネットワークインタフェースボードのソフトリセットを選択した場合であって、ＮｅｔＳｐｏｔがＮｅｔＷａｒｅプロトコルで動作している場合、表示されるメッセージ例を示す図である。
　　【図１１４】
　ＴＣＰ／ＩＰ設定シートの表示例を示す図である。
　　【図１１５】
　図１１４の［ＩＰアドレス（Ｐ）］・［サブネットマスク（Ｍ）］・［ゲートウェイアドレス（Ｇ）］において範囲外の値を入力すると表示されるメッセージ例を示す図である。
　　【図１１６】
　図１１４でいずれかの設定を変更し、［ＯＫ］ボタンを押下した場合、表示されるメッセージ例を示す図である。
　　【図１１７】
　図１１４でいずれかの設定を変更し、［更新（Ａ）］ボタンを押下した場合、表示されるメッセージ例を示す図である。
　　【図１１８】
　図１１４でネットワークインタフェースボードのソフトリセットが必要な設定を変更し、変更が完了した場合、表示されるメッセージ例を示す図である。
　　【図１１９】
　図１１４でネットワークインタフェースボードのソフトリセットを選択した場合であって、ＮｅｔＳｐｏｔがＴＣＰ／ＩＰで動作している場合、表示されるメッセージ例を示す図である。
　　【図１２０】
　ＡｐｐｌｅＴａｌｋ設定シートの表示例を示す図である。
　　【図１２１】
　図１２０の［名前（Ｅ）］において、入力できない文字コードを入力した場合に表示されるメッセージ例を示す図である。
　　【図１２２】
　図１２０でいずれかの設定を変更し、［ＯＫ］ボタンを押下した場合、表示されるメッセージ例を示す図である。
　　【図１２３】
　図１２０でいずれかの設定を変更し、［更新（Ａ）］ボタンを押下した場合、表示されるメッセージ例を示す図である。
　　【図１２４】
ネットワークインタフェースボードのソフトリセットが必要な設定を変更し、変更が完了した場合、表示されるメッセージ例を示す図である。
　　【図１２５】
　図４３の８１７で［排紙（Ｅ）］を選択したときにプリンタがオンラインの状態のときに表示されるメッセージ例を示す図である。
　　【図１２６】
　図４３の８１７で［プリンタのリセット（Ｒ）．．．］を選択すると、表示されるメッセージ例を示す図である。
　　【図１２７】
　図４３の８１７で［プリンタの初期化（Ｉ）］を選択すると、表示されるメッセージ例を示す図である。
　　【図１２８】
　図４３の８１７で［ネットワークインタフェースボードのリセット（Ｂ）］を選択すると表示されるメッセージ例を示す図である。
　　【図１２９】
　図４３の８１７で［ネットワークインタフェースボードの初期化（Ｄ）］を選択すると表示されるメッセージ例を示す図である。
　　【図１３０】
　ネットワークインタフェースボード設定を工場出荷侍のデフォルトに戻した場合、表示されるメッセージ例を示す図である。
　　【図１３１】
　図４３の８２１で［テストプリント（Ｐ）］・「ステータスプリント（Ｓ）］・［フォントリスト（Ｆ）］を選択したときにプリンタがオンラインの状態のとき表示されるメッセージ例を示す図である。
　　【図１３２】
　トラップ通知条件設定ダイアログボックスを示す図である。
　　【図１３３】
　デバイス詳細表示自動更新設定ダイアログボックスを示す図である。
　　【図１３４】
　図１３３の［更新間隔（Ｉ）］において、範囲外の値を入力すると表示されるメッセージ例を示す図である。
　　【図１３５】
　プリンタ情報設定ダイアログボックスを示す図である。
　　【図１３６】
　管理者情報設定ダイアログボックスを示す図である。
　　【図１３７】
　デバイスパスワード変更ダイアログボックスを示す図である。
　　【図１３８】
　図１３７の［古いパスワード（Ｏ）］で誤ったデバイスパスワードが入力された場合、表示されるメッセージ例を示す図である。
　　【図１３９】
　図１３７の［新しいパスワード（Ｎ）］で入力されたパスワードと［新しいパスワードの確認入力（Ｆ）］で再入力されたパスワードが一致しない場合表示されるメッセージ例を示す図である。
　　【図１４０】
　ユーザが正しい入力を行うことにより、デバイスパスワードが変更された場合、表示されるメッセージ例を示す図である。
　　【図１４１】
　デバイスバージョン情報表示ダイアログボックスを示す図である。
　　【図１４２】
　エラーポップアップウィンドウを示す図である。
　　【図１４３】
　プリンタ環境設定ダイアログボックスを示す図である。
　　【図１４４】
　プロトコル設定ダイアログボックスを示す図である。
　　【図１４５】
　ユーザモードのデバイス詳細ウィンドウを示す図である。
　　【図１４６】
　管理者モードでデバイス詳細ウィンドウを開いている場合のデバイスリスト表示ウィンドウ（大きいアイコン表示）を示す図である。
　　【図１４７】
　管理者モードでデバイス詳細ウィンドウを開いている場合のデバイスリスト表示ウィンドウ（小さいアイコン表示）を示す図である。
　　【図１４８】
　以前に検出されていたデバイスが応答を返さなくなった場合のデバイスリスト表示ウィンドウ（大きいアイコン表示）を示す図である。
　　【図１４９】
　以前に検出されていたデバイスが応答を返さなくなった場合のデバイスリスト表示ウィンドウ（小さいアイコン表示）を示す図である。
　　【図１５０】
　ネットワークプリンタ管理ソフトウェアを起動し、管理したいプリンタを選択した際の動作処理を示すフローチャートである。
　　【図１５１】
　図１５０におけるステップ１５１００の詳細を説明するためのフローチャートである。
　　【図１５２】
　実施形態におけるネットワーク管理ソフトウェアに対してデバイス詳細ウインドウ表示操作を行なうことで開始される処理を示すフローチャートである。
　　【図１５３】
　図１５２におけるステップ１５３００の内容を示すフローチャートである。
　　【図１５４】
　図１５２におけるステップ１５４００の内容を示すフローチャートである。
　　【図１５５】
　図１５４におけるステップ１５５００の内容を示すフローチャートである。
　　【図１５６】
　図１５５におけるステップ１５６００の内容を示すフローチャートである。
　　【図１５７】
　図１５４におけるステップ１５５００の内容の他の例を示すフローチャートである。
　　【図１５８】
　第２の実施形態におけるネットワーク管理ソフトウェアに対してデバイス、詳細ウインドウ表示操作を行なうことで開始される処理を示すフローチャートである。